(57)【要約】【課題】  一般的には週に１回は定期的に配布されるスーパーの新聞折り込みのチラシに共同広告のコーナーを設け、このコーナー部分に複数の広告枠を設けてスーパーのチラシ自体の依頼人及び共同広告の依頼人の双方にとって共同チラシの製作費用の軽減化を図ること。【解決手段】  クライアント端末３からチラシを配布したい配布日と配布地域を入力して検索ボタンをクリックする。クライアント端末３とインターネット２を介して接続されているサーバ装置１側では、受信した配布日と配布地域でもって検索し、該当する場合には、該当するスーパー名が店名表示部６７に表示され、そのスーパー名をクリックすると、配布地域地図、配布日、配布枚数、費用等が表示され、これを元に共同広告を申し込む。【選択図】        図１６
2008204046.tif 000002
【特許請求の範囲】
【請求項１】
チラシの配布主が配布する該チラシの広告部分以外に設けたスペースに該チラシ配布主以外の広告依頼人が該チラシ配布主と共同して広告を行なう場合の共同チラシの作成方法であって、
前記チラシを印刷する印刷会社が管理するサーバ装置（１）と、共同広告を依頼する広告依頼人側のクライアント端末（３）とがインターネット（２）にて接続されており、
前記サーバ装置（１）のデータベース（１６）には、複数のチラシ配布主による新聞の折込みとして配布日がすでに決定済みであって各チラシが配布される決定済みの配布日と、当該配布日にチラシが配布される地域の地図と、当該配布日に配布されるチラシの配布地域における配布枚数とがそれぞれ予め格納されており、
前記サーバ装置（１）が前記クライアント端末（３）からのチラシの配布地域と配布日の検索情報を受信する受信ステップと、
前記サーバ装置（１）が受信した前記チラシの配布地域と配布日の検索情報に基づいて前記データベース（１６）を検索して該当するチラシの配布地域と配布日を抽出する検索ステップと、
前記検索ステップの結果から前記クライアント端末（３）の要求に応じて該当するチラシの配布日、配布地域地図及び配布枚数を前記データベース（１６）から読み出してサーバ装置（１）が該クライアント端末（３）に送信する検索結果送信ステップと、
前記検索結果送信ステップによる検索結果により前記クライアント端末（３）からの広告依頼の申込信号を前記サーバ装置（１）が受信する広告申込受信ステップと、
前記クライアント端末（３）からの広告依頼の申込信号の受信後に前記広告依頼人が掲載する共同広告用の版下データと当該チラシ配布主の広告用の版下データとでチラシ全体の版下データを作成する版下作成ステップと
からなることを特徴とする共同チラシの作成方法。
【請求項２】
チラシの配布主が配布する該チラシの広告部分以外に設けたスペースに該チラシ配布主以外の広告依頼人が該チラシ配布主と共同して広告を行なう場合の共同チラシの作成方法であって、
前記チラシを印刷する印刷会社が管理するサーバ装置（１）と、共同広告を依頼する広告依頼人側のクライアント端末（３）とがインターネット（２）にて接続されており、
前記サーバ装置（１）のデータベース（１６）には、複数のチラシ配布主による新聞の折込みとして配布日がすでに決定済みであって各チラシが配布される決定済みの配布日と、当該配布日にチラシが配布される地域の地図と、当該配布日に配布されるチラシの配布地域における配布枚数とがそれぞれ予め格納されており、
前記サーバ装置（１）が前記クライアント端末（３）からのチラシの配布地域と配布日の検索情報を受信する受信ステップと、
前記サーバ装置（１）が受信した前記チラシの配布地域と配布日の検索情報に基づいて前記データベース（１６）を検索して該当するチラシの配布地域と配布日を抽出する検索ステップと、
前記検索ステップの結果から前記クライアント端末（３）の要求に応じて該当するチラシの配布日、配布地域地図及び配布枚数を前記データベース（１６）から読み出してサーバ装置（１）が該クライアント端末（３）に送信する検索結果送信ステップと、
前記検索結果送信ステップによる検索結果により前記クライアント端末（３）からの広告依頼の申込信号を前記サーバ装置（１）が受信する広告申込受信ステップと、
予め定められている共同広告用のスペースから広告申込件数に応じて１件当たりの広告枠（５３）の大きさを決定する広告枠大きさ決定ステップと、
前記広告枠大きさ決定ステップにて決定された広告枠（５３）の大きさを共同広告を申し込んだクライアント端末（３）へ送信する広告枠送信ステップと、
前記大きさが決定された広告枠（５３）に対応した共同広告用の版下データと当該チラシ配布主の広告用の版下データとでチラシ全体の版下データを作成する版下作成ステップと
からなることを特徴とする共同チラシの作成方法。
【請求項３】
前記サーバ装置（１）のデータベース（１６）には、多数の前記チラシ配布主によるチラシの全配布地域の地図が予め格納されており、
前記クライアント端末（３）が前記サーバ装置（１）にアクセスした際に、チラシの全配布地域地図をサーバ装置（１）が該クライアント端末（３）へ送信する全配布地域地図送信ステップを備えていることを特徴とする請求項１または請求項２に記載の共同チラシの作成方法。
【請求項４】
前記サーバ装置（１）のデータベース（１６）には、チラシの配布日及び配布地域に対応したチラシ１枚当たりの費用と、配布枚数からの総額とが予め格納されており、
前記チラシ１枚当たりの費用と、配布枚数からの総額とを、前記検索結果送信ステップによるクライアント端末（３）への検索結果情報の送信の際に含ませていることを特徴とする請求項１または請求項２に記載の共同チラシの作成方法。
【請求項５】
前記サーバ装置（１）のデータベース（１６）には、前記チラシの版下データ（５１）が予め格納されており、
前記クライアント端末（３）からの共同広告申込前に前記サーバ装置（１）がデータベース（１６）から版下データ（５１）を読み出してクライアント端末（３）へ送信する版下データ送信ステップを備えていることを特徴とする請求項１または請求項２に記載の共同チラシの作成方法。
【請求項６】
前記クライアント端末（３）で作成された広告用版下データを受信すると共に、該広告用版下データを前記データベース（１６）に格納しておく受信・格納ステップを備えていることを特徴とする請求項２〜請求項５のいずれかに記載の共同チラシの作成方法。
【請求項７】
前記チラシ全体の版下データを作成する際に、共同広告の申込順に所定の広告枠（５３）に広告依頼人の広告を順次割り当てるステップを備えていることを特徴とする請求項５に記載の共同チラシの作成方法。
【請求項８】
チラシの配布主が配布する該チラシの広告部分以外に設けたスペースに該チラシ配布主以外の広告依頼人が該チラシ配布主と共同して広告を行なう場合の共同チラシの作成システムであって、
前記チラシを印刷する印刷会社が管理するサーバ装置（１）と、共同広告を依頼する広告依頼人側のクライアント端末（３）とがインターネット（２）にて接続されており、
前記サーバ装置（１）のデータベース（１６）には、複数のチラシ配布主による新聞の折込みとして配布日がすでに決定済みであって各チラシが配布される決定済みの配布日と、当該配布日にチラシが配布される地域の地図と、当該配布日に配布されるチラシの配布地域における配布枚数とがそれぞれ予め格納されており、
前記サーバ装置（１）が前記クライアント端末（３）からのチラシの配布地域と配布日の検索情報を受信する受信手段と、
前記サーバ装置（１）が前記受信手段により受信した前記チラシの配布地域と配布日の検索情報に基づいて前記データベース（１６）を検索して該当するチラシの配布地域と配布日を抽出する検索手段と、
前記検索手段による結果から前記クライアント端末（３）の要求に応じて該当するチラシの配布日、配布地域地図及び配布枚数を前記データベース（１６）から読み出してサーバ装置（１）が該クライアント端末（３）に送信する検索結果送信手段と、
前記検索結果送信手段による検索結果により前記クライアント端末（３）からの広告依頼の申込信号を前記サーバ装置（１）が受信する広告申込受信手段と、
前記クライアント端末（３）からの広告依頼の申込信号の受信後に前記広告依頼人が掲載する共同広告用の版下データと当該チラシ配布主の広告用の版下データとでチラシ全体の版下データを作成する版下作成手段と
からなることを特徴とする共同チラシの作成システム。
【請求項９】
チラシの配布主が配布する該チラシの広告部分以外に設けたスペースに該チラシ配布主以外の広告依頼人が該チラシ配布主と共同して広告を行なう場合の共同チラシの作成システムであって、
前記チラシを印刷する印刷会社が管理するサーバ装置（１）と、共同広告を依頼する広告依頼人側のクライアント端末（３）とがインターネット（２）にて接続されており、
前記サーバ装置（１）のデータベース（１６）には、複数のチラシ配布主による新聞の折込みとして配布日がすでに決定済みであって各チラシが決定済みの配布される配布日と、当該配布日にチラシが配布される地域の地図と、当該配布日に配布されるチラシの配布地域における配布枚数とがそれぞれ予め格納されており、
前記サーバ装置（１）が前記クライアント端末（３）からのチラシの配布地域と配布日の検索情報を受信する受信手段と、
前記サーバ装置（１）が前記受信手段により受信した前記チラシの配布地域と配布日の検索情報に基づいて前記データベース（１６）を検索して該当するチラシの配布地域と配布日を抽出する検索手段と、
前記検索手段による結果から前記クライアント端末（３）の要求に応じて該当するチラシの配布日、配布地域地図及び配布枚数を前記データベース（１６）から読み出してサーバ装置（１）が該クライアント端末（３）に送信する検索結果送信手段と、
前記検索結果送信手段による検索結果により前記クライアント端末（３）からの広告依頼の申込信号を前記サーバ装置（１）が受信する広告申込受信手段と、
予め定められている共同広告用のスペースから広告申込件数に応じて１件当たりの広告枠（５３）の大きさを決定する広告枠大きさ決定手段と、
前記広告枠大きさ決定手段にて決定された広告枠（５３）の大きさを共同広告を申し込んだクライアント端末（３）へ送信する広告枠送信手段と、
前記大きさが決定された広告枠（５３）に対応した共同広告用の版下データと当該チラシ配布主の広告用の版下データとでチラシ全体の版下データを作成する版下作成手段と
からなることを特徴とする共同チラシの作成システム。
【請求項１０】
前記サーバ装置（１）のデータベース（１６）には、多数の前記チラシ配布主によるチラシの全配布地域の地図が予め格納されており、
前記クライアント端末（３）が前記サーバ装置（１）にアクセスした際に、チラシの全配布地域地図をサーバ装置（１）が該クライアント端末（３）へ送信する全配布地域地図送信手段を備えていることを特徴とする請求項８または請求項９に記載の共同チラシの作成システム。
【請求項１１】
前記サーバ装置（１）のデータベース（１６）には、チラシの配布日及び配布地域に対応したチラシ１枚当たりの費用と、配布枚数からの総額とが予め格納されており、
前記チラシ１枚当たりの費用と、配布枚数からの総額とを、前記検索結果送信ステップによるクライアント端末（３）への検索結果情報の送信の際に含ませていることを特徴とする請求項８または請求項９に記載の共同チラシの作成システム。
【請求項１２】
前記サーバ装置（１）のデータベース（１６）には、前記チラシの版下データ（５１）が予め格納されており、
前記クライアント端末（３）からの共同広告申込前に前記サーバ装置（１）がデータベース（１６）から版下データ（５１）を読み出してクライアント端末（３）へ送信する版下データ送信手段を備えていることを特徴とする請求項８または請求項９に記載の共同チラシの作成システム。
【請求項１３】
前記クライアント端末（３）で作成された広告用版下データを受信すると共に、該広告用版下データを前記データベース（１６）に格納しておく受信・格納手段を備えていることを特徴とする請求項９〜請求項１２のいずれかに記載の共同チラシの作成システム。
【請求項１４】
前記チラシ全体の版下データを作成する際に、共同広告の申込順に所定の広告枠（５３）に広告依頼人の広告を順次割り当てる手段を備えていることを特徴とする請求項１３に記載の共同チラシの作成システム。
【請求項１５】
チラシを印刷する印刷会社が管理するサーバ装置（１）と、共同広告を依頼する広告依頼人側のクライアント端末（３）とがインターネット（２）にて接続されており、
前記サーバ装置（１）のデータベース（１６）には、複数のチラシ配布主による新聞の折込みとして配布日がすでに決定済みであって各チラシが配布される決定済みの配布日と、当該配布日にチラシが配布される地域の地図と、当該配布日に配布されるチラシの配布地域における配布枚数とがそれぞれ予め格納されていて、
前記チラシ配布主と広告依頼人との共同チラシを作成するためにコンピュータを、
前記サーバ装置（１）が前記クライアント端末（３）からのチラシの配布地域と配布日の検索情報を受信する受信手段と、
前記サーバ装置（１）が前記受信手段により受信した前記チラシの配布地域と配布日の検索情報に基づいて前記データベース（１６）を検索して該当するチラシの配布地域と配布日を抽出する検索手段と、
前記検索手段による結果から前記クライアント端末（３）の要求に応じて該当するチラシの配布日、配布地域地図及び配布枚数を前記データベース（１６）から読み出してサーバ装置（１）が該クライアント端末（３）に送信する検索結果送信手段と、
前記検索結果送信手段による検索結果により前記クライアント端末（３）からの広告依頼の申込信号を前記サーバ装置（１）が受信する広告申込受信手段と、
前記クライアント端末（３）からの広告依頼の申込信号の受信後に前記広告依頼人が掲載する共同広告用の版下データと当該チラシ配布主の広告用の版下データとでチラシ全体の版下データを作成する版下作成手段と
して機能させるための共同チラシ作成プログラム。
【請求項１６】
チラシを印刷する印刷会社が管理するサーバ装置（１）と、共同広告を依頼する広告依頼人側のクライアント端末（３）とがインターネット（２）にて接続されており、
前記サーバ装置（１）のデータベース（１６）には、複数のチラシ配布主による新聞の折込みとして配布日がすでに決定済みであって各チラシが配布される決定済みの配布日と、当該配布日にチラシが配布される地域の地図と、当該配布日に配布されるチラシの配布地域における配布枚数とがそれぞれ予め格納されていて、
前記チラシ配布主と広告依頼人との共同チラシを作成するためにコンピュータを、
前記サーバ装置（１）が前記クライアント端末（３）からのチラシの配布地域と配布日の検索情報を受信する受信手段と、
前記サーバ装置（１）が前記受信手段により受信した前記チラシの配布地域と配布日の検索情報に基づいて前記データベース（１６）を検索して該当するチラシの配布地域と配布日を抽出する検索手段と、
前記検索手段による結果から前記クライアント端末（３）の要求に応じて該当するチラシの配布日、配布地域地図及び配布枚数を前記データベース（１６）から読み出してサーバ装置（１）が該クライアント端末（３）に送信する検索結果送信手段と、
前記検索結果送信手段による検索結果により前記クライアント端末（３）からの広告依頼の申込信号を前記サーバ装置（１）が受信する広告申込受信手段と、
予め定められている共同広告用のスペースから広告申込件数に応じて１件当たりの広告枠（５３）の大きさを決定する広告枠大きさ決定手段と、
前記広告枠大きさ決定手段にて決定された広告枠（５３）の大きさを共同広告を申し込んだクライアント端末（３）へ送信する広告枠送信手段と、
前記大きさが決定された広告枠（５３）に対応した共同広告用の版下データと当該チラシ配布主の広告用の版下データとでチラシ全体の版下データを作成する版下作成手段と
して機能させるための共同チラシ作成プログラム。
【請求項１７】
チラシを印刷する印刷会社が管理するサーバ装置（１）と、共同広告を依頼する広告依頼人側のクライアント端末（３）とがインターネット（２）にて接続されており、
前記サーバ装置（１）のデータベース（１６）には、複数のチラシ配布主による新聞の折込みとして配布日がすでに決定済みであって各チラシが配布される決定済みの配布日と、当該配布日にチラシが配布される地域の地図と、当該配布日に配布されるチラシの配布地域における配布枚数とがそれぞれ予め格納されていて、
前記チラシ配布主と広告依頼人との共同チラシを作成するためにコンピュータを、
前記サーバ装置（１）が前記クライアント端末（３）からのチラシの配布地域と配布日の検索情報を受信する受信手段と、
前記サーバ装置（１）が前記受信手段により受信した前記チラシの配布地域と配布日の検索情報に基づいて前記データベース（１６）を検索して該当するチラシの配布地域と配布日を抽出する検索手段と、
前記検索手段による結果から前記クライアント端末（３）の要求に応じて該当するチラシの配布日、配布地域地図及び配布枚数を前記データベース（１６）から読み出してサーバ装置（１）が該クライアント端末（３）に送信する検索結果送信手段と、
前記検索結果送信手段による検索結果により前記クライアント端末（３）からの広告依頼の申込信号を前記サーバ装置（１）が受信する広告申込受信手段と、
前記クライアント端末（３）からの広告依頼の申込信号の受信後に前記広告依頼人が掲載する共同広告用の版下データと当該チラシ配布主の広告用の版下データとでチラシ全体の版下データを作成する版下作成手段と
して機能させるための共同チラシ作成プログラムを記録したコンピュータ読み取り可能な記録媒体。
【請求項１８】
チラシを印刷する印刷会社が管理するサーバ装置（１）と、共同広告を依頼する広告依頼人側のクライアント端末（３）とがインターネット（２）にて接続されており、
前記サーバ装置（１）のデータベース（１６）には、複数のチラシ配布主による新聞の折込みとして配布日がすでに決定済みであって各チラシが配布される決定済みの配布日と、当該配布日にチラシが配布される地域の地図と、当該配布日に配布されるチラシの配布地域における配布枚数とがそれぞれ予め格納されていて、
前記チラシ配布主と広告依頼人との共同チラシを作成するためにコンピュータを、
前記サーバ装置（１）が前記クライアント端末（３）からのチラシの配布地域と配布日の検索情報を受信する受信手段と、
前記サーバ装置（１）が前記受信手段により受信した前記チラシの配布地域と配布日の検索情報に基づいて前記データベース（１６）を検索して該当するチラシの配布地域と配布日を抽出する検索手段と、
前記検索手段による結果から前記クライアント端末（３）の要求に応じて該当するチラシの配布日、配布地域地図及び配布枚数を前記データベース（１６）から読み出してサーバ装置（１）が該クライアント端末（３）に送信する検索結果送信手段と、
前記検索結果送信手段による検索結果により前記クライアント端末（３）からの広告依頼の申込信号を前記サーバ装置（１）が受信する広告申込受信手段と、
予め定められている共同広告用のスペースから広告申込件数に応じて１件当たりの広告枠（５３）の大きさを決定する広告枠大きさ決定手段と、
前記広告枠大きさ決定手段にて決定された広告枠（５３）の大きさを共同広告を申し込んだクライアント端末（３）へ送信する広告枠送信手段と、
前記大きさが決定された広告枠（５３）に対応した共同広告用の版下データと当該チラシ配布主の広告用の版下データとでチラシ全体の版下データを作成する版下作成手段と
して機能させるための共同チラシ作成プログラムを記録したコンピュータ読み取り可能な記録媒体。
【発明の詳細な説明】
【技術分野】
【０００１】
本発明は、新聞の折り込みチラシを利用した共同チラシの作成方法、共同チラシの作成システム、プログラム及び記録媒体に関するものである。
【背景技術】
【０００２】
従来より広告のコストを安価にするために、複数の企業等が共同して印刷物を製作、配布するのが知られている。この従来からの共同印刷物の製作において、例えば、求人チラシ、不動産チラシ、商店街の共同（合同）チラシなどを製作する場合には、製作会社の担当者と複数の依頼人が会合を開いて、予算、それぞれの掲載位置、配布範囲（配布地域）、配布日、配布枚数などをそれぞれの依頼人が納得し、決定するまでに相当の期間、時間をかけていた。
【０００３】
食品などのスーパーマーケット（以下、スーパーという。）においても同様であり、店舗内にテナントが入っている場合が多く、意見の取りまとめや、販売戦略立案時にも大きな抵抗があって、チラシ製作を何度もやり直すことも多い。
【０００４】
そのため、その制作費は大変高額となったり、個々の商人にとっては必要な地域に配布されなかったり、逆に不必要な地域に配布されたりという状況が現に発生しており、共同チラシの印刷製作の難しさがあり、大変不便でもある。
また、一方で同地域での個人商店や小規模製造業者などは、販売広告費が事業規模に見合ったものにならず、チラシの販売チャンスすら無く、良い技術や商品を持ちながら廃業に追い込まれたりしているのが現状である。
【０００５】
一方、インターネットを利用して、同一紙面上に複数の依頼者の広告内容を掲載して配布する共同チラシ広告を作成する共同チラシの広告作成システムとして、例えば、下記に示す特許文献１が挙げられる。
【０００６】
【特許文献１】特開２００２−４２１４４号公報
【０００７】
上記特許文献１は、複数依頼者の広告を同時掲載する共同チラシを作成して広告しようとする場合には、依頼者毎に予算、部数、チラシを配布したい地域や配布希望日等の作成条件が様々であるため、簡単に広告を出すことができないということから成されたものである。
かかる点から、チラシ広告の作成条件が類似する依頼者を効率良くまとめ、共同チラシによる広告を出すようにしたものである。
【０００８】
すなわち、この特許文献１では、依頼者のユーザー端末から、共同チラシの配布地域、配布希望日、部数、紙面上の広告サイズ、紙面上の配置位置等のチラシ作成条件をインターネットを介してシステム側に送信し、システム側では同一紙面の共同チラシ広告として配布できる作成条件が類似している依頼者をまとめることで共同チラシを作成するようにしている。
【０００９】
しかしながら、この特許文献１では、期日までに目標の広告枠数が埋まらなかった場合には、広告企画への参加のキャンセル、配布希望日の延期、広告枠の増加（掲載サイズの増大）のいずれかの選択が迫られ、依頼者の希望通りの配布日、予算の増加、果ては広告のキャンセルという事態に追い込まれることになる。
特に、チラシの同一配布日、同じ配布地域において一定数以上の依頼者が広告企画への参加をすることは、現実的に非常に希有であり、最初に折角申し込んでも、結局は企画の参加をキャンセルせざるを得なくなるのが現実である。また、チラシの配布部数も依頼者によりまちまちであり、この点からも特許文献１での共同チラシの作成は困難である。
【発明の開示】
【発明が解決しようとする課題】
【００１０】
本発明は上述の問題点に鑑みて提供したものであって、少なくとも以下に示す目的を持った共同チラシの作成方法、共同チラシの作成システム、プログラム及び記録媒体を提供するものである。
（１）一般的には週に１回は定期的に配布されるスーパーの新聞折り込みのチラシに共同広告のコーナーを設け、このコーナー部分に複数の広告枠を設けてスーパーのチラシ自体の依頼人及び共同広告の依頼人の双方にとって共同チラシの製作費用の軽減化を図ること。
（２）あるスーパーによる共同チラシの配布日を基に、この配布日による配布地域、配布枚数及び費用が予め決められていて、依頼人が共同広告を申し込んで受け付けられた場合には、必ず共同チラシを配布できるようにすること。
（３）依頼人が載せるチラシの内容（スーパーが掲載する商品内容など）が容易に確認でき、依頼人が安心して共同チラシに参加できるようにすること。
（４）広告申込件数が予め定めた件数より少ない場合には、広告枠を大きくして広告効果を高めること。
（５）全スーパーがチラシを配布している全地域地図からチラシの配布地域を広告依頼人に分かり易くして、チラシの配布地域を即座に決め易くすること。
（６）チラシの費用が分かり、費用の透明性を高めること。
（７）チラシの広告枠の位置をめぐる協議を無くして、スムーズにチラシ全体の版下データの作成に取りかかることができること。
【課題を解決するための手段】
【００１１】
そこで、本発明の請求項１記載の共同チラシの作成方法では、チラシの配布主が配布する該チラシの広告部分以外に設けたスペースに該チラシ配布主以外の広告依頼人が該チラシ配布主と共同して広告を行なう場合の共同チラシの作成方法であって、
前記チラシを印刷する印刷会社が管理するサーバ装置１と、共同広告を依頼する広告依頼人側のクライアント端末３とがインターネット２にて接続されており、
前記サーバ装置１のデータベース１６には、複数のチラシ配布主による新聞の折込みとして配布日がすでに決定済みであって各チラシが配布される決定済みの配布日と、当該配布日にチラシが配布される地域の地図と、当該配布日に配布されるチラシの配布地域における配布枚数とがそれぞれ予め格納されており、
前記サーバ装置１が前記クライアント端末３からのチラシの配布地域と配布日の検索情報を受信する受信ステップと、
前記サーバ装置１が受信した前記チラシの配布地域と配布日の検索情報に基づいて前記データベース１６を検索して該当するチラシの配布地域と配布日を抽出する検索ステップと、
前記検索ステップの結果から前記クライアント端末３の要求に応じて該当するチラシの配布日、配布地域地図及び配布枚数を前記データベース１６から読み出してサーバ装置１が該クライアント端末３に送信する検索結果送信ステップと、
前記検索結果送信ステップによる検索結果により前記クライアント端末３からの広告依頼の申込信号を前記サーバ装置１が受信する広告申込受信ステップと、
前記クライアント端末３からの広告依頼の申込信号の受信後に前記広告依頼人が掲載する共同広告用の版下データと当該チラシ配布主の広告用の版下データとでチラシ全体の版下データを作成する版下作成ステップと
からなることを特徴としている。
【００１２】
請求項２に記載の共同チラシの作成方法では、チラシの配布主が配布する該チラシの広告部分以外に設けたスペースに該チラシ配布主以外の広告依頼人が該チラシ配布主と共同して広告を行なう場合の共同チラシの作成方法であって、
前記チラシを印刷する印刷会社が管理するサーバ装置１と、共同広告を依頼する広告依頼人側のクライアント端末３とがインターネット２にて接続されており、
前記サーバ装置１のデータベース１６には、複数のチラシ配布主による新聞の折込みとして配布日がすでに決定済みであって各チラシが配布される決定済みの配布日と、当該配布日にチラシが配布される地域の地図と、当該配布日に配布されるチラシの配布地域における配布枚数とがそれぞれ予め格納されており、
前記サーバ装置１が前記クライアント端末３からのチラシの配布地域と配布日の検索情報を受信する受信ステップと、
前記サーバ装置１が受信した前記チラシの配布地域と配布日の検索情報に基づいて前記データベース１６を検索して該当するチラシの配布地域と配布日を抽出する検索ステップと、
前記検索ステップの結果から前記クライアント端末３の要求に応じて該当するチラシの配布日、配布地域地図及び配布枚数を前記データベース１６から読み出してサーバ装置１が該クライアント端末３に送信する検索結果送信ステップと、
前記検索結果送信ステップによる検索結果により前記クライアント端末３からの広告依頼の申込信号を前記サーバ装置１が受信する広告申込受信ステップと、
予め定められている共同広告用のスペースから広告申込件数に応じて１件当たりの広告枠５３の大きさを決定する広告枠大きさ決定ステップと、
前記広告枠大きさ決定ステップにて決定された広告枠５３の大きさを共同広告を申し込んだクライアント端末３へ送信する広告枠送信ステップと、
前記大きさが決定された広告枠５３に対応した共同広告用の版下データと当該チラシ配布主の広告用の版下データとでチラシ全体の版下データを作成する版下作成ステップと
からなることを特徴としている。
【００１３】
請求項３に記載の共同チラシの作成方法では、前記サーバ装置１のデータベース１６には、多数の前記チラシ配布主によるチラシの全配布地域の地図が予め格納されており、
前記クライアント端末３が前記サーバ装置１にアクセスした際に、チラシの全配布地域地図をサーバ装置１が該クライアント端末３へ送信する全配布地域地図送信ステップを備えていることを特徴としている。
【００１４】
請求項４に記載の共同チラシの作成方法では、前記サーバ装置１のデータベース１６には、チラシの配布日及び配布地域に対応したチラシ１枚当たりの費用と、配布枚数からの総額とが予め格納されており、
前記チラシ１枚当たりの費用と、配布枚数からの総額とを、前記検索結果送信ステップによるクライアント端末３への検索結果情報の送信の際に含ませていることを特徴としている。
【００１５】
請求項５に記載の共同チラシの作成方法では、前記サーバ装置１のデータベース１６には、前記チラシの版下データ５１が予め格納されており、
前記クライアント端末３からの共同広告申込前に前記サーバ装置１がデータベース１６から版下データ５１を読み出してクライアント端末３へ送信する版下データ送信ステップを備えていることを特徴としている。
【００１６】
請求項６に記載の共同チラシの作成方法では、前記クライアント端末３で作成された広告用版下データを受信すると共に、該広告用版下データを前記データベース１６に格納しておく受信・格納ステップを備えていることを特徴としている。
【００１７】
請求項７に記載の共同チラシの作成方法では、前記チラシ全体の版下データを作成する際に、共同広告の申込順に所定の広告枠５３に広告依頼人の広告を順次割り当てるステップを備えていることを特徴としている。
【００１８】
請求項８に記載の共同チラシの作成システムでは、チラシの配布主が配布する該チラシの広告部分以外に設けたスペースに該チラシ配布主以外の広告依頼人が該チラシ配布主と共同して広告を行なう場合の共同チラシの作成システムであって、
前記チラシを印刷する印刷会社が管理するサーバ装置１と、共同広告を依頼する広告依頼人側のクライアント端末３とがインターネット２にて接続されており、
前記サーバ装置１のデータベース１６には、複数のチラシ配布主による新聞の折込みとして配布日がすでに決定済みであって各チラシが配布される決定済みの配布日と、当該配布日にチラシが配布される地域の地図と、当該配布日に配布されるチラシの配布地域における配布枚数とがそれぞれ予め格納されており、
前記サーバ装置１が前記クライアント端末３からのチラシの配布地域と配布日の検索情報を受信する受信手段と、
前記サーバ装置１が前記受信手段により受信した前記チラシの配布地域と配布日の検索情報に基づいて前記データベース１６を検索して該当するチラシの配布地域と配布日を抽出する検索手段と、
前記検索手段による結果から前記クライアント端末３の要求に応じて該当するチラシの配布日、配布地域地図及び配布枚数を前記データベース１６から読み出してサーバ装置１が該クライアント端末３に送信する検索結果送信手段と、
前記検索結果送信手段による検索結果により前記クライアント端末３からの広告依頼の申込信号を前記サーバ装置１が受信する広告申込受信手段と、
前記クライアント端末３からの広告依頼の申込信号の受信後に前記広告依頼人が掲載する共同広告用の版下データと当該チラシ配布主の広告用の版下データとでチラシ全体の版下データを作成する版下作成手段と
からなることを特徴としている。
【００１９】
請求項９に記載の共同チラシの作成システムでは、チラシの配布主が配布する該チラシの広告部分以外に設けたスペースに該チラシ配布主以外の広告依頼人が該チラシ配布主と共同して広告を行なう場合の共同チラシの作成システムであって、
前記チラシを印刷する印刷会社が管理するサーバ装置１と、共同広告を依頼する広告依頼人側のクライアント端末３とがインターネット２にて接続されており、
前記サーバ装置１のデータベース１６には、複数のチラシ配布主による新聞の折込みとして配布日がすでに決定済みであって各チラシが決定済みの配布される配布日と、当該配布日にチラシが配布される地域の地図と、当該配布日に配布されるチラシの配布地域における配布枚数とがそれぞれ予め格納されており、
前記サーバ装置１が前記クライアント端末３からのチラシの配布地域と配布日の検索情報を受信する受信手段と、
前記サーバ装置１が前記受信手段により受信した前記チラシの配布地域と配布日の検索情報に基づいて前記データベース１６を検索して該当するチラシの配布地域と配布日を抽出する検索手段と、
前記検索手段による結果から前記クライアント端末３の要求に応じて該当するチラシの配布日、配布地域地図及び配布枚数を前記データベース１６から読み出してサーバ装置１が該クライアント端末３に送信する検索結果送信手段と、
前記検索結果送信手段による検索結果により前記クライアント端末３からの広告依頼の申込信号を前記サーバ装置１が受信する広告申込受信手段と、
予め定められている共同広告用のスペースから広告申込件数に応じて１件当たりの広告枠５３の大きさを決定する広告枠大きさ決定手段と、
前記広告枠大きさ決定手段にて決定された広告枠５３の大きさを共同広告を申し込んだクライアント端末３へ送信する広告枠送信手段と、
前記大きさが決定された広告枠５３に対応した共同広告用の版下データと当該チラシ配布主の広告用の版下データとでチラシ全体の版下データを作成する版下作成手段と
からなることを特徴としている。
【００２０】
請求項１０に記載の共同チラシの作成システムでは、前記サーバ装置１のデータベース１６には、多数の前記チラシ配布主によるチラシの全配布地域の地図が予め格納されており、
前記クライアント端末３が前記サーバ装置１にアクセスした際に、チラシの全配布地域地図をサーバ装置１が該クライアント端末３へ送信する全配布地域地図送信手段を備えていることを特徴としている。
【００２１】
請求項１１に記載の共同チラシの作成システムでは、前記サーバ装置１のデータベース１６には、チラシの配布日及び配布地域に対応したチラシ１枚当たりの費用と、配布枚数からの総額とが予め格納されており、
前記チラシ１枚当たりの費用と、配布枚数からの総額とを、前記検索結果送信ステップによるクライアント端末３への検索結果情報の送信の際に含ませていることを特徴としている。
【００２２】
請求項１２に記載の共同チラシの作成システムでは、前記サーバ装置１のデータベース１６には、前記チラシの版下データ５１が予め格納されており、
前記クライアント端末３からの共同広告申込前に前記サーバ装置１がデータベース１６から版下データ５１を読み出してクライアント端末３へ送信する版下データ送信手段を備えていることを特徴としている。
【００２３】
請求項１３に記載の共同チラシの作成システムでは、前記クライアント端末３で作成された広告用版下データを受信すると共に、該広告用版下データを前記データベース１６に格納しておく受信・格納手段を備えていることを特徴としている。
【００２４】
請求項１４に記載の共同チラシの作成システムでは、前記チラシ全体の版下データを作成する際に、共同広告の申込順に所定の広告枠５３に広告依頼人の広告を順次割り当てる手段を備えていることを特徴としている。
【００２５】
請求項１５に記載の共同チラシ作成プログラムでは、チラシを印刷する印刷会社が管理するサーバ装置１と、共同広告を依頼する広告依頼人側のクライアント端末３とがインターネット２にて接続されており、
前記サーバ装置１のデータベース１６には、複数のチラシ配布主による新聞の折込みとして配布日がすでに決定済みであって各チラシが配布される決定済みの配布日と、当該配布日にチラシが配布される地域の地図と、当該配布日に配布されるチラシの配布地域における配布枚数とがそれぞれ予め格納されていて、
前記チラシ配布主と広告依頼人との共同チラシを作成するためにコンピュータを、
前記サーバ装置１が前記クライアント端末３からのチラシの配布地域と配布日の検索情報を受信する受信手段と、
前記サーバ装置１が前記受信手段により受信した前記チラシの配布地域と配布日の検索情報に基づいて前記データベース１６を検索して該当するチラシの配布地域と配布日を抽出する検索手段と、
前記検索手段による結果から前記クライアント端末３の要求に応じて該当するチラシの配布日、配布地域地図及び配布枚数を前記データベース１６から読み出してサーバ装置１が該クライアント端末３に送信する検索結果送信手段と、
前記検索結果送信手段による検索結果により前記クライアント端末３からの広告依頼の申込信号を前記サーバ装置１が受信する広告申込受信手段と、
前記クライアント端末３からの広告依頼の申込信号の受信後に前記広告依頼人が掲載する共同広告用の版下データと当該チラシ配布主の広告用の版下データとでチラシ全体の版下データを作成する版下作成手段と
して機能させることを特徴としている。
【００２６】
請求項１６に記載の共同チラシ作成プログラムでは、チラシを印刷する印刷会社が管理するサーバ装置１と、共同広告を依頼する広告依頼人側のクライアント端末３とがインターネット２にて接続されており、
前記サーバ装置１のデータベース１６には、複数のチラシ配布主による新聞の折込みとして配布日がすでに決定済みであって各チラシが配布される決定済みの配布日と、当該配布日にチラシが配布される地域の地図と、当該配布日に配布されるチラシの配布地域における配布枚数とがそれぞれ予め格納されていて、
前記チラシ配布主と広告依頼人との共同チラシを作成するためにコンピュータを、
前記サーバ装置１が前記クライアント端末３からのチラシの配布地域と配布日の検索情報を受信する受信手段と、
前記サーバ装置１が前記受信手段により受信した前記チラシの配布地域と配布日の検索情報に基づいて前記データベース１６を検索して該当するチラシの配布地域と配布日を抽出する検索手段と、
前記検索手段による結果から前記クライアント端末３の要求に応じて該当するチラシの配布日、配布地域地図及び配布枚数を前記データベース１６から読み出してサーバ装置１が該クライアント端末３に送信する検索結果送信手段と、
前記検索結果送信手段による検索結果により前記クライアント端末３からの広告依頼の申込信号を前記サーバ装置１が受信する広告申込受信手段と、
予め定められている共同広告用のスペースから広告申込件数に応じて１件当たりの広告枠５３の大きさを決定する広告枠大きさ決定手段と、
前記広告枠大きさ決定手段にて決定された広告枠５３の大きさを共同広告を申し込んだクライアント端末３へ送信する広告枠送信手段と、
前記大きさが決定された広告枠５３に対応した共同広告用の版下データと当該チラシ配布主の広告用の版下データとでチラシ全体の版下データを作成する版下作成手段と
して機能させることを特徴としている。
【００２７】
請求項１７に記載の共同チラシ作成プログラムを記録したコンピュータ読み取り可能な記録媒体では、チラシを印刷する印刷会社が管理するサーバ装置１と、共同広告を依頼する広告依頼人側のクライアント端末３とがインターネット２にて接続されており、
前記サーバ装置１のデータベース１６には、複数のチラシ配布主による新聞の折込みとして配布日がすでに決定済みであって各チラシが配布される決定済みの配布日と、当該配布日にチラシが配布される地域の地図と、当該配布日に配布されるチラシの配布地域における配布枚数とがそれぞれ予め格納されていて、
前記チラシ配布主と広告依頼人との共同チラシを作成するためにコンピュータを、
前記サーバ装置１が前記クライアント端末３からのチラシの配布地域と配布日の検索情報を受信する受信手段と、
前記サーバ装置１が前記受信手段により受信した前記チラシの配布地域と配布日の検索情報に基づいて前記データベース１６を検索して該当するチラシの配布地域と配布日を抽出する検索手段と、
前記検索手段による結果から前記クライアント端末３の要求に応じて該当するチラシの配布日、配布地域地図及び配布枚数を前記データベース１６から読み出してサーバ装置１が該クライアント端末３に送信する検索結果送信手段と、
前記検索結果送信手段による検索結果により前記クライアント端末３からの広告依頼の申込信号を前記サーバ装置１が受信する広告申込受信手段と、
前記クライアント端末３からの広告依頼の申込信号の受信後に前記広告依頼人が掲載する共同広告用の版下データと当該チラシ配布主の広告用の版下データとでチラシ全体の版下データを作成する版下作成手段と
して機能させることを特徴としている。
【００２８】
請求項１８に記載の共同チラシ作成プログラムを記録したコンピュータ読み取り可能な記録媒体では、チラシを印刷する印刷会社が管理するサーバ装置１と、共同広告を依頼する広告依頼人側のクライアント端末３とがインターネット２にて接続されており、
前記サーバ装置１のデータベース１６には、複数のチラシ配布主による新聞の折込みとして配布日がすでに決定済みであって各チラシが配布される決定済みの配布日と、当該配布日にチラシが配布される地域の地図と、当該配布日に配布されるチラシの配布地域における配布枚数とがそれぞれ予め格納されていて、
前記チラシ配布主と広告依頼人との共同チラシを作成するためにコンピュータを、
前記サーバ装置１が前記クライアント端末３からのチラシの配布地域と配布日の検索情報を受信する受信手段と、
前記サーバ装置１が前記受信手段により受信した前記チラシの配布地域と配布日の検索情報に基づいて前記データベース１６を検索して該当するチラシの配布地域と配布日を抽出する検索手段と、
前記検索手段による結果から前記クライアント端末３の要求に応じて該当するチラシの配布日、配布地域地図及び配布枚数を前記データベース１６から読み出してサーバ装置１が該クライアント端末３に送信する検索結果送信手段と、
前記検索結果送信手段による検索結果により前記クライアント端末３からの広告依頼の申込信号を前記サーバ装置１が受信する広告申込受信手段と、
予め定められている共同広告用のスペースから広告申込件数に応じて１件当たりの広告枠５３の大きさを決定する広告枠大きさ決定手段と、
前記広告枠大きさ決定手段にて決定された広告枠５３の大きさを共同広告を申し込んだクライアント端末３へ送信する広告枠送信手段と、
前記大きさが決定された広告枠５３に対応した共同広告用の版下データと当該チラシ配布主の広告用の版下データとでチラシ全体の版下データを作成する版下作成手段と
して機能させることを特徴としている。
【発明の効果】
【００２９】
本発明の請求項１記載の共同チラシの作成方法によれば、広告依頼人がチラシへの共同広告を申し込んだ場合には、既に配布が決定されているチラシに広告を申し込むので、必ず共同チラシとして配布されるものであり、広告依頼人の期待に沿うことができる。また、チラシ配布主と広告依頼人との共同チラシのため、双方の共同チラシの製作費用の軽減化を図ることができる。
【００３０】
請求項２に記載の共同チラシの作成方法によれば、広告依頼人がチラシへの共同広告を申し込んだ場合には、既に配布が決定されているチラシに広告を申し込むので、必ず共同チラシとして配布されるものであり、広告依頼人の期待に沿うことができる。また、予め定られている共同広告用のスペースから広告申込件に応じて１件当たりの広告枠５３の大きさが決定されるので、予め定られている広告申込件数に満たない場合には、例えば同一の広告費用で大きな枠の広告枠５３を使用することができ、広告依頼人にとっては多くの広告文等を使用することができる。これにより、広告効果を一層高めることができる。
また、チラシ配布主と広告依頼人との共同チラシのため、双方の共同チラシの製作費用の軽減化を図ることができる。
【００３１】
請求項３に記載の共同チラシの作成方法によれば、前記サーバ装置１のデータベース１６には、多数の前記チラシ配布主によるチラシの全配布地域の地図が予め格納されており、前記クライアント端末３が前記サーバ装置１にアクセスした際に、チラシの全配布地域地図をサーバ装置１が該クライアント端末３へ送信する全配布地域地図送信ステップを備えていることで、広告依頼人にとって、チラシの全配布地域が分かるので、チラシを配布したい地域を即座に決めることができる。
【００３２】
請求項４に記載の共同チラシの作成方法によれば、前記サーバ装置１のデータベース１６には、チラシの配布日及び配布地域に対応したチラシ１枚当たりの費用と、配布枚数からの総額とが予め格納されており、前記チラシ１枚当たりの費用と、配布枚数からの総額とを、前記検索結果送信ステップによるクライアント端末３への検索結果情報の送信の際に含ませているので、広告依頼人にとってはチラシの配布枚数や共同チラシの費用が分かり、非常に透明性を高めることができる。
【００３３】
請求項５に記載の共同チラシの作成方法によれば、前記サーバ装置１のデータベース１６には、前記チラシの版下データ５１が予め格納されており、前記クライアント端末３からの共同広告申込前に前記サーバ装置１がデータベース１６から版下データ５１を読み出してクライアント端末３へ送信する版下データ送信ステップを備えているので、広告依頼人が載せるチラシの広告内容が容易に確認でき、広告依頼人が安心して共同チラシに参加することができる。
【００３４】
請求項６に記載の共同チラシの作成方法によれば、前記クライアント端末３で作成された広告用版下データを受信すると共に、該広告用版下データを前記データベース１６に格納しておく受信・格納ステップを備えているので、クライアント端末３から受信した広告用版下データでもってチラシ全体の版下データを容易に作成することができる。
【００３５】
請求項７に記載の共同チラシの作成方法によれば、前記チラシ全体の版下データを作成する際に、共同広告の申込順に所定の広告枠５３に広告依頼人の広告を順次割り当てるステップを備えているので、チラシの広告枠５３の位置をめぐって協議をする必要もなく、スムーズにチラシ全体の版下データへの作成に取りかかることができる。
【００３６】
請求項８に記載の共同チラシの作成システムによれば、広告依頼人がチラシへの共同広告を申し込んだ場合には、既に配布が決定されているチラシに広告を申し込むので、必ず共同チラシとして配布されるものであり、広告依頼人の期待に沿うことができる。また、チラシ配布主と広告依頼人との共同チラシのため、双方の共同チラシの製作費用の軽減化を図ることができる。
【００３７】
請求項９に記載の共同チラシの作成システムによれば、広告依頼人がチラシへの共同広告を申し込んだ場合には、既に配布が決定されているチラシに広告を申し込むので、必ず共同チラシとして配布されるものであり、広告依頼人の期待に沿うことができる。また、予め定られている共同広告用のスペースから広告申込件に応じて１件当たりの広告枠５３の大きさが決定されるので、予め定られている広告申込件数に満たない場合には、例えば同一の広告費用で大きな枠の広告枠５３を使用することができ、広告依頼人にとっては多くの広告文等を使用することができる。これにより、広告効果を一層高めることができる。
また、チラシ配布主と広告依頼人との共同チラシのため、双方の共同チラシの製作費用の軽減化を図ることができる。
【００３８】
請求項１０に記載の共同チラシの作成システムによれば、前記サーバ装置１のデータベース１６には、多数の前記チラシ配布主によるチラシの全配布地域の地図が予め格納されており、前記クライアント端末３が前記サーバ装置１にアクセスした際に、チラシの全配布地域地図をサーバ装置１が該クライアント端末３へ送信する全配布地域地図送信手段を備えているので、広告依頼人にとって、チラシの全配布地域が分かるので、チラシを配布したい地域を即座に決めることができる。
【００３９】
請求項１１に記載の共同チラシの作成システムによれば、前記サーバ装置１のデータベース１６には、チラシの配布日及び配布地域に対応したチラシ１枚当たりの費用と、配布枚数からの総額とが予め格納されており、前記チラシ１枚当たりの費用と、配布枚数からの総額とを、前記検索結果送信ステップによるクライアント端末３への検索結果情報の送信の際に含ませているので、広告依頼人にとってはチラシの配布枚数や共同チラシの費用が分かり、非常に透明性を高めることができる。
【００４０】
請求項１２に記載の共同チラシの作成方法によれば、前記サーバ装置１のデータベース１６には、前記チラシの版下データ５１が予め格納されており、前記クライアント端末３からの共同広告申込前に前記サーバ装置１がデータベース１６から版下データ５１を読み出してクライアント端末３へ送信する版下データ送信手段を備えているので、広告依頼人が載せるチラシの広告内容が容易に確認でき、広告依頼人が安心して共同チラシに参加することができる。
【００４１】
請求項１３に記載の共同チラシの作成システムによれば、前記クライアント端末３で作成された広告用版下データを受信すると共に、該広告用版下データを前記データベース１６に格納しておく受信・格納手段を備えているので、クライアント端末３から受信した広告用版下データでもってチラシ全体の版下データを容易に作成することができる。
【００４２】
請求項１４に記載の共同チラシの作成システムによれば、前記チラシ全体の版下データを作成する際に、共同広告の申込順に所定の広告枠５３に広告依頼人の広告を順次割り当てる手段を備えているので、チラシの広告枠５３の位置をめぐって協議をする必要もなく、スムーズにチラシ全体の版下データへの作成に取りかかることができる。
【００４３】
請求項１５に記載の共同チラシ作成プログラムによれば、本発明の方法の実施に好適例のプログラムを提供でき、上記と同様の作用効果を奏する。
【００４４】
請求項１６に記載の共同チラシ作成プログラムによれば、本発明の方法の実施に好適例のプログラムを提供でき、上記と同様の作用効果を奏する。
【００４５】
請求項１７に記載の共同チラシ作成プログラムを記録したコンピュータ読み取り可能な記録媒体によれば、本発明の方法の実施に適したプログラムを記録した記録媒体であり、上記と同様の作用効果を奏する。
【００４６】
請求項１８に記載の共同チラシ作成プログラムを記録したコンピュータ読み取り可能な記録媒体によれば、本発明の方法の実施に適したプログラムを記録した記録媒体であり、上記と同様の作用効果を奏する。
【発明を実施するための最良の形態】
【００４７】
以下、本発明の実施の形態を図面を参照して詳細に説明する。本発明の共同チラシの製作システムを企画、運営する印刷会社は、新聞の折り込みのチラシを印刷する会社であり、多数のチラシ配布主からの依頼により、コンピュータによりチラシの版下を作成し、この版下を元に印刷してチラシを作成している。そして、チラシを印刷した後は、チラシ配布主が配布を希望する各地域（地区）の新聞販売店まで配送する。
そして、チラシは新聞の折り込みチラシとして朝刊と共に各家庭に配布されることになる。
【００４８】
ここで、チラシ配布主は、食品スーパーや、食品、衣料、雑貨等の種々の商品の販売を行なっているスーパーマーケットや、所謂ディスカウントスーパー、小売り店等であり、チラシを配布する業者であれば、どのような配布主（広告主体）でも良い。
以下の説明では、チラシ配布主をスーパー（スーパーマーケット）を例として説明する。
【００４９】
印刷会社がチラシ作成の依頼を受けるスーパーは、例えば、京都府、大阪府、滋賀県等の比較的広い地域にわたり、スーパーの数もかなりの数に達している。もちろん全国的に展開している場合も含むものである。また、スーパーのチラシを折り込む新聞も、１社のみではなく、一般的には、Ａ新聞、Ｍ新聞、Ｙ新聞等の全国紙に折り込んでチラシを配布している。また、多くはないがＮ経済新聞にもチラシを折り込む場合もある。
スーパーはチラシを配布しようとする場合に、配布日はもちろん配布する地域を決め、その決めた地域にある各新聞の販売店に各販売店が配る新聞の部数に応じたチラシの枚数を印刷会社に依頼して、その枚数のチラシを印刷会社が各地域の新聞販売店に配送するようになっている。
【００５０】
図１は各スーパーがチラシを配布する場合の配布地域と配布枚数の一例を示しており、Ａスーパーでは、ａ地域で各新聞に折り込む合計の例えば１００００枚のチラシを配布するようにしている。また、各スーパーにおいて、定期的にチラシを配布する地域や枚数は通常は決まっており、自己の店を中心に何キロメートルの範囲で配布するようにしている。
また、ＡスーパーとＢスーパーとが近くにある場合もあり、図１ではＢスーパーが配布する地域をｂ地域としているが、両スーパーが隣接する場合には、Ｂスーパーの配布地域はＡスーパーと同様のａ地域となる。
【００５１】
印刷会社は、取り引きのある各スーパーの店名、配布日、配布地域及び配布枚数を契約により確定しており、これをデータベース化している。特に、電子地図データに取り引きのあるスーパーの位置、店名及び店舗写真を貼り付けて、全体の地図と、地域別の地図とをデータベース化している。
【００５２】
次に、本発明の共同チラシの製作システムについて説明する。図２は共同チラシの製作システムの概略を示すブロック図を示し、印刷会社が管理するサーバ装置１と、このサーバ装置１にインターネット２を介して接続される多数のクライアント端末３とから構成されている。クライアント端末３は、共同広告を印刷会社に依頼する広告依頼人側のコンピュータであり、電子メールやＷｅｂブラウザのソフトウエアがインストールされている一般のパソコンである。
【００５３】
図３は上記サーバ装置１のブロック図を示し、このサーバ装置１はコンピュータからなっている。このサーバ装置１は、入力装置１１、出力装置１２、表示装置１３、主制御装置１４、メモリ１５およびデータベース１６等で構成されている。
上記入力装置１１は、キーボード、マウス、フロッピーディスクドライブ、スキャナー、ＣＤ−ＲＯＭやＤＶＤなどのドライブ装置等からなり、また、出力装置１２は、プリンター、フロッピーディスクドライブ、ＣＤ−ＲＯＭやＤＶＤなどのドライブ装置等からなっている。表示装置１３は、液晶ディスプレイやＣＲＴディスプレイ等である。
【００５４】
ＣＰＵ等で構成される主制御装置１４は、サーバ装置１全体の制御を所定のプログラムの手順に沿って行なうものであり、また、メモリ１５は、上記制御用のプログラムを格納しているＲＯＭや、クライアント端末３からのデータを一時的に格納するＲＡＭ等で構成されている。
データベース１６は、スーパー別フォルダ１７と全地域地図データフォルダ１８等で構成されており、このデータベース１６には、各スーパーが配布日がすでに決定済みの所定の日に配布するチラシの版下データや配布地図のデータなど種々の各種のデータが格納される。
【００５５】
図４は上記主制御装置１４の機能ブロック図を示し、各部の詳細な機能は後述するが、チラシ版下作成部２１は、各スーパーが配布するためのチラシの版下を作成するものであり、カウンタ制御部２２は、クライアント端末３から入力される共同広告の申込件数をカウントする機能等を有している。クライアントデータ保存制御部２３は、各クライアント端末３からの各データの保存処理を行なう機能を有している。
期日制御部２４は、チラシの配布日より以前のクライアント端末３からの申込の締め切り期日を設定するものであり、サーバ装置１側で設定される。広告枠数制御部２５は、チラシの大きさにより広告枠の数が決められるようになっており、チラシの一部に設けている共同広告スペースから自動あるいは手動で決められる。この手動の場合には入力装置１１からオペレータが入力する。
【００５６】
広告枠演算・決定制御部２６は、上記広告枠数制御部２５にて設定されている広告枠数に申込件数が達しなかった場合に、広告スペースに合うように広告枠の面積を広げるべく広告枠の大きさを演算し、決定するものである。また、通知制御部２７は、決定された広告枠の大きさをクライアント端末３へインターネット２を介して電子メールにて通知する機能を有しているものである。
サーバ装置用表示制御部２８は、サーバ装置１側でチラシの版下やクライアント端末３からの広告の表示処理を行なう機能を有している。
【００５７】
電子メールサーバ部２９は、上記通知制御部２７により制御されてクライアント端末３に対して電子メールの送受信を行なう機能を有しており、地図表示制御部３０は、データベース１６から地図データを読み出して、印刷会社が取り扱っているチラシ配布の全地域や各スーパーごとのチラシ配布の地域の地図をサイト上（クライアント端末３の画面）に表示制御させる機能を有している。
店舗表示制御部３１は、上記地図表示制御部３０にてチラシ配布の地図を表示させた際にチラシを配布する新聞販売店の位置とその販売店名や、チラシの配布主であるスーパーの位置、店名、店舗写真などをデータベース１６から読み出して表示させるものである。
【００５８】
配布内容表示制御部３２は、クライアント端末３からアクセスがあった場合に、該当するスーパーがチラシを配布する配布日、配布枚数、チラシ１枚当たりの広告単価や総額の費用をデータベース１６から読み出して表示させるものである。チラシ版下表示制御部３３は、該当するスーパーのチラシ版下のデザインをクライアント端末３側に表示させたり、クライアント端末３からの広告依頼人が作成した後の商品の売価を伏せたチラシ全体の版下デザインなどをデータベース１６から読み出して表示させる機能を有している。
【００５９】
広告申込確認制御部３４は、クライアント端末３から共同広告の申し込みの確認（登録）があった場合に、当該クライアント端末３からの申込確定をデータベース１６に格納させる機能を有している。また、検索制御部３５は、クライアント端末３からサーバ装置１にアクセスして、希望するチラシの配布日や配布地域を検索する機能を有している。
また、広告データ制御部３６は、データベース１６の広告枠データファイル４１（図６参照）から共同広告の申込件数に応じて決定されて格納されている広告枠を読み出して表示させるものである。チラシデータ保存制御部３７は、クライアント端末３から広告枠に広告文等を入力して、広告内容がＯＫの場合に、該広告の保存や、サーバ装置１側で作成した広告文や、広告依頼人が直接持ち込んだり、郵送した広告文のデータ等の保存や、各スーパーのチラシのデータを保存処理を行なう機能を有している。
【００６０】
また、広告日表示制御部３８は、クライアント端末３からサーバ装置１にアクセスがあった場合に、既にチラシの配布日（広告日）が決定しているのを表示させるものであり、例えば、クライアント端末３の画面にカレンダー形式にて広告日の一覧を表示させるようにしている。
【００６１】
図５は上記データベース１６の構造を示しており、各スーパーのデータを格納するスーパー別フォルダ１７は、各スーパーごとに対応したフォルダからなっている。ここでは、Ａスーパーに対応したフォルダを１７ａとし、Ｂスーパーに対応したフォルダを１７ｂとし、以下、Ｎスーパーに対応したフォルダ１７ｎを備えている。
データベース１６の全地域地図データフォルダ１８は、印刷会社と契約している各スーパーがチラシを配布している全地域にわたる地図のデータが格納されており、例えば、京都府、大阪府、滋賀県等において実際に配布されている地域に着色した地図データとして格納されている。
【００６２】
図６はデータベース１６のスーパー別フォルダ１７内のＡスーパーのファイル構成図を示している。他のＢスーパー以降も同じ構成なので、Ａスーパーの場合について説明する。Ａスーパーフォルダ１７ａの下層には複数の配布日データフォルダ３９（３９ａ、３９ｂ・・・）が設けてあり、例えば、１週間後のチラシの配布日に対応した配布日データは、配布日データフォルダ３９ａに格納され、２週間後のチラシの配布日に対応した配布日データは、別の配布日データフォルダ３９ｂに格納されるようになっている。つまり、同一のスーパーが配布する日が複数ある（配布日が異なる）場合に対応して複数の配布日データフォルダ３９を持たせている。
【００６３】
図６に示すように、配布日データフォルダ３９（３９ａ）の下層には、申込期日データファイル４０、広告枠データファイル４１、申込件数データファイル４２、クライアントデータファイル４３、版下データファイル４４、配布地域地図データファイル４５、チラシデータファイル４６及び完成版下データファイル４７が設けられている。
【００６４】
申込期日データファイル４０は、当該共同広告の締め切り期日データが格納されるものであり、サーバ装置１の入力装置１１からオペレータにて入力される。広告枠データファイル４１は、広告枠数制御部２５や広告枠演算・決定制御部２６により決定された広告枠の大きさのデータを格納しておくものである。
申込件数データファイル４２は、予め定めた申込件数や、カウンタ制御部２２からの共同広告の申込件数を格納しておくものである。
【００６５】
クライアントデータファイル４３は、Ａスーパーに共同チラシの広告を申し込んだ依頼人のクライアント端末３から送信された広告内容等の広告用版下データ、メールアドレス、パスワードなどの広告依頼人に関するデータが保存されるものであり、複数の広告依頼人に対応した記憶領域が設けられている。
版下データファイル４４は、Ａスーパーがその配布日に配布するチラシの版下データが保存されるようになっており、共同広告のスペースの部分を除いたデザインの版下データである。また、チラシ配布前に公開することから、チラシ掲載の商品の値段を付した版下データと、値段を削除した版下データとの両方の版下データを記憶させる領域が設けられている。
【００６６】
配布地域地図データファイル４５は、Ａスーパーがチラシの配布日に配布する地図データが格納されており、また、チラシデータファイル４６には、当該スーパーの位置、店舗名、店舗写真、チラシの配布日、配布枚数、チラシの大きさによるチラシ１枚当たりの広告依頼人が支払う単価と、その単価に配布枚数を掛けた総額の費用等の各データが格納されている。
完成版下データファイル４７は、チラシ版下作成部２１により、クライアントデータファイル４３に格納されている広告依頼人の広告文等の広告用版下データと、版下データファイル４４の版下データとを組み合わせて完成させた（作成された）印刷用のチラシの版下データが保存される。
【００６７】
次に、本発明の共同チラシの製作システムの作用について説明する。先ず、チラシを配布しようとするスーパーはそれぞれチラシの版下を作成する。現在チラシの版下作成は、コンピュータで行なわれており、図４に示すチラシ版下作成部２１にて本サーバ装置１でチラシの版下を作成するようにしても良い。なお、このチラシ版下作成部２１に本発明者が発明した特許第３３０８２６１号にかかる機能を持たせてチラシの版下を作成するようにしても良い。
コンピュータによるチラシの版下自体の作成は、既に周知であり、また、本発明の要旨ではないので、説明は省略する。
【００６８】
図７は、上記チラシ版下作成部２１にて作成された、あるスーパーのチラシの版下データ５１の一例を示しており、データベース１６の版下データファイル４４に格納されている。この版下データ５１には、スーパー側と印刷会社側との打ち合わせにて共同広告のスペースを決めた共同広告部５２以外の箇所に商品とその価格がレイアウトされる。チラシの大きさは任意の大きさで良く、また、共同広告部５２のスペースも任意に設定できる。
図７に示す例では、共同広告部５２に掲載する広告枠５３の数を５つの場合としており、また、広告枠５３の配置はこの例では上下方向としているが、どのような配置構成でも良い。なお、共同広告部５２では、「コラボコーナー」とした名称を用いている。
【００６９】
なお、チラシのどこに共同広告部５２を配置するかはチラシの配布主が任意に設定でき、チラシの大きさに応じて表の半分を自己の商品の広告とし、残りの半分を共同広告部５２としても良い。また、チラシの表の全面に自己の商品の広告とし、裏面の全体を共同広告用の共同広告部５２としてのスペースを取るようにしても良い。
【００７０】
ここで、図７に示す版下データ５１では、商品の値段を掲載しているが、この版下データ５１は広告依頼人がクライアント端末３から申し込む際に公開される（クライアント端末３の画面に表示される）ので、この公開される版下データ５１は値段を伏せるようにしている。
そこで、作成された版下データ５１を図６に示す版下データファイル４４に保存する場合に、図４に示すチラシ版下作成部２１により図８に示すように、値段を伏せた版下データ５１を作成し、図７及び図８に示す両版下データ５１をチラシデータ保存制御部３７によりデータベース１６の版下データファイル４４にそれぞれ格納しておく。
【００７１】
また、チラシの版下データ５１を作成する場合には、該チラシの配布日、配布地域、配布枚数、チラシの単価及び総額が決められるので、チラシの配布日データを配布日データフォルダ３９を介してチラシデータファイル４６に店舗名などと共に格納する。また、上記版下データ５１は版下データファイル４４に格納される。
さらに、チラシデータ保存制御部３７によりデータベース１６の全地域地図データフォルダ１８からチラシを配布する地域の該当する地図データを読み出して配布地域地図データファイル４５に格納される。
【００７２】
また、チラシの印刷から配布までの費用として、チラシ１枚が例えば、１０円とした場合、ここでは図７に示すように５つの広告枠５３を設けていて、１つの広告枠５３の費用として、例えば、１円あるいは５０銭とし、その単価及び総額（単価×配布枚数）のデータをチラシデータファイル４６に格納する。例えば、５つの広告枠５３に５人が共同広告を申し込んだ場合、１つの広告枠５３がチラシ１枚当たりの費用が１円とすると、５人の広告依頼人が合計５円を負担し、残りの５円をスーパーが負担するようにしている。これにより、スーパー側での広告の費用の負担を軽減化することができる。
なお、チラシに関する各種のデータをデータベース１６に保存する場合には、図４に示す主制御装置１４のチラシデータ保存制御部３７により保存制御される。
【００７３】
このようにして、各スーパーあるいは印刷会社は、所定の期日までに、配布日を基準として版下データを作成し、サーバ装置１側では、版下データを元にチラシに関する各種のデータを各スーパーごとのスーパー別フォルダ１７にそれぞれ格納しておく。
なお、チラシのデータの格納は、サーバ装置１側のオペレータが入力操作により格納するようにしても良く、また、前記特許第３３０８２６１号による場合では、各種のデータを受け取る際にチラシデータ保存制御部３７が自動で順次格納するようにしても良い。
【００７４】
次に、広告依頼人がクライアント端末３からインターネット２を介してサーバ装置１にアクセスして、共同チラシの広告を申し込む場合の動作について説明する。先ず、図９のステップＳ１に示すように、広告依頼人のクライアント端末３から印刷会社が管理しているサーバ装置１のサイトへインターネット２を介してアクセスすると、自己のクライアント端末３の液晶ディスプレイの表示部６０には、図１２に示すような画面が表示される。
この図１２に示されている画面の次ボタン６１をマウスポインタでクリックすると、クライアント端末３の表示部６０には図１３に示すような画面が表示される。
【００７５】
図１３に示す画面が表示されると、図９のステップＳ２に示すように、印刷会社と契約している全スーパーがそれぞれチラシを配布している新聞折込地図の広域地図がクライアント端末３の表示部６０の地図表示部６２に表示される。なお、図１３では広域地図の所定のポイントをクリックして一地域を拡大して表示させている例である。
これは、次ボタン６１がクリックされることで、主制御装置１４の地図表示制御部３０がデータベース１６の全地域地図データフォルダ１８から地図データを取り込んでクライアント端末３の画面に電子地図として表示させる。
ここで、チラシを配布している地域、例えば、京都府、大阪府、滋賀県の地図が表示され、実際に配布している地域に着色が施されていて、配布地域が容易に認識できるようになっている。
【００７６】
また、地図表示部６２における広域地図の表示と共に、広告日一覧表示部６８にはカレンダー形式としてチラシの広告日（配布日）が表示されるようになっている。例えば、広告日はその日は赤色としたり、配布のない日とは異なる色で着色するようにする。
また、広告日一覧表示部６８の画面上のボタン６９ａをクリックと翌月のカレンダーが表示され、先月に戻る場合には、下側のボタン６９ｂをクリックすることで戻ることができる。
【００７７】
図１３及び図９のステップＳ３に示すように、広告日一覧表示部６８におけるカレンダーの日にちの数字（例えば、２月１０日）をクリックすると、その日に配布される地域が着色された地図が地図表示部６２に表示されるようになっている（ステップＳ４参照）。これにより、チラシを配布する当該日にはどの地域でチラシが配布されるか一目で認識できる。
また、地図表示部６２にて表示される地図画面を拡大していくと、配布主のスーパーの店舗位置も表示される（ステップＳ４参照）。
【００７８】
ここで、サーバ装置１の主制御装置１４の広告日表示制御部３８により、データベース１６のスーパー別フォルダ１７の各チラシデータファイル４６より配布日である広告日を読み出して広告日一覧表示部６８に表示させている。また、広告日一覧表示部６８のカレンダーの数字がクリックされた場合には、主制御装置１４の地図表示制御部３０により該当する配布日に対応した配布地域地図データファイル４５から地図データを読み出してクライアント端末３の地図表示部６２に表示させると共に、その部分を着色して表示させる。
【００７９】
また、主制御装置１４の店舗表示制御部３１により店舗の位置データを読み出してクライアント端末３の地図表示制御部３０に表示させる。なお、この場合、地図表示制御部３０における地図表示が所定の大きさに拡大された場合に表示させるようにしている。これは、広域地図表示の場合では、多数のスーパーが表示されて、視認性を悪くするからである。
【００８０】
なお、クライアント端末３の画面上に表示されている、例えば京都市の地図の上をクリックすると、地区別の印刷会社に共同チラシとして加盟しているスーパーの一覧を表示させるようにしても良い。さらに、京都市の地図を拡大操作して、例えば、右京区の部分をクリックした場合には、右京区内に存続しているスーパーの一覧を表示させるようにしても良い。
【００８１】
次に、図９に示すステップＳ５に移行して、地図表示部６２にチラシを配布したい地域が無ければ、図１３に示す戻りボタン６３をクリックするが、配布したい地域があれば、表示部６０の画面に表示されている地域名入力欄６４に地域名を、広告日入力欄６５に広告日（チラシの配布日）をそれぞれ自己のクライアント端末３のキーボードなどで入力する。
地域名と配布日を入力し、画面の検索ボタン６６をクリックすると（図９のステップＳ６参照）、該当するスーパー名が１店あるいは複数店の名前が画面上の店名表示部６７に表示されるようになっている。
【００８２】
ここで、検索ボタン６６がクリックされると、図４に示すサーバ装置１の主制御装置１４の検索制御部３５が、入力された地域と配布日に該当するスーパーをデータベース１６のスーパー別フォルダ１７から検索する。
【００８３】
図１０においてステップＳ７の検索結果から該当するスーパーが無いか、あるいは所定の申込件数に達している（図７の例では５件）場合には、図１４に示す地図表示部６２に「現在すでに申込件数がいっぱいです。終了するか内容を変更して下さい。」の文字が表示される。そこで、ステップＳ８に示すように、申込を終了するか配布日、配布地域のいずれか、あるいは両方を変更する。
終了する場合には、ステップＳ８からステップＳ９に移行して画面上の終了ボタン７０をクリックして申込を終了する。また、配布日、配布地域を変更する場合には、変更ボタン７１をクリックしてステップＳ８から図９のステップＳ５に戻る。
【００８４】
ステップＳ７に示す検索結果において、該当するスーパーがあれば、図１５に示すように、クライアント端末３の画面の店名表示部６７には該当する１店または複数店のスーパー名が表示される（ステップＳ１０参照）。そして、店名表示部６７にて表示されているスーパー名の箇所をクリックすると、図１６に示すように、画面の地図表示部６２には当該スーパーのチラシの配布地図が表示されると共に、該スーパーの店舗名、及び店舗の位置が電子地図上に表示される。
また、同時に店舗写真表示部７７には当該スーパーの店舗の写真が表示される。さらに、同時に画面の配布内容表示部７２には、当該チラシの配布日、配布枚数、１枚当たりの単価、及び総額の金額が表示される（ステップＳ１１参照）。
【００８５】
なお、スーパーの店舗写真をクライアント端末３の画面上に表示させることで、広告効果を上げることができ、広告依頼人に共同広告の参加をしたいという気持ちを高めることができる。
また、スーパー名や店舗写真からどのような商品を販売しているか（扱っているか）を共同チラシの参加者にとって認識することができる。すなわち、共同チラシの参加者が販売しようとしている商品とスーパーが販売している商品と同じである場合には、事前に共同チラシへの参加を取り止めることができ、逆に異なる商品である場合には、共同チラシへの参加の意欲を高めることができる。
【００８６】
ここで、店名表示部６７に表示されているスーパー名がクライアント端末３の画面上でクリックされると、その信号を受けたサーバ装置１の主制御装置１４の地図表示制御部３０がデータベース１６の配布地域地図データファイル４５から地図データを読み出してサイト上で表示させるようにしている。
また、主制御装置１４の店舗表示制御部３１がデータベース１６のチラシデータファイル４６から当該スーパーの店舗名データ及び位置データを読み出して画面上に店舗名と位置を表示させるようにしている。さらに、主制御装置１４の配布内容表示制御部３２が、データベース１６のチラシデータファイル４６からそれぞれ配布日データ、配布枚数データ、単価データ及び総額データを読み出してサイト（クライアント端末３の画面）上に表示させるようにしている。
【００８７】
また、図１１のステップＳ１２において、図１６に示すデザインボタン７３をクリックすると、選択している当該スーパーのチラシの版下データが表示される。これは、サーバ装置１の主制御装置１４のチラシ版下表示制御部３３によりデータベース１６のスーパー別フォルダ１７の版下データファイル４４から選択されているスーパーの版下データが図１７に示すように、クライアント端末３の地図表示部６２に表示されるものである。これにより、広告依頼人が自己のクライアント端末３にてどのようなチラシのデザインかを確認することができる。
【００８８】
なお、チラシの版下データを表示させるのに、ここではデザインボタン７３をクリックした場合に表示させるようにしているが、図１０に示すステップＳ１１において、クライアント端末３の画面に別枠を設けて、そこで版下データを表示させるようにしても良い。
【００８９】
ここで、図１７に示すように、クライアント端末３の画面に表示される版下データ５１において、商品の値段は伏せてある。これは、版下データ５１が一般に公開されるからであり、チラシの配布前には商品売価に関して守秘義務があるからである。
【００９０】
そして、所望のスーパーを決定する場合、つまり共同広告を申し込むスーパーを決定する場合には、図１６に示す画面上の決定ボタン７４をクリックすると（ステップＳ１３参照）、図１８に示す画面が表示される。
図１１のステップＳ１４において、共同広告を申し込まない場合には図１８に示す終了ボタン７５をクリックして終了するが、共同広告を申し込む場合は共同広告申込ボタン７６をクリックする。この共同広告申込ボタン７６をクリックすると、クライアント端末３の画面は図１９に示す画面となる。
【００９１】
そして、図１１のステップＳ１５に示すように、メールアドレス入力欄８０には広告依頼人のクライアント端末３のメールアドレスを入力し、また、パスワード入力欄８１には任意のパスワードを入力する。なお、このステップＳ１５ではパスワードを入力するようにしているが、パスワードの入力を省略するようにしても良い。
次に、次ボタン８２をクリックすると、ステップＳ１６及び図２０に示すように、クライアント端末３の画面の店名表示部６７には選択したスーパー名が表示され、地図表示部６２には当該スーパーのチラシが配布される地域の新聞折込地図（電子地図）が表示され、さらに、配布内容表示部７２にはチラシの配布日、配布枚数、広告費用の総額が表示される。
【００９２】
広告依頼人が自己のクライアント端末３の画面を見て、内容に間違いが無ければ、画面上の確認ボタン８３をクリックすると（図１１のステップＳ１７参照）、図２１に示す画面が表示される。この画面には、「共同広告の申し込みを受け付けました。後ほど広告枠の大きさをＥメールにて通知します。」の文字が表示される。
【００９３】
また、確認ボタン８３がクリックされると、図４に示すサーバ装置１の主制御装置１４のクライアントデータ保存制御部２３は、入力されたメールアドレス、パスワードを図６に示すデータベース１６のクライアントデータファイル４３に格納する。
上記のクライアント端末３からサーバ装置１へのアクセスや、サーバ装置１でのクライアント端末３からのデータの受信、保存処理等が各配布日、配布地域に応じたチラシの共同広告の申込件数が所定の広告枠数に達するまで、あるいは所定の期日になるまで行なわれる。
【００９４】
次に、図２２〜図２５によりサーバ装置１側の制御動作について説明する。先ず、図２２のステップＳ３１において、クライアント端末３からサーバ装置１にアクセスがあり、図１２に示す次ボタン６１がクリックされた場合にはステップＳ３２に移行する。サーバ装置１側ではクライアント端末３からの信号により主制御装置１４の地図表示制御部３０によりチラシが配布されている全地域の地図データをクライアント端末３側に送ると共に、広告日表示制御部３８により広告日（配布日）が既に決定している日データをクライアント端末３に送って、クライアント端末３の画面にチラシの全配布地域地図を広告日の一覧を表示させる。
【００９５】
次に、ステップＳ３３に進んで、クライアント端末３から広告日一覧表示部６８にて表示されているカレンダーの日にちの数字がクリックされた場合にはステップＳ３４に移行する。ステップＳ３４においては、サーバ装置１の主制御装置１４の地図表示制御部３０によりクリックされた日にちに該当する１店舗または複数店舗のスーパーのチラシの配布地域の地図データをクライアント端末３に送信し、該当日のチラシの配布地図をクライアント端末３の画面に表示させる。
【００９６】
次に、図２３のステップＳ３５において、クライアント端末３からサーバ装置１側に配布日データ（広告日入力欄６５からの入力）と、配布地域データ（地域名入力欄６４からの入力）の入力があった場合には、ステップＳ３６に示すように、主制御装置１４の検索制御部３５によりデータベース１６内での検索処理が行なわれる。
そして、ステップＳ３７に示すように、検索制御部３５にて、配布日データと配布地域データが共に条件が合致するスーパーがあったかを判断し、該当しない場合にはステップＳ３８に移行して該当しない旨をクライアント端末３の地図表示部６２に表示させる。なお、図１４では申込件数がいっぱいの場合の表示がなされているが、この場合では、「該当無し」の文字が表示される。
【００９７】
ステップＳ３７で、条件が合致するスーパーがあった場合には、ステップＳ３９に移行し、広告申込確認制御部３４にてデータベース１６の申込件数データファイル４２のデータにより所定の申込件数に達しているかが判断される。所定の申込件数に達している場合には、ステップＳ４０に移行してその旨が表示される（図１４参照）。
ステップＳ３９において、申込件数が未だ所定の件数に達していない場合には、ステップＳ４１に移行して店舗表示制御部３１によりデータベース１６から読み出して該当するスーパーの店名を表示させる。
【００９８】
次に、図２４のステップＳ４２に進んで、クライアント端末３側で表示されているスーパー名がクリックされると、クリックされた（選択された）スーパーのチラシの配布の内容のデータをデータベース１６から抽出し、その内容をクライアント端末３側に表示させる。
すなわち、図４に示す地図表示制御部３０によりデータベース１６の該当する配布日の配布日データフォルダ３９より下層の配布地域地図データファイル４５から該当する地図データを読み出してクライアント端末３側に表示させ、また、配布内容表示制御部３２によりデータベース１６のチラシデータファイル４６から該当する配布日、配布枚数、広告費用であるチラシ１枚当たりの単価及び総額を読み出してクライアント端末３側に表示させる。また、同時に店舗表示制御部３１によりデータベース１６のチラシデータファイル４６から店舗写真データを読み出してクライアント端末３に表示させる。
【００９９】
また、ステップＳ４２からステップＳ４３に進んで、クライアント端末３から選択されているスーパーのデザインボタン７３がクリックされた場合には、サーバ装置１の主制御装置１４のチラシ版下表示制御部３３によりデータベース１６の版下データファイル４４から図８に示す版下データ５１を読み出して、該版下データ５１をクライアント端末３の画面上に表示させる。
次に、ステップＳ４４に進んで、広告依頼人により共同広告を申し込むスーパーが決定され、クライアント端末３側で共同広告申込ボタン７６がクリックされて共同広告の申し込みがなされた場合にはステップＳ４５に移行する。
【０１００】
ステップＳ４５では、クライアント端末３からメールアドレスとパスワードが送られてくるので、主制御装置１４側ではクライアントデータ保存制御部２３によりデータベース１６のクライアントデータファイル４３にクライアント端末３別にメールアドレスやパスワードを格納していく。
また、ステップＳ４６に移行して、主制御装置１４の地図表示制御部３０により当該スーパーがチラシを配布する地域の地図データをデータベース１６の配布地域地図データファイル４５から、店舗表示制御部３１により当該スーパーの店舗名データ、店舗の位置データ、店舗写真などをチラシデータファイル４６から、配布内容表示制御部３２によりチラシデータファイル４６から、地図データ、スーパー名データ、配布日データ、配布枚数データ、広告費用の総額データ等をそれぞれ読み出してクライアント端末３の画面上にそれぞれ表示させる。
【０１０１】
次に、図２５に示すステップＳ４７に示すように、クライアント端末３から確認ボタン８３がクリックされた場合には、サーバ装置１の主制御装置１４の広告申込確認制御部３４により該クライアント端末３の共同広告の申し込みをデータベース１６のクライアントデータファイル４３に保存処理を行なう。
また、ステップＳ４８に示すように、主制御装置１４のカウンタ制御部２２により申込件数をカウントアップして該申込件数データをデータベース１６の申込件数データファイル４２に保存処理を行なう。
【０１０２】
さらに、ステップＳ４９において、申込期日データファイル４０から予め設定している申込期日データ（締め切り期日データ）をタイマー機能を有する期日制御部２４が読み出して現在日時と比較し、申込期日（締め切り期日）になっている場合にはステップＳ５０に移行する。ステップＳ５０では、広告枠数制御部２５により申込件数データファイル４２から共同広告の申込件数データを読み出して申込件数を確認する。
ステップＳ５０において、チラシに予め割り当てられた申込件数に達している場合にはステップＳ５２に移行し、広告枠数制御部２５により予め定められている広告枠の横何ｃｍ×縦何ｃｍのスペース（大きさ）を決定し、データベース１６の広告枠データファイル４１に格納する。
【０１０３】
ステップＳ５０において、予め割り当てられている申込件数に達しない場合にはステップＳ５１に移行し、広告枠演算・決定制御部２６により、全体の広告スペースと申込件数から１件当たりの広告枠のスペースを演算をして決定を行ない、その広告枠の横何ｃｍ×縦何ｃｍのスペースを上記広告枠データファイル４１に上書き等の保存処理を行なう。
【０１０４】
次に、ステップＳ５３に示すように、決定された広告枠のスペース（大きさ）を主制御装置１４の通知制御部２７により広告枠データファイル４１から読み出すと共に、電子メールサーバ部２９を駆動制御して電子メールにより広告依頼人の各クライアント端末３へ送信する。
【０１０５】
ここで、図１７に示すように、この例ではチラシの共同広告の枠数（申込件数）を５つとしており、５件の申込があった場合には、図１７に示す予め定められているスペース（大きさ）が広告枠５３となる。しかし、上記図２５のステップＳ５１において、申込件数が２件の場合は、本実施形態では図１７に示す予め定めた大きさのスペースの広告枠５３ではなく、図２６に示すように、共同広告部５２の面積の略１／２の大きさのスペースを広告枠５３としている。
また、申込件数が１件の場合は、図２７に示すように、共同広告部５２のほぼ全体のスペースの大きさとした広告枠５３となる。この広告枠５３の大きさの演算処理は図４に示す主制御装置１４の広告枠演算・決定制御部２６にて行なわれる。
【０１０６】
なお、共同広告の申込数に関係なく１件当たりの費用は固定されており、申込数が１件でも５件の場合でも費用は同じである。そのため、申込件数が１件の場合では同じ費用で５倍の大きさの広告枠５３を使用することができる。
また、共同広告の申込がゼロの場合は、この共同広告部５２の部分に共同広告が行なえる旨の広告を行なったり、あるいはスーパーの商品広告を行なうようにしても良い。この場合、チラシの印刷、配布を依頼しているスーパー側がチラシの費用を全面的に負うことになる。
【０１０７】
次に、クライアント端末３側から共同広告の広告の作成について説明する。図２８のステップＳ６１に示すように、サーバ装置１からクライアント端末３に広告枠の大きさの旨の通知があった場合にはステップＳ６２に移行し、当該広告依頼人のクライアント端末３よりサーバ装置１のサイトにアクセスする。
ステップＳ６３に示すように、サイトにアクセスした後に広告依頼人のパスワードを入力すると、図３０に示すような画面が表示され、その画面上の広告作成ボタン８５をクリックすると（ステップＳ６４参照）、図３１に示すような画面が表示される。
【０１０８】
図３１に示すように、画面上に表示されている店名入力欄８６に共同広告を申し込むスーパーの店名を入力し（ステップＳ６５参照）、次ボタン８７をクリックすると、図３２に示すような画面が表示されて、当該スーパーの版下データが表示される（ステップＳ６６参照）。図３２で画面の次ボタン８８をクリックすると図３３に示すような画面が表示される。
【０１０９】
図３３に表示される広告入力欄９０は、前記申込件数によって決定された大きさに対応した広告入力欄９０であり、この広告入力欄９０内にステップＳ６７に示すように、広告主、広告文、住所・電話番号・メールアドレス等の連絡先等を入力する。そして、図２９のステップＳ６８に示すように、入力作成した広告の内容について間違いが無くＯＫであれば、図３３に示す保存ボタン９１をクリックすることで、広告依頼人の広告用版下がサーバ装置１側に保存されることになる（ステップＳ６９参照）。
【０１１０】
次に、広告依頼人のクライアント端末３からの広告作成、保存等におけるサーバ装置１側の制御動作について説明する。図３４に示すステップＳ８１において、広告依頼人のクライアント端末３からサーバ装置１側にアクセスがあった場合にはステップＳ８２に移行する。
ステップＳ８２では、サーバ装置１の図４に示す主制御装置１４のチラシ版下表示制御部３３が図６に示すＡスーパーフォルダ１７ａ内の版下データファイル４４から版下データを読み出してクライアント端末３の画面上に表示させる。
【０１１１】
次に、ステップＳ８３に進んで、申込件数によって決定された広告枠のスペースを主制御装置１４の広告データ制御部３６がデータベース１６の広告枠データファイル４１から読み出してクライアント端末３の画面上に表示する（図３３参照）。この場合、画面の広告枠５３の大きさも横何ｃｍ×縦何ｃｍと表示され、広告依頼人にとっては、広告枠５３の大きさが分かることで、文字数や文字の大きさを任意に設定して、広告枠５３の大きさに応じて任意の版下を作成することができる。
【０１１２】
そして、ステップＳ８４に示すように、クライアント端末３から保存ボタン９１がクリックされたことで、この信号を受信してクライアントデータ保存制御部２３により該広告用版下データをデータベース１６のクライアントデータファイル４３に保存する（ステップＳ８５参照）。
【０１１３】
なお、広告用版下データをサーバ装置１側におけるオペレータが作成して、データベース１６のクライアントデータファイル４３に保存するようにしても良い。また、広告用版下データを広告依頼人がクライアント端末３からインターネット２を介さずに郵送したり、あるいは直接にサーバ装置１を管理している印刷会社に持ち込んだ場合には、これらの広告用版下データをオペレータの操作によりデータベース１６のクライアントデータファイル４３に保存するようになっている。
【０１１４】
次に、図３５のステップＳ８６に進み、割り当てられた広告枠数のすべてに対して各クライアント端末３により広告用版下が作成・保存された場合には、これをサーバ装置１の主制御装置１４のチラシデータ保存制御部３７が集計保存しており、このチラシデータ保存制御部３７によりステップＳ８７に示すように、チラシ版下の広告枠５３に、申込順に例えば共同広告部５２のスペースの上から順に割り当てていき、完成したチラシ版下のデータとして該チラシ版下をデータベース１６の完成版下データファイル４７に保存する。
【０１１５】
これにより、チラシ全体の版下（版下データ）が完成する（ステップＳ８８参照）。この完成した版下を図３６に示す。また、サーバ装置１の主制御装置１４のサーバ装置用表示制御部２８により図３６に示すようにチラシの版下データを表示装置１３に表示させて、サーバ装置１が確認することができる。
そして、このように版下が完成すると、完成版下データファイル４７から完成した版下データを読み出して、図外のプレートセッターに出力し、チラシの印刷に取りかかる。印刷後は新聞の販売店に配送するようになっている。
【０１１６】
図３６に示すように、共同広告の広告枠５３ａでは産地直売品の広告であり、例えば、日本海でとれた新鮮な魚を京都市内で販売する場合には好適例となる。また、日本海側で京都市内や大阪市内等で直接チラシを配布する場合には、遠く離れた場所でのチラシの印刷、配布方法などは見つけにくいが、本実施形態では、単に印刷会社のサイトにアクセスするだけで、遠く離れた地域にでも、簡単、且つ安価にチラシを配布することが可能となる。
【０１１７】
また、図３６において、広告枠５３ｂでは、イベント案内の広告であり、広告枠５３ｃではお店の開店案内の広告であり、広告枠５３ｄでは求人案内の広告であり、広告枠５３ｅでは、パン屋の広告の例である。
この図３６に示す例では、早く申し込んだ順に上から広告枠５３ａ〜５３ｅの順番に割り当てられていく。
【０１１８】
なお、先の実施形態では、広告依頼人の業種については特に言及はしていないが、クライアント端末３から広告を申し込む際に申込可能な業種の一覧を表示させて、その中から選択できるようにしておいても良い。
すなわち、スーパー側や共同広告の依頼人側の双方にとってイメージ的に悪い影響を与えるような業種、例えばパチンコ店、消費者金融関係、風俗店などの共同広告で一緒に載せたくないような業種は申し込めないようにし、これら以外の業種の中からのみ選択可能とするようにしても良い。
【０１１９】
また、図３６に示すような完成した版下データをスーパー側に確認をとってからチラシの印刷、配布をするようにしても良い。つまり、共同広告依頼人（共同広告の参加者）の広告内容がスーパー側等のチラシ配布主の許可条件に合致しているかの確認を取るようにしても良い。
さらには、共同チラシの参加者の代金の支払いの完了は、チラシの印刷前に行なうようにしても良い。
【０１２０】
このように本実施形態では、広告依頼人がチラシへの共同広告を申し込んだ場合には、既に配布が決定されているチラシに広告を申し込むので、必ず共同チラシとして配布されるものであり、広告依頼人の期待に沿うことができる。また、予め定られている共同広告用のスペースから広告申込件に応じて１件当たりの広告枠５３の大きさが決定されるので、予め定られている広告申込件数に満たない場合には、例えば同一の広告費用で大きな枠の広告枠５３を使用することができ、広告依頼人にとっては多くの広告文等を使用することができる。これにより、広告効果を一層高めることができる。
また、チラシ配布主と広告依頼人との共同チラシのため、双方の共同チラシの製作費用の軽減化を図ることができる。
【０１２１】
また、クライアント端末３が前記サーバ装置１にアクセスした際に、チラシの全配布地域地図をサーバ装置１が該クライアント端末３へ送信するようにしているので、広告依頼人にとって、チラシの全配布地域が分かるので、チラシを配布したい地域を即座に決めることができる。
また、チラシ１枚当たりの費用と、配布枚数からの総額とを、クライアント端末３への送信するようにしているので、広告依頼人にとってはチラシの配布枚数や共同チラシの費用が分かり、非常に透明性を高めることができる。
【０１２２】
さらに、クライアント端末３からの共同広告申込前に前記サーバ装置１がデータベース１６から版下データ５１を読み出してクライアント端末３へ送信するようにしているので、広告依頼人が載せるチラシの広告内容が容易に確認でき、広告依頼人が安心して共同チラシに参加することができる。
また、クライアント端末３で作成された広告用版下データを受信すると共に、該広告用版下データを前記データベース１６に格納しているので、クライアント端末３から受信した広告用版下データでもってチラシ全体の版下データを容易に作成することができる。
【０１２３】
さらに、チラシ全体の版下データを作成する際に、共同広告の申込順に所定の広告枠５３に割り当てるようにしているので、チラシの広告枠５３の位置をめぐって協議をする必要もなく、スムーズにチラシ全体の版下データへの作成に取りかかることができる。
【０１２４】
上述した実施形態に示した処理を行なうプログラムをコンピュータにインストールすることにより、本発明のサーバ装置を構成することが可能となる。そのプログラムは、コンピュータにプレインストールされていても良く、また、フロッピーディスク（登録商標）、ＣＤ−ＲＯＭ、ＤＶＤ−ＲＯＭ、ハードディスク等のコンピュータ読み取り可能な記録媒体にプログラムの形態で記録させておき、その記録媒体からコンピュータにプログラムをインストールするようにしても良い。
【図面の簡単な説明】
【０１２５】
【図１】本発明の実施の形態における各スーパーがチラシを配布する場合の配布地域と配布枚数の一例を示す図である。
【図２】本発明の実施の形態における共同チラシの製作システムの概略ブロック図である。
【図３】本発明の実施の形態におけるサーバ装置のブロック図である。
【図４】本発明の実施の形態における主制御部の機能ブロック図である。
【図５】本発明の実施の形態におけるデータベースの構成図である。
【図６】本発明の実施の形態におけるデータベースのスーパー別フォルダの構成図である。
【図７】本発明の実施の形態における版下データを示す図である。
【図８】本発明の実施の形態における商品の値段を伏せた版下データを示す図である。
【図９】本発明の実施の形態におけるクライアント端末からサーバ装置へアクセスしてチラシの共同広告を申し込む場合の制御動作を示すフローチャートである。
【図１０】本発明の実施の形態におけるクライアント端末からサーバ装置へアクセスしてチラシの共同広告を申し込む場合の制御動作を示すフローチャートである。
【図１１】本発明の実施の形態におけるクライアント端末からサーバ装置へアクセスしてチラシの共同広告を申し込む場合の制御動作を示すフローチャートである。
【図１２】本発明の実施の形態におけるサーバ装置のサイトの画面を示す図である。
【図１３】本発明の実施の形態におけるクライアント端末から共同広告を申し込む場合の説明図である。
【図１４】本発明の実施の形態におけるクライアント端末から共同広告を申し込む場合の説明図である。
【図１５】本発明の実施の形態におけるクライアント端末から共同広告を申し込む場合の説明図である。
【図１６】本発明の実施の形態におけるクライアント端末から共同広告を申し込む場合の説明図である。
【図１７】本発明の実施の形態におけるクライアント端末から共同広告を申し込む場合の説明図である。
【図１８】本発明の実施の形態におけるクライアント端末から共同広告を申し込む場合の説明図である。
【図１９】本発明の実施の形態におけるクライアント端末から共同広告を申し込む場合の説明図である。
【図２０】本発明の実施の形態におけるクライアント端末から共同広告を申し込む場合の説明図である。
【図２１】本発明の実施の形態におけるクライアント端末から共同広告を申し込む場合の説明図である。
【図２２】本発明の実施の形態におけるサーバ装置側での制御動作を示すフローチャートである。
【図２３】本発明の実施の形態におけるサーバ装置側での制御動作を示すフローチャートである。
【図２４】本発明の実施の形態におけるサーバ装置側での制御動作を示すフローチャートである。
【図２５】本発明の実施の形態におけるサーバ装置側での制御動作を示すフローチャートである。
【図２６】本発明の実施の形態における広告の申込件数に応じて広告枠の大きさを自動的に変える場合の説明図である。
【図２７】本発明の実施の形態における広告の申込件数に応じて広告枠の大きさを自動的に変える場合の説明図である。
【図２８】本発明の実施の形態におけるクライアント端末側での広告の版下を作成する場合の制御動作を示すフローチャートである。
【図２９】本発明の実施の形態におけるクライアント端末側での広告の版下を作成する場合の制御動作を示すフローチャートである。
【図３０】本発明の実施の形態におけるクライアント端末側ので広告の版下を作成する場合の説明図である。
【図３１】本発明の実施の形態におけるクライアント端末側ので広告の版下を作成する場合の説明図である。
【図３２】本発明の実施の形態におけるクライアント端末側ので広告の版下を作成する場合の説明図である。
【図３３】本発明の実施の形態におけるクライアント端末側ので広告の版下を作成する場合の説明図である。
【図３４】本発明の実施の形態におけるサーバ装置側でのチラシの版下を作成する場合の制御動作を示すフローチャートである。
【図３５】本発明の実施の形態におけるサーバ装置側でのチラシの版下を作成する場合の制御動作を示すフローチャートである。
【図３６】本発明の実施の形態における完成した版下を示す説明図である。
【符号の説明】
【０１２６】
１  サーバ装置
２  インターネット
３  クライアント端末
１４  主制御装置
１６  データベース
２１  チラシ版下作成部
２３  クライアントデータ保存制御部
２５  広告枠数制御部
２６  広告枠演算・決定制御部
３０  地図表示制御部
３２  配布内容表示制御部
３３  チラシ版下表示制御部
３５  検索制御部
５１  版下データ
【図１】
2008204046.tif 000003
【図２】
2008204046.tif 000004
【図３】
2008204046.tif 000005
【図４】
2008204046.tif 000006
【図５】
2008204046.tif 000007
【図６】
2008204046.tif 000008
【図７】
2008204046.tif 000009
【図８】
2008204046.tif 000010
【図９】
2008204046.tif 000011
【図１０】
2008204046.tif 000012
【図１１】
2008204046.tif 000013
【図１２】
2008204046.tif 000014
【図１３】
2008204046.tif 000015
【図１４】
2008204046.tif 000016
【図１５】
2008204046.tif 000017
【図１６】
2008204046.tif 000018
【図１７】
2008204046.tif 000019
【図１８】
2008204046.tif 000020
【図１９】
2008204046.tif 000021
【図２０】
2008204046.tif 000022
【図２１】
2008204046.tif 000023
【図２２】
2008204046.tif 000024
【図２３】
2008204046.tif 000025
【図２４】
2008204046.tif 000026
【図２５】
2008204046.tif 000027
【図２６】
2008204046.tif 000028
【図２７】
2008204046.tif 000029
【図２８】
2008204046.tif 000030
【図２９】
2008204046.tif 000031
【図３０】
2008204046.tif 000032
【図３１】
2008204046.tif 000033
【図３２】
2008204046.tif 000034
【図３３】
2008204046.tif 000035
【図３４】
2008204046.tif 000036
【図３５】
2008204046.tif 000037
【図３６】
2008204046.tif 000038
【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
チラシの配布主が配布する該チラシの広告部分以外に設けたスペースに該チラシ配布主以外の広告依頼人が該チラシ配布主と共同して広告を行なう場合の共同チラシの作成方法であって、
前記チラシを印刷する印刷会社が管理するサーバ装置（１）と、共同広告を依頼する広告依頼人側のクライアント端末（３）とがインターネット（２）にて接続されており、
前記サーバ装置（１）は、
複数のチラシ配布主と、これらの配布主による新聞の折り込みチラシとして既に配布が決定済みであって各チラシが配布される配布日と、該チラシが当該配布日に配布される地域の地図データであって各チラシに対応した配布地域の地図データと、前記各配布主の配布日に対応したチラシの配布枚数及び該配布枚数に応じた費用が記憶保存されるデータベース（１６）と、
前記データベース（１６）に前記チラシの配布主、配布日、地図データ、配布枚数及び費用を書き込む手段と、
前記クライアント端末（３）からサーバ装置（１）にアクセスされた時に、チラシの配布日の一覧表示と該チラシが配布される地域の地図を前記データベース（１６）から読み出して前記クライアント端末（３）の画面に表示させる第１の表示制御手段と、
前記第１の表示制御手段にて配布日が一覧表示されているチラシの配布日から選択された配布日と該チラシの配布地域の前記クライアント端末（３）からの検索要求により該配布日に該当する配布主を前記データベース（１６）を検索して抽出する検索手段と、
前記検索手段の結果による配布主のチラシの配布内容の前記クライアント端末（３）からの表示要求により、チラシの配布日、配布地域の地図、配布枚数及び費用を前記データベース（１６）から読み出すと共に、チラシの配布日、配布地域の地図、配布枚数及び費用を前記クライアント端末（３）の画面に表示させる第２の表示制御手段と、
前記チラシの配布日の前であって予め設定している申込期日を管理し、予め設定している申込件数に達するまでであって、前記申込期日までは前記クライアント端末（３）からの広告依頼要求の受け付けを行なう期日制御手段（２４）と、
前記第２の表示制御手段による検索表示結果により、前記期日制御手段（２４）にて管理している申込期日前の前記クライアント端末（３）からの広告依頼要求を受けて該クライアント端末（３）の広告申込確定を前記データベース（１６）に保存する広告申込確認制御手段（３４）と、
予め定められている共同広告用のスペース以外の箇所に前記配布主の広告用のチラシの版下データを作成するチラシ版下作成手段（２１）と、
前記広告申込確認制御手段（３４）によりデータベース（１６）に保存している前記クライアント端末（３）の広告依頼人が掲載する共同広告用の版下データと前記チラシ版下作成手段（２１）により作成された版下データとを前記データベース（１６）に保存するチラシデータ保存制御手段（３７）と、
前記データベース（１６）から共同広告用の版下データと当該チラシの配布主の広告用の版下データとを読み出して配布主の広告用の版下データの共同広告用のスペースに、共同広告用の版下データを割り当ててチラシ全体の版下データを作成する版下作成手段と
を備え、
前記サーバ装置（１）が、
前記クライアント端末（３）からサーバ装置（１）にアクセスされた時に、前記第１の表示制御手段によりチラシの配布日の一覧表示と該チラシが配布される地域の地図を前記データベース（１６）から読み出して前記クライアント端末（３）の画面に表示させる第１の表示制御ステップと、
前記第１の表示制御ステップにて配布日が一覧表示されているチラシの配布日から選択された配布日と該チラシの配布地域の前記クライアント端末（３）からの検索要求により、前記検索手段でもって該配布日に該当する配布主を前記データベース（１６）を検索して抽出する検索ステップと、
前記検索ステップの結果による配布主のチラシの配布内容の前記クライアント端末（３）からの表示要求により、前記第２の表示制御手段でもってチラシの配布日、配布地域の地図、配布枚数及び費用を前記データベース（１６）から読み出すと共に、チラシの配布日、配布地域の地図、配布枚数及び費用を前記クライアント端末（３）の画面に表示させる第２の表示制御ステップと、
前記期日制御手段（２４）により、前記チラシの配布日の前であって予め設定している申込期日を管理し、予め設定している申込件数に達するまでであって、前記申込期日までは前記クライアント端末（３）からの広告依頼要求の受け付けを行なう期日制御ステップと、
前記第２の表示制御ステップの検索表示結果により、前記期日制御ステップにて管理している申込期日前の前記クライアント端末（３）からの広告依頼要求を受けて前記広告申込確認制御手段（３４）でもって該クライアント端末（３）の広告申込確定を前記データベース（１６）に保存する広告申込確認制御ステップと、
予め定められている共同広告用のスペース以外の箇所に前記チラシ版下作成手段（２１）でもって前記配布主の広告用のチラシの版下データを作成するチラシ版下作成ステップと、
前記広告申込確認制御ステップによりデータベース（１６）に保存している前記クライアント端末（３）の広告依頼人が掲載する共同広告用の版下データと前記チラシ版下作成ステップにて作成された版下データとを前記チラシデータ保存制御手段（３７）により前記データベース（１６）に保存するチラシデータ保存制御ステップと、
前記版下作成手段により、前記データベース（１６）から共同広告用の版下データと当該チラシの配布主の広告用の版下データとを読み出して配布主の広告用の版下データの共同広告用のスペースに、共同広告用の版下データを割り当ててチラシ全体の版下データを作成する版下作成ステップと
を実行することを特徴とする共同チラシの作成方法。
【請求項２】
チラシの配布主が配布する該チラシの広告部分以外に設けたスペースに該チラシ配布主以外の広告依頼人が該チラシ配布主と共同して広告を行なう場合の共同チラシの作成方法であって、
前記チラシを印刷する印刷会社が管理するサーバ装置（１）と、共同広告を依頼する広告依頼人側のクライアント端末（３）とがインターネット（２）にて接続されており、
前記サーバ装置（１）は、
複数のチラシ配布主と、これらの配布主による新聞の折り込みチラシとして既に配布が決定済みであって各チラシが配布される配布日と、該チラシが当該配布日に配布される地域の地図データであって各チラシに対応した配布地域の地図データと、前記各配布主の配布日に対応したチラシの配布枚数及び該配布枚数に応じた費用が記憶保存されるデータベース（１６）と、
前記データベース（１６）に前記チラシの配布主、配布日、地図データ、配布枚数及び費用を書き込む手段と、
前記クライアント端末（３）からサーバ装置（１）にアクセスされた時に、チラシの配布日の一覧表示と該チラシが配布される地域の地図を前記データベース（１６）から読み出して前記クライアント端末（３）の画面に表示させる第１の表示制御手段と、
前記第１の表示制御手段にて配布日が一覧表示されているチラシの配布日から選択された配布日と該チラシの配布地域の前記クライアント端末（３）からの検索要求により該配布日に該当する配布主を前記データベース（１６）を検索して抽出する検索手段と、
前記検索手段の結果による配布主のチラシの配布内容の前記クライアント端末（３）からの表示要求により、チラシの配布日、配布地域の地図、配布枚数及び費用を前記データベース（１６）から読み出すと共に、チラシの配布日、配布地域の地図、配布枚数及び費用を前記クライアント端末（３）の画面に表示させる第２の表示制御手段と、
前記チラシの配布日の前であって予め設定している申込期日を管理し、予め設定している申込件数に達するまでであって、前記申込期日までは前記クライアント端末（３）からの広告依頼要求の受け付けを行なう期日制御手段（２４）と、
前記第２の表示制御手段による検索表示結果により、前記期日制御手段（２４）にて管理している申込期日前の前記クライアント端末（３）からの広告依頼要求を受けて該クライアント端末（３）の広告申込確定を前記データベース（１６）に保存する広告申込確認制御手段（３４）と、
前記期日制御手段（２４）による申込期日経過後であって前記広告申込確認制御手段（３４）により広告申込確定後、チラシの共同広告用のスペースに予め割り当てられた広告申込件数に達している場合には予め定められている広告枠（５３）の大きさを決定し、予め割り当てられている申込件数に達しない場合には共同広告用のスペースと申込件数から１件当たりの広告枠（５３）を大きくして決定する広告枠大きさ決定手段と、
前記広告枠大きさ決定手段により決定された広告枠（５３）の大きさを共同広告を申し込んだクライアント端末（３）へ送信する広告枠送信手段と、
予め定められている共同広告用のスペース以外の箇所に前記配布主の広告用のチラシの版下データを作成するチラシ版下作成手段（２１）と、
前記広告枠送信手段により知らされた広告枠（５３）の大きさに応じて前記クライアント端末（３）の広告依頼人が掲載する共同広告用の版下データと前記チラシ版下作成手段（２１）により作成された版下データとを前記データベース（１６）に保存するチラシデータ保存制御手段（３７）と、
前記データベース（１６）から共同広告用の版下データと当該チラシの配布主の広告用の版下データとを読み出して配布主の広告用の版下データの共同広告用のスペースに、共同広告用の版下データを割り当ててチラシ全体の版下データを作成する版下作成手段と
を備え、
前記サーバ装置（１）が、
前記クライアント端末（３）からサーバ装置（１）にアクセスされた時に、前記第１の表示制御手段によりチラシの配布日の一覧表示と該チラシが配布される地域の地図を前記データベース（１６）から読み出して前記クライアント端末（３）の画面に表示させる第１の表示制御ステップと、
前記第１の表示制御ステップにて配布日が一覧表示されているチラシの配布日から選択された配布日と該チラシの配布地域の前記クライアント端末（３）からの検索要求により、前記検索手段でもって該配布日に該当する配布主を前記データベース（１６）を検索して抽出する検索ステップと、
前記検索ステップの結果による配布主のチラシの配布内容の前記クライアント端末（３）からの表示要求により、前記第２の表示制御手段でもってチラシの配布日、配布地域の地図、配布枚数及び費用を前記データベース（１６）から読み出すと共に、チラシの配布日、配布地域の地図、配布枚数及び費用を前記クライアント端末（３）の画面に表示させる第２の表示制御ステップと、
前記期日制御手段（２４）により、前記チラシの配布日の前であって予め設定している申込期日を管理し、予め設定している申込件数に達するまでであって、前記申込期日までは前記クライアント端末（３）からの広告依頼要求の受け付けを行なう期日制御ステップと、
前記第２の表示制御ステップの検索表示結果により、前記期日制御ステップにて管理している申込期日前の前記クライアント端末（３）からの広告依頼要求を受けて前記広告申込確認制御手段（３４）でもって該クライアント端末（３）の広告申込確定を前記データベース（１６）に保存する広告申込確認制御ステップと、
前記期日制御ステップによる申込期日経過後であって前記広告申込確認制御ステップによる広告申込確定後、前記広告枠大きさ決定手段により、チラシの共同広告用のスペースに予め割り当てられた広告申込件数に達している場合には予め定められている広告枠（５３）の大きさを決定し、予め割り当てられている申込件数に達しない場合には共同広告用のスペースと申込件数から１件当たりの広告枠（５３）を大きくして決定する広告枠大きさ決定ステップと、
前記広告枠大きさ決定ステップにより決定された広告枠（５３）の大きさを前記広告枠送信手段により、共同広告を申し込んだクライアント端末（３）へ送信する広告枠送信ステップと、
予め定められている共同広告用のスペース以外の箇所に前記チラシ版下作成手段（２１）でもって前記配布主の広告用のチラシの版下データを作成するチラシ版下作成ステップと、
前記広告枠送信ステップにより知らされた広告枠（５３）の大きさに応じて前記クライアント端末（３）の広告依頼人が掲載する共同広告用の版下データと前記チラシ版下作成ステップにて作成された版下データとを前記チラシデータ保存制御手段（３７）により前記データベース（１６）に保存するチラシデータ保存制御ステップと、
前記版下作成手段により、前記データベース（１６）から共同広告用の版下データと当該チラシの配布主の広告用の版下データとを読み出して配布主の広告用の版下データの共同広告用のスペースに、共同広告用の版下データを割り当ててチラシ全体の版下データを作成する版下作成ステップと
を実行することを特徴とする共同チラシの作成方法。
【請求項３】
前記サーバ装置（１）のデータベース（１６）には、多数の前記チラシ配布主によるチラシの全配布地域の地図が予め格納されており、
前記サーバ装置（１）は、前記データベース（１６）から地図データを読み出して、チラシの全配布地域地図を前記クライアント端末（３）の画面に表示させる地図表示制御手段（３０）を備えており、
前記クライアント端末（３）が前記サーバ装置（１）にアクセスした際に、前記地図表示制御手段（３０）により、チラシの全配布地域地図をサーバ装置（１）が該クライアント端末（３）の画面に表示させる全配布地域地図表示ステップを備えていることを特徴とする請求項１または請求項２に記載の共同チラシの作成方法。
【請求項４】
前記サーバ装置（１）のデータベース（１６）には、前記配布主のチラシの版下データ（５１）が予め格納されており、
前記サーバ装置（１）には、前記データベース（１６）から前記版下データ（５１）を読み出して該版下データ（５１）を前記クライアント端末（３）の画面に表示させるチラシ版下表示制御手段（３３）を備えており、
前記クライアント端末（３）からの前記配布主のチラシへの共同広告申込前に前記チラシ版下表示制御手段（３３）により、前記データベース（１６）から版下データ（５１）を読み出してクライアント端末（３）の画面に表示させる版下データ表示ステップを備えていることを特徴とする請求項１または請求項２に記載の共同チラシの作成方法。
【請求項５】
前記サーバ装置（１）には、前記クライアント端末（３）で作成された広告用版下データを前記データベース（１６）に保存するクライアントデータ保存制御手段（２３）を備えており、
前記クライアントデータ保存制御手段（２３）により、前記クライアント端末（３）で作成された広告用版下データを前記データベース（１６）に保存しておく保存ステップを備えていることを特徴とする請求項２〜請求項４のいずれかに記載の共同チラシの作成方法。
【請求項６】
前記サーバ装置（１）には、前記チラシ全体の版下データを作成する際に、共同広告の申込順に所定の広告枠（５３）に広告依頼人の広告を順次割り当てる制御手段（３７）を備えており、
前記制御手段（３７）により、前記チラシ全体の版下データを作成する際に、共同広告の申込順に所定の広告枠（５３）に広告依頼人の広告を順次割り当てるステップを備えていることを特徴とする請求項２〜請求項５のいずれかに記載の共同チラシの作成方法。
【請求項７】
チラシの配布主が配布する該チラシの広告部分以外に設けたスペースに該チラシ配布主以外の広告依頼人が該チラシ配布主と共同して広告を行なう場合の共同チラシの作成システムであって、
前記チラシを印刷する印刷会社が管理するサーバ装置（１）と、共同広告を依頼する広告依頼人側のクライアント端末（３）とがインターネット（２）にて接続されており、
前記サーバ装置（１）は、
複数のチラシ配布主と、これらの配布主による新聞の折り込みチラシとして既に配布が決定済みであって各チラシが配布される配布日と、該チラシが当該配布日に配布される地域の地図データであって各チラシに対応した配布地域の地図データと、前記各配布主の配布日に対応したチラシの配布枚数及び該配布枚数に応じた費用が記憶保存されるデータベース（１６）と、
前記データベース（１６）に前記チラシの配布主、配布日、地図データ、配布枚数及び費用を書き込む手段と、
前記クライアント端末（３）からサーバ装置（１）にアクセスされた時に、チラシの配布日の一覧表示と該チラシが配布される地域の地図を前記データベース（１６）から読み出して前記クライアント端末（３）の画面に表示させる第１の表示制御手段と、
前記第１の表示制御手段にて配布日が一覧表示されているチラシの配布日から選択された配布日と該チラシの配布地域の前記クライアント端末（３）からの検索要求により該配布日に該当する配布主を前記データベース（１６）を検索して抽出する検索手段と、
前記検索手段の結果による配布主のチラシの配布内容の前記クライアント端末（３）からの表示要求により、チラシの配布日、配布地域の地図、配布枚数及び費用を前記データベース（１６）から読み出すと共に、チラシの配布日、配布地域の地図、配布枚数及び費用を前記クライアント端末（３）の画面に表示させる第２の表示制御手段と、
前記チラシの配布日の前であって予め設定している申込期日を管理し、予め設定している申込件数に達するまでであって、前記申込期日までは前記クライアント端末（３）からの広告依頼要求の受け付けを行なう期日制御手段（２４）と、
前記第２の表示制御手段による検索表示結果により、前記期日制御手段（２４）にて管理している申込期日前の前記クライアント端末（３）からの広告依頼要求を受けて該クライアント端末（３）の広告申込確定を前記データベース（１６）に保存する広告申込確認制御手段（３４）と、
予め定められている共同広告用のスペース以外の箇所に前記配布主の広告用のチラシの版下データを作成するチラシ版下作成手段（２１）と、
前記広告申込確認制御手段（３４）によりデータベース（１６）に保存している前記クライアント端末（３）の広告依頼人が掲載する共同広告用の版下データと前記チラシ版下作成手段（２１）により作成された版下データとを前記データベース（１６）に保存するチラシデータ保存制御手段（３７）と、
前記データベース（１６）から共同広告用の版下データと当該チラシの配布主の広告用の版下データとを読み出して配布主の広告用の版下データの共同広告用のスペースに、共同広告用の版下データを割り当ててチラシ全体の版下データを作成する版下作成手段と
を備えていることを特徴とする共同チラシの作成システム。
【請求項８】
チラシの配布主が配布する該チラシの広告部分以外に設けたスペースに該チラシ配布主以外の広告依頼人が該チラシ配布主と共同して広告を行なう場合の共同チラシの作成システムであって、
前記チラシを印刷する印刷会社が管理するサーバ装置（１）と、共同広告を依頼する広告依頼人側のクライアント端末（３）とがインターネット（２）にて接続されており、
前記サーバ装置（１）は、
複数のチラシ配布主と、これらの配布主による新聞の折り込みチラシとして既に配布が決定済みであって各チラシが配布される配布日と、該チラシが当該配布日に配布される地域の地図データであって各チラシに対応した配布地域の地図データと、前記各配布主の配布日に対応したチラシの配布枚数及び該配布枚数に応じた費用が記憶保存されるデータベース（１６）と、
前記データベース（１６）に前記チラシの配布主、配布日、地図データ、配布枚数及び費用を書き込む手段と、
前記クライアント端末（３）からサーバ装置（１）にアクセスされた時に、チラシの配布日の一覧表示と該チラシが配布される地域の地図を前記データベース（１６）から読み出して前記クライアント端末（３）の画面に表示させる第１の表示制御手段と、
前記第１の表示制御手段にて配布日が一覧表示されているチラシの配布日から選択された配布日と該チラシの配布地域の前記クライアント端末（３）からの検索要求により該配布日に該当する配布主を前記データベース（１６）を検索して抽出する検索手段と、
前記検索手段の結果による配布主のチラシの配布内容の前記クライアント端末（３）からの表示要求により、チラシの配布日、配布地域の地図、配布枚数及び費用を前記データベース（１６）から読み出すと共に、チラシの配布日、配布地域の地図、配布枚数及び費用を前記クライアント端末（３）の画面に表示させる第２の表示制御手段と、
前記チラシの配布日の前であって予め設定している申込期日を管理し、予め設定している申込件数に達するまでであって、前記申込期日までは前記クライアント端末（３）からの広告依頼要求の受け付けを行なう期日制御手段（２４）と、
前記第２の表示制御手段による検索表示結果により、前記期日制御手段（２４）にて管理している申込期日前の前記クライアント端末（３）からの広告依頼要求を受けて該クライアント端末（３）の広告申込確定を前記データベース（１６）に保存する広告申込確認制御手段（３４）と、
前記期日制御手段（２４）による申込期日経過後であって前記広告申込確認制御手段（３４）により広告申込確定後、チラシの共同広告用のスペースに予め割り当てられた広告申込件数に達している場合には予め定められている広告枠（５３）の大きさを決定し、予め割り当てられている申込件数に達しない場合には共同広告用のスペースと申込件数から１件当たりの広告枠（５３）を大きくして決定する広告枠大きさ決定手段と、
前記広告枠大きさ決定手段により決定された広告枠（５３）の大きさを共同広告を申し込んだクライアント端末（３）へ送信する広告枠送信手段と、
予め定められている共同広告用のスペース以外の箇所に前記配布主の広告用のチラシの版下データを作成するチラシ版下作成手段（２１）と、
前記広告枠送信手段により知らされた広告枠（５３）の大きさに応じて前記クライアント端末（３）の広告依頼人が掲載する共同広告用の版下データと前記チラシ版下作成手段（２１）により作成された版下データとを前記データベース（１６）に保存するチラシデータ保存制御手段（３７）と、
前記データベース（１６）から共同広告用の版下データと当該チラシの配布主の広告用の版下データとを読み出して配布主の広告用の版下データの共同広告用のスペースに、共同広告用の版下データを割り当ててチラシ全体の版下データを作成する版下作成手段と
を備えていることを特徴とする共同チラシの作成システム。
【請求項９】
前記サーバ装置（１）のデータベース（１６）には、多数の前記チラシ配布主によるチラシの全配布地域の地図が予め格納されており、
前記サーバ装置（１）は、前記データベース（１６）から地図データを読み出して、チラシの全配布地域地図を前記クライアント端末（３）の画面に表示させる地図表示制御手段（３０）を備えていることを特徴とする請求項７または請求項８に記載の共同チラシの作成システム。
【請求項１０】
前記サーバ装置（１）のデータベース（１６）には、前記配布主のチラシの版下データ（５１）が予め格納されており、
前記サーバ装置（１）には、前記データベース（１６）から前記版下データ（５１）を読み出して該版下データ（５１）を前記クライアント端末（３）の画面に表示させるチラシ版下表示制御手段（３３）を備えていることを特徴とする請求項７または請求項８に記載の共同チラシの作成システム。
【請求項１１】
前記サーバ装置（１）には、前記クライアント端末（３）で作成された広告用版下データを前記データベース（１６）に保存するクライアントデータ保存制御手段（２３）を備えていることを特徴とする請求項７〜請求項１０のいずれかに記載の共同チラシの作成システム。
【請求項１２】
前記サーバ装置（１）には、前記チラシ全体の版下データを作成する際に、共同広告の申込順に所定の広告枠（５３）に広告依頼人の広告を順次割り当てる制御手段（３７）を備えていることを特徴とする請求項８〜請求項１１のいずれかに記載の共同チラシの作成システム。
【請求項１３】
チラシを印刷する印刷会社が管理するサーバ装置（１）と、共同広告を依頼する広告依頼人側のクライアント端末（３）とがインターネット（２）にて接続されており、
前記サーバ装置（１）のデータベース（１６）には、複数のチラシ配布主と、これらの配布主による新聞の折り込みチラシとして既に配布が決定済みであって各チラシが配布される配布日と、該チラシが当該配布日に配布される地域の地図データであって各チラシに対応した配布地域の地図データと、前記各配布主の配布日に対応したチラシの配布枚数及び該配布枚数に応じた費用がそれぞれ予め格納されていて、
前記チラシ配布主と広告依頼人との共同チラシを作成するためにコンピュータを、
前記サーバ装置（１）が、
前記クライアント端末（３）からサーバ装置（１）にアクセスされた時に、チラシの配布日の一覧表示と該チラシが配布される地域の地図を前記データベース（１６）から読み出して前記クライアント端末（３）の画面に表示させる第１の表示制御手段と、
前記第１の表示制御手段にて配布日が一覧表示されているチラシの配布日から選択された配布日と該チラシの配布地域の前記クライアント端末（３）からの検索要求により該配布日に該当する配布主を前記データベース（１６）を検索して抽出する検索手段と、
前記検索手段の結果による配布主のチラシの配布内容の前記クライアント端末（３）からの表示要求により、チラシの配布日、配布地域の地図、配布枚数及び費用を前記データベース（１６）から読み出すと共に、チラシの配布日、配布地域の地図、配布枚数及び費用を前記クライアント端末（３）の画面に表示させる第２の表示制御手段と、
前記チラシの配布日の前であって予め設定している申込期日を管理し、予め設定している申込件数に達するまでであって、前記申込期日までは前記クライアント端末（３）からの広告依頼要求の受け付けを行なう期日制御手段（２４）と、
前記第２の表示制御手段による検索表示結果により、前記期日制御手段（２４）にて管理している申込期日前の前記クライアント端末（３）からの広告依頼要求を受けて該クライアント端末（３）の広告申込確定を前記データベース（１６）に保存する広告申込確認制御手段（３４）と、
予め定められている共同広告用のスペース以外の箇所に前記配布主の広告用のチラシの版下データを作成するチラシ版下作成手段（２１）と、
前記広告申込確認制御手段（３４）によりデータベース（１６）に保存している前記クライアント端末（３）の広告依頼人が掲載する共同広告用の版下データと前記チラシ版下作成手段（２１）により作成された版下データとを前記データベース（１６）に保存するチラシデータ保存制御手段（３７）と、
前記データベース（１６）から共同広告用の版下データと当該チラシの配布主の広告用の版下データとを読み出して配布主の広告用の版下データの共同広告用のスペースに、共同広告用の版下データを割り当ててチラシ全体の版下データを作成する版下作成手段と
して機能させるための共同チラシ作成プログラム。
【請求項１４】
チラシを印刷する印刷会社が管理するサーバ装置（１）と、共同広告を依頼する広告依頼人側のクライアント端末（３）とがインターネット（２）にて接続されており、
前記サーバ装置（１）のデータベース（１６）には、複数のチラシ配布主と、これらの配布主による新聞の折り込みチラシとして既に配布が決定済みであって各チラシが配布される配布日と、該チラシが当該配布日に配布される地域の地図データであって各チラシに対応した配布地域の地図データと、前記各配布主の配布日に対応したチラシの配布枚数及び該配布枚数に応じた費用がそれぞれ予め格納されていて、
前記チラシ配布主と広告依頼人との共同チラシを作成するためにコンピュータを、
前記サーバ装置（１）が、
前記クライアント端末（３）からサーバ装置（１）にアクセスされた時に、チラシの配布日の一覧表示と該チラシが配布される地域の地図を前記データベース（１６）から読み出して前記クライアント端末（３）の画面に表示させる第１の表示制御手段と、
前記第１の表示制御手段にて配布日が一覧表示されているチラシの配布日から選択された配布日と該チラシの配布地域の前記クライアント端末（３）からの検索要求により該配布日に該当する配布主を前記データベース（１６）を検索して抽出する検索手段と、
前記検索手段の結果による配布主のチラシの配布内容の前記クライアント端末（３）からの表示要求により、チラシの配布日、配布地域の地図、配布枚数及び費用を前記データベース（１６）から読み出すと共に、チラシの配布日、配布地域の地図、配布枚数及び費用を前記クライアント端末（３）の画面に表示させる第２の表示制御手段と、
前記チラシの配布日の前であって予め設定している申込期日を管理し、予め設定している申込件数に達するまでであって、前記申込期日までは前記クライアント端末（３）からの広告依頼要求の受け付けを行なう期日制御手段（２４）と、
前記第２の表示制御手段による検索表示結果により、前記期日制御手段（２４）にて管理している申込期日前の前記クライアント端末（３）からの広告依頼要求を受けて該クライアント端末（３）の広告申込確定を前記データベース（１６）に保存する広告申込確認制御手段（３４）と、
前記期日制御手段（２４）による申込期日経過後であって前記広告申込確認制御手段（３４）により広告申込確定後、チラシの共同広告用のスペースに予め割り当てられた広告申込件数に達している場合には予め定められている広告枠（５３）の大きさを決定し、予め割り当てられている申込件数に達しない場合には共同広告用のスペースと申込件数から１件当たりの広告枠（５３）を大きくして決定する広告枠大きさ決定手段と、
前記広告枠大きさ決定手段により決定された広告枠（５３）の大きさを共同広告を申し込んだクライアント端末（３）へ送信する広告枠送信手段と、
予め定められている共同広告用のスペース以外の箇所に前記配布主の広告用のチラシの版下データを作成するチラシ版下作成手段（２１）と、
前記広告枠送信手段により知らされた広告枠（５３）の大きさに応じて前記クライアント端末（３）の広告依頼人が掲載する共同広告用の版下データと前記チラシ版下作成手段（２１）により作成された版下データとを前記データベース（１６）に保存するチラシデータ保存制御手段（３７）と、
前記データベース（１６）から共同広告用の版下データと当該チラシの配布主の広告用の版下データとを読み出して配布主の広告用の版下データの共同広告用のスペースに、共同広告用の版下データを割り当ててチラシ全体の版下データを作成する版下作成手段と
して機能させるための共同チラシ作成プログラム。
【請求項１５】
チラシを印刷する印刷会社が管理するサーバ装置（１）と、共同広告を依頼する広告依頼人側のクライアント端末（３）とがインターネット（２）にて接続されており、
前記サーバ装置（１）のデータベース（１６）には、複数のチラシ配布主と、これらの配布主による新聞の折り込みチラシとして既に配布が決定済みであって各チラシが配布される配布日と、該チラシが当該配布日に配布される地域の地図データであって各チラシに対応した配布地域の地図データと、前記各配布主の配布日に対応したチラシの配布枚数及び該配布枚数に応じた費用がそれぞれ予め格納されていて、
前記チラシ配布主と広告依頼人との共同チラシを作成するためにコンピュータを、
前記サーバ装置（１）が、
前記クライアント端末（３）からサーバ装置（１）にアクセスされた時に、チラシの配布日の一覧表示と該チラシが配布される地域の地図を前記データベース（１６）から読み出して前記クライアント端末（３）の画面に表示させる第１の表示制御手段と、
前記第１の表示制御手段にて配布日が一覧表示されているチラシの配布日から選択された配布日と該チラシの配布地域の前記クライアント端末（３）からの検索要求により該配布日に該当する配布主を前記データベース（１６）を検索して抽出する検索手段と、
前記検索手段の結果による配布主のチラシの配布内容の前記クライアント端末（３）からの表示要求により、チラシの配布日、配布地域の地図、配布枚数及び費用を前記データベース（１６）から読み出すと共に、チラシの配布日、配布地域の地図、配布枚数及び費用を前記クライアント端末（３）の画面に表示させる第２の表示制御手段と、
前記チラシの配布日の前であって予め設定している申込期日を管理し、予め設定している申込件数に達するまでであって、前記申込期日までは前記クライアント端末（３）からの広告依頼要求の受け付けを行なう期日制御手段（２４）と、
前記第２の表示制御手段による検索表示結果により、前記期日制御手段（２４）にて管理している申込期日前の前記クライアント端末（３）からの広告依頼要求を受けて該クライアント端末（３）の広告申込確定を前記データベース（１６）に保存する広告申込確認制御手段（３４）と、
予め定められている共同広告用のスペース以外の箇所に前記配布主の広告用のチラシの版下データを作成するチラシ版下作成手段（２１）と、
前記広告申込確認制御手段（３４）によりデータベース（１６）に保存している前記クライアント端末（３）の広告依頼人が掲載する共同広告用の版下データと前記チラシ版下作成手段（２１）により作成された版下データとを前記データベース（１６）に保存するチラシデータ保存制御手段（３７）と、
前記データベース（１６）から共同広告用の版下データと当該チラシの配布主の広告用の版下データとを読み出して配布主の広告用の版下データの共同広告用のスペースに、共同広告用の版下データを割り当ててチラシ全体の版下データを作成する版下作成手段と
して機能させるための共同チラシ作成プログラムを記録したコンピュータ読み取り可能な記録媒体。
【請求項１６】
チラシを印刷する印刷会社が管理するサーバ装置（１）と、共同広告を依頼する広告依頼人側のクライアント端末（３）とがインターネット（２）にて接続されており、
前記サーバ装置（１）のデータベース（１６）には、複数のチラシ配布主と、これらの配布主による新聞の折り込みチラシとして既に配布が決定済みであって各チラシが配布される配布日と、該チラシが当該配布日に配布される地域の地図データであって各チラシに対応した配布地域の地図データと、前記各配布主の配布日に対応したチラシの配布枚数及び該配布枚数に応じた費用がそれぞれ予め格納されていて、
前記チラシ配布主と広告依頼人との共同チラシを作成するためにコンピュータを、
前記サーバ装置（１）が、
前記クライアント端末（３）からサーバ装置（１）にアクセスされた時に、チラシの配布日の一覧表示と該チラシが配布される地域の地図を前記データベース（１６）から読み出して前記クライアント端末（３）の画面に表示させる第１の表示制御手段と、
前記第１の表示制御手段にて配布日が一覧表示されているチラシの配布日から選択された配布日と該チラシの配布地域の前記クライアント端末（３）からの検索要求により該配布日に該当する配布主を前記データベース（１６）を検索して抽出する検索手段と、
前記検索手段の結果による配布主のチラシの配布内容の前記クライアント端末（３）からの表示要求により、チラシの配布日、配布地域の地図、配布枚数及び費用を前記データベース（１６）から読み出すと共に、チラシの配布日、配布地域の地図、配布枚数及び費用を前記クライアント端末（３）の画面に表示させる第２の表示制御手段と、
前記チラシの配布日の前であって予め設定している申込期日を管理し、予め設定している申込件数に達するまでであって、前記申込期日までは前記クライアント端末（３）からの広告依頼要求の受け付けを行なう期日制御手段（２４）と、
前記第２の表示制御手段による検索表示結果により、前記期日制御手段（２４）にて管理している申込期日前の前記クライアント端末（３）からの広告依頼要求を受けて該クライアント端末（３）の広告申込確定を前記データベース（１６）に保存する広告申込確認制御手段（３４）と、
前記期日制御手段（２４）による申込期日経過後であって前記広告申込確認制御手段（３４）により広告申込確定後、チラシの共同広告用のスペースに予め割り当てられた広告申込件数に達している場合には予め定められている広告枠（５３）の大きさを決定し、予め割り当てられている申込件数に達しない場合には共同広告用のスペースと申込件数から１件当たりの広告枠（５３）を大きくして決定する広告枠大きさ決定手段と、
前記広告枠大きさ決定手段により決定された広告枠（５３）の大きさを共同広告を申し込んだクライアント端末（３）へ送信する広告枠送信手段と、
予め定められている共同広告用のスペース以外の箇所に前記配布主の広告用のチラシの版下データを作成するチラシ版下作成手段（２１）と、
前記広告枠送信手段により知らされた広告枠（５３）の大きさに応じて前記クライアント端末（３）の広告依頼人が掲載する共同広告用の版下データと前記チラシ版下作成手段（２１）により作成された版下データとを前記データベース（１６）に保存するチラシデータ保存制御手段（３７）と、
前記データベース（１６）から共同広告用の版下データと当該チラシの配布主の広告用の版下データとを読み出して配布主の広告用の版下データの共同広告用のスペースに、共同広告用の版下データを割り当ててチラシ全体の版下データを作成する版下作成手段と
して機能させるための共同チラシ作成プログラムを記録したコンピュータ読み取り可能な記録媒体。
【手続補正２】
【補正対象書類名】明細書
【補正対象項目名】全文
【補正方法】変更
【補正の内容】
【発明の詳細な説明】
【技術分野】
【０００１】
本発明は、新聞の折り込みチラシを利用した共同チラシの作成方法、共同チラシの作成システム、プログラム及び記録媒体に関するものである。
【背景技術】
【０００２】
従来より広告のコストを安価にするために、複数の企業等が共同して印刷物を製作、配布するのが知られている。この従来からの共同印刷物の製作において、例えば、求人チラシ、不動産チラシ、商店街の共同（合同）チラシなどを製作する場合には、製作会社の担当者と複数の依頼人が会合を開いて、予算、それぞれの掲載位置、配布範囲（配布地域）、配布日、配布枚数などをそれぞれの依頼人が納得し、決定するまでに相当の期間、時間をかけていた。
【０００３】
食品などのスーパーマーケット（以下、スーパーという。）においても同様であり、店舗内にテナントが入っている場合が多く、意見の取りまとめや、販売戦略立案時にも大きな抵抗があって、チラシ製作を何度もやり直すことも多い。
【０００４】
そのため、その制作費は大変高額となったり、個々の商人にとっては必要な地域に配布されなかったり、逆に不必要な地域に配布されたりという状況が現に発生しており、共同チラシの印刷製作の難しさがあり、大変不便でもある。
また、一方で同地域での個人商店や小規模製造業者などは、販売広告費が事業規模に見合ったものにならず、チラシの販売チャンスすら無く、良い技術や商品を持ちながら廃業に追い込まれたりしているのが現状である。
【０００５】
一方、インターネットを利用して、同一紙面上に複数の依頼者の広告内容を掲載して配布する共同チラシ広告を作成する共同チラシの広告作成システムとして、例えば、下記に示す特許文献１が挙げられる。
【０００６】
【特許文献１】特開２００２−４２１４４号公報
【０００７】
上記特許文献１は、複数依頼者の広告を同時掲載する共同チラシを作成して広告しようとする場合には、依頼者毎に予算、部数、チラシを配布したい地域や配布希望日等の作成条件が様々であるため、簡単に広告を出すことができないということから成されたものである。
かかる点から、チラシ広告の作成条件が類似する依頼者を効率良くまとめ、共同チラシによる広告を出すようにしたものである。
【０００８】
すなわち、この特許文献１では、依頼者のユーザー端末から、共同チラシの配布地域、配布希望日、部数、紙面上の広告サイズ、紙面上の配置位置等のチラシ作成条件をインターネットを介してシステム側に送信し、システム側では同一紙面の共同チラシ広告として配布できる作成条件が類似している依頼者をまとめることで共同チラシを作成するようにしている。
【０００９】
しかしながら、この特許文献１では、期日までに目標の広告枠数が埋まらなかった場合には、広告企画への参加のキャンセル、配布希望日の延期、広告枠の増加（掲載サイズの増大）のいずれかの選択が迫られ、依頼者の希望通りの配布日、予算の増加、果ては広告のキャンセルという事態に追い込まれることになる。
特に、チラシの同一配布日、同じ配布地域において一定数以上の依頼者が広告企画への参加をすることは、現実的に非常に希有であり、最初に折角申し込んでも、結局は企画の参加をキャンセルせざるを得なくなるのが現実である。また、チラシの配布部数も依頼者によりまちまちであり、この点からも特許文献１での共同チラシの作成は困難である。
【発明の開示】
【発明が解決しようとする課題】
【００１０】
本発明は上述の問題点に鑑みて提供したものであって、少なくとも以下に示す目的を持った共同チラシの作成方法、共同チラシの作成システム、プログラム及び記録媒体を提供するものである。
（１）一般的には週に１回は定期的に配布されるスーパーの新聞折り込みのチラシに共同広告のコーナーを設け、このコーナー部分に複数の広告枠を設けてスーパーのチラシ自体の依頼人及び共同広告の依頼人の双方にとって共同チラシの製作費用の軽減化を図ること。
（２）あるスーパーによる共同チラシの配布日を基に、この配布日による配布地域、配布枚数及び費用が予め決められていて、依頼人が共同広告を申し込んで受け付けられた場合には、必ず共同チラシを配布できるようにすること。
（３）依頼人が載せるチラシの内容（スーパーが掲載する商品内容など）が容易に確認でき、依頼人が安心して共同チラシに参加できるようにすること。
（４）広告申込件数が予め定めた件数より少ない場合には、広告枠を大きくして広告効果を高めること。
（５）全スーパーがチラシを配布している全地域地図からチラシの配布地域を広告依頼人に分かり易くして、チラシの配布地域を即座に決め易くすること。
（６）チラシの費用が分かり、費用の透明性を高めること。
（７）チラシの広告枠の位置をめぐる協議を無くして、スムーズにチラシ全体の版下データの作成に取りかかることができること。
【課題を解決するための手段】
【００１１】
そこで、本発明の請求項１記載の共同チラシの作成方法では、チラシの配布主が配布する該チラシの広告部分以外に設けたスペースに該チラシ配布主以外の広告依頼人が該チラシ配布主と共同して広告を行なう場合の共同チラシの作成方法であって、
前記チラシを印刷する印刷会社が管理するサーバ装置１と、共同広告を依頼する広告依頼人側のクライアント端末３とがインターネット２にて接続されており、
前記サーバ装置１は、
複数のチラシ配布主と、これらの配布主による新聞の折り込みチラシとして既に配布が決定済みであって各チラシが配布される配布日と、該チラシが当該配布日に配布される地域の地図データであって各チラシに対応した配布地域の地図データと、前記各配布主の配布日に対応したチラシの配布枚数及び該配布枚数に応じた費用が記憶保存されるデータベース１６と、
前記データベース１６に前記チラシの配布主、配布日、地図データ、配布枚数及び費用を書き込む手段と、
前記クライアント端末３からサーバ装置１にアクセスされた時に、チラシの配布日の一覧表示と該チラシが配布される地域の地図を前記データベース１６から読み出して前記クライアント端末３の画面に表示させる第１の表示制御手段と、
前記第１の表示制御手段にて配布日が一覧表示されているチラシの配布日から選択された配布日と該チラシの配布地域の前記クライアント端末３からの検索要求により該配布日に該当する配布主を前記データベース１６を検索して抽出する検索手段と、
前記検索手段の結果による配布主のチラシの配布内容の前記クライアント端末３からの表示要求により、チラシの配布日、配布地域の地図、配布枚数及び費用を前記データベース１６から読み出すと共に、チラシの配布日、配布地域の地図、配布枚数及び費用を前記クライアント端末３の画面に表示させる第２の表示制御手段と、
前記チラシの配布日の前であって予め設定している申込期日を管理し、予め設定している申込件数に達するまでであって、前記申込期日までは前記クライアント端末３からの広告依頼要求の受け付けを行なう期日制御手段２４と、
前記第２の表示制御手段による検索表示結果により、前記期日制御手段２４にて管理している申込期日前の前記クライアント端末３からの広告依頼要求を受けて該クライアント端末３の広告申込確定を前記データベース１６に保存する広告申込確認制御手段３４と、
予め定められている共同広告用のスペース以外の箇所に前記配布主の広告用のチラシの版下データを作成するチラシ版下作成手段２１と、
前記広告申込確認制御手段３４によりデータベース１６に保存している前記クライアント端末３の広告依頼人が掲載する共同広告用の版下データと前記チラシ版下作成手段２１により作成された版下データとを前記データベース１６に保存するチラシデータ保存制御手段３７と、
前記データベース１６から共同広告用の版下データと当該チラシの配布主の広告用の版下データとを読み出して配布主の広告用の版下データの共同広告用のスペースに、共同広告用の版下データを割り当ててチラシ全体の版下データを作成する版下作成手段と
を備え、
前記サーバ装置１が、
前記クライアント端末３からサーバ装置１にアクセスされた時に、前記第１の表示制御手段によりチラシの配布日の一覧表示と該チラシが配布される地域の地図を前記データベース１６から読み出して前記クライアント端末３の画面に表示させる第１の表示制御ステップと、
前記第１の表示制御ステップにて配布日が一覧表示されているチラシの配布日から選択された配布日と該チラシの配布地域の前記クライアント端末３からの検索要求により、前記検索手段でもって該配布日に該当する配布主を前記データベース１６を検索して抽出する検索ステップと、
前記検索ステップの結果による配布主のチラシの配布内容の前記クライアント端末３からの表示要求により、前記第２の表示制御手段でもってチラシの配布日、配布地域の地図、配布枚数及び費用を前記データベース１６から読み出すと共に、チラシの配布日、配布地域の地図、配布枚数及び費用を前記クライアント端末３の画面に表示させる第２の表示制御ステップと、
前記期日制御手段２４により、前記チラシの配布日の前であって予め設定している申込期日を管理し、予め設定している申込件数に達するまでであって、前記申込期日までは前記クライアント端末３からの広告依頼要求の受け付けを行なう期日制御ステップと、
前記第２の表示制御ステップの検索表示結果により、前記期日制御ステップにて管理している申込期日前の前記クライアント端末３からの広告依頼要求を受けて前記広告申込確認制御手段３４でもって該クライアント端末３の広告申込確定を前記データベース１６に保存する広告申込確認制御ステップと、
予め定められている共同広告用のスペース以外の箇所に前記チラシ版下作成手段２１でもって前記配布主の広告用のチラシの版下データを作成するチラシ版下作成ステップと、
前記広告申込確認制御ステップによりデータベース１６に保存している前記クライアント端末３の広告依頼人が掲載する共同広告用の版下データと前記チラシ版下作成ステップにて作成された版下データとを前記チラシデータ保存制御手段３７により前記データベース１６に保存するチラシデータ保存制御ステップと、
前記版下作成手段により、前記データベース１６から共同広告用の版下データと当該チラシの配布主の広告用の版下データとを読み出して配布主の広告用の版下データの共同広告用のスペースに、共同広告用の版下データを割り当ててチラシ全体の版下データを作成する版下作成ステップと
を実行することを特徴としている。
【００１２】
請求項２に記載の共同チラシの作成方法では、チラシの配布主が配布する該チラシの広告部分以外に設けたスペースに該チラシ配布主以外の広告依頼人が該チラシ配布主と共同して広告を行なう場合の共同チラシの作成方法であって、
前記チラシを印刷する印刷会社が管理するサーバ装置１と、共同広告を依頼する広告依頼人側のクライアント端末３とがインターネット２にて接続されており、
前記サーバ装置１は、
複数のチラシ配布主と、これらの配布主による新聞の折り込みチラシとして既に配布が決定済みであって各チラシが配布される配布日と、該チラシが当該配布日に配布される地域の地図データであって各チラシに対応した配布地域の地図データと、前記各配布主の配布日に対応したチラシの配布枚数及び該配布枚数に応じた費用が記憶保存されるデータベース１６と、
前記データベース１６に前記チラシの配布主、配布日、地図データ、配布枚数及び費用を書き込む手段と、
前記クライアント端末３からサーバ装置１にアクセスされた時に、チラシの配布日の一覧表示と該チラシが配布される地域の地図を前記データベース１６から読み出して前記クライアント端末３の画面に表示させる第１の表示制御手段と、
前記第１の表示制御手段にて配布日が一覧表示されているチラシの配布日から選択された配布日と該チラシの配布地域の前記クライアント端末３からの検索要求により該配布日に該当する配布主を前記データベース１６を検索して抽出する検索手段と、
前記検索手段の結果による配布主のチラシの配布内容の前記クライアント端末３からの表示要求により、チラシの配布日、配布地域の地図、配布枚数及び費用を前記データベース１６から読み出すと共に、チラシの配布日、配布地域の地図、配布枚数及び費用を前記クライアント端末３の画面に表示させる第２の表示制御手段と、
前記チラシの配布日の前であって予め設定している申込期日を管理し、予め設定している申込件数に達するまでであって、前記申込期日までは前記クライアント端末３からの広告依頼要求の受け付けを行なう期日制御手段２４と、
前記第２の表示制御手段による検索表示結果により、前記期日制御手段２４にて管理している申込期日前の前記クライアント端末３からの広告依頼要求を受けて該クライアント端末３の広告申込確定を前記データベース１６に保存する広告申込確認制御手段３４と、
前記期日制御手段２４による申込期日経過後であって前記広告申込確認制御手段３４により広告申込確定後、チラシの共同広告用のスペースに予め割り当てられた広告申込件数に達している場合には予め定められている広告枠５３の大きさを決定し、予め割り当てられている申込件数に達しない場合には共同広告用のスペースと申込件数から１件当たりの広告枠５３を大きくして決定する広告枠大きさ決定手段と、
前記広告枠大きさ決定手段により決定された広告枠５３の大きさを共同広告を申し込んだクライアント端末３へ送信する広告枠送信手段と、
予め定められている共同広告用のスペース以外の箇所に前記配布主の広告用のチラシの版下データを作成するチラシ版下作成手段２１と、
前記広告枠送信手段により知らされた広告枠５３の大きさに応じて前記クライアント端末３の広告依頼人が掲載する共同広告用の版下データと前記チラシ版下作成手段２１により作成された版下データとを前記データベース１６に保存するチラシデータ保存制御手段３７と、
前記データベース１６から共同広告用の版下データと当該チラシの配布主の広告用の版下データとを読み出して配布主の広告用の版下データの共同広告用のスペースに、共同広告用の版下データを割り当ててチラシ全体の版下データを作成する版下作成手段と
を備え、
前記サーバ装置１が、
前記クライアント端末３からサーバ装置１にアクセスされた時に、前記第１の表示制御手段によりチラシの配布日の一覧表示と該チラシが配布される地域の地図を前記データベース１６から読み出して前記クライアント端末３の画面に表示させる第１の表示制御ステップと、
前記第１の表示制御ステップにて配布日が一覧表示されているチラシの配布日から選択された配布日と該チラシの配布地域の前記クライアント端末３からの検索要求により、前記検索手段でもって該配布日に該当する配布主を前記データベース１６を検索して抽出する検索ステップと、
前記検索ステップの結果による配布主のチラシの配布内容の前記クライアント端末３からの表示要求により、前記第２の表示制御手段でもってチラシの配布日、配布地域の地図、配布枚数及び費用を前記データベース１６から読み出すと共に、チラシの配布日、配布地域の地図、配布枚数及び費用を前記クライアント端末３の画面に表示させる第２の表示制御ステップと、
前記期日制御手段２４により、前記チラシの配布日の前であって予め設定している申込期日を管理し、予め設定している申込件数に達するまでであって、前記申込期日までは前記クライアント端末３からの広告依頼要求の受け付けを行なう期日制御ステップと、
前記第２の表示制御ステップの検索表示結果により、前記期日制御ステップにて管理している申込期日前の前記クライアント端末３からの広告依頼要求を受けて前記広告申込確認制御手段３４でもって該クライアント端末３の広告申込確定を前記データベース１６に保存する広告申込確認制御ステップと、
前記期日制御ステップによる申込期日経過後であって前記広告申込確認制御ステップによる広告申込確定後、前記広告枠大きさ決定手段により、チラシの共同広告用のスペースに予め割り当てられた広告申込件数に達している場合には予め定められている広告枠５３の大きさを決定し、予め割り当てられている申込件数に達しない場合には共同広告用のスペースと申込件数から１件当たりの広告枠５３を大きくして決定する広告枠大きさ決定ステップと、
前記広告枠大きさ決定ステップにより決定された広告枠５３の大きさを前記広告枠送信手段により、共同広告を申し込んだクライアント端末３へ送信する広告枠送信ステップと、
予め定められている共同広告用のスペース以外の箇所に前記チラシ版下作成手段２１でもって前記配布主の広告用のチラシの版下データを作成するチラシ版下作成ステップと、
前記広告枠送信ステップにより知らされた広告枠５３の大きさに応じて前記クライアント端末３の広告依頼人が掲載する共同広告用の版下データと前記チラシ版下作成ステップにて作成された版下データとを前記チラシデータ保存制御手段３７により前記データベース１６に保存するチラシデータ保存制御ステップと、
前記版下作成手段により、前記データベース１６から共同広告用の版下データと当該チラシの配布主の広告用の版下データとを読み出して配布主の広告用の版下データの共同広告用のスペースに、共同広告用の版下データを割り当ててチラシ全体の版下データを作成する版下作成ステップと
を実行することを特徴としている。
【００１３】
請求項３に記載の共同チラシの作成方法では、前記サーバ装置１のデータベース１６には、多数の前記チラシ配布主によるチラシの全配布地域の地図が予め格納されており、
前記サーバ装置１は、前記データベース１６から地図データを読み出して、チラシの全配布地域地図を前記クライアント端末３の画面に表示させる地図表示制御手段３０を備えており、
前記クライアント端末３が前記サーバ装置１にアクセスした際に、前記地図表示制御手段３０により、チラシの全配布地域地図をサーバ装置１が該クライアント端末３の画面に表示させる全配布地域地図表示ステップを備えていることを特徴としている。
【００１４】
【００１５】
請求項４に記載の共同チラシの作成方法では、前記サーバ装置１のデータベース１６には、前記配布主のチラシの版下データ５１が予め格納されており、
前記サーバ装置１には、前記データベース１６から前記版下データ５１を読み出して該版下データ５１を前記クライアント端末３の画面に表示させるチラシ版下表示制御手段３３を備えており、
前記クライアント端末３からの前記配布主のチラシへの共同広告申込前に前記チラシ版下表示制御手段３３により、前記データベース１６から版下データ５１を読み出してクライアント端末３の画面に表示させる版下データ表示ステップを備えていることを特徴としている。
【００１６】
請求項５に記載の共同チラシの作成方法では、前記サーバ装置１には、前記クライアント端末３で作成された広告用版下データを前記データベース１６に保存するクライアントデータ保存制御手段２３を備えており、
前記クライアントデータ保存制御手段２３により、前記クライアント端末３で作成された広告用版下データを前記データベース１６に保存しておく保存ステップを備えていることを特徴としている。
【００１７】
請求項６に記載の共同チラシの作成方法では、前記サーバ装置１には、前記チラシ全体の版下データを作成する際に、共同広告の申込順に所定の広告枠５３に広告依頼人の広告を順次割り当てる制御手段３７を備えており、
前記制御手段３７により、前記チラシ全体の版下データを作成する際に、共同広告の申込順に所定の広告枠５３に広告依頼人の広告を順次割り当てるステップを備えていることを特徴としている。
【００１８】
請求項７に記載の共同チラシの作成システムでは、チラシの配布主が配布する該チラシの広告部分以外に設けたスペースに該チラシ配布主以外の広告依頼人が該チラシ配布主と共同して広告を行なう場合の共同チラシの作成システムであって、
前記チラシを印刷する印刷会社が管理するサーバ装置１と、共同広告を依頼する広告依頼人側のクライアント端末３とがインターネット２にて接続されており、
前記サーバ装置１は、
複数のチラシ配布主と、これらの配布主による新聞の折り込みチラシとして既に配布が決定済みであって各チラシが配布される配布日と、該チラシが当該配布日に配布される地域の地図データであって各チラシに対応した配布地域の地図データと、前記各配布主の配布日に対応したチラシの配布枚数及び該配布枚数に応じた費用が記憶保存されるデータベース１６と、
前記データベース１６に前記チラシの配布主、配布日、地図データ、配布枚数及び費用を書き込む手段と、
前記クライアント端末３からサーバ装置１にアクセスされた時に、チラシの配布日の一覧表示と該チラシが配布される地域の地図を前記データベース１６から読み出して前記クライアント端末３の画面に表示させる第１の表示制御手段と、
前記第１の表示制御手段にて配布日が一覧表示されているチラシの配布日から選択された配布日と該チラシの配布地域の前記クライアント端末３からの検索要求により該配布日に該当する配布主を前記データベース１６を検索して抽出する検索手段と、
前記検索手段の結果による配布主のチラシの配布内容の前記クライアント端末３からの表示要求により、チラシの配布日、配布地域の地図、配布枚数及び費用を前記データベース１６から読み出すと共に、チラシの配布日、配布地域の地図、配布枚数及び費用を前記クライアント端末３の画面に表示させる第２の表示制御手段と、
前記チラシの配布日の前であって予め設定している申込期日を管理し、予め設定している申込件数に達するまでであって、前記申込期日までは前記クライアント端末３からの広告依頼要求の受け付けを行なう期日制御手段２４と、
前記第２の表示制御手段による検索表示結果により、前記期日制御手段２４にて管理している申込期日前の前記クライアント端末３からの広告依頼要求を受けて該クライアント端末３の広告申込確定を前記データベース１６に保存する広告申込確認制御手段３４と、
予め定められている共同広告用のスペース以外の箇所に前記配布主の広告用のチラシの版下データを作成するチラシ版下作成手段２１と、
前記広告申込確認制御手段３４によりデータベース１６に保存している前記クライアント端末３の広告依頼人が掲載する共同広告用の版下データと前記チラシ版下作成手段２１により作成された版下データとを前記データベース１６に保存するチラシデータ保存制御手段３７と、
前記データベース１６から共同広告用の版下データと当該チラシの配布主の広告用の版下データとを読み出して配布主の広告用の版下データの共同広告用のスペースに、共同広告用の版下データを割り当ててチラシ全体の版下データを作成する版下作成手段と
を備えていることを特徴としている。
【００１９】
請求項８に記載の共同チラシの作成システムでは、チラシの配布主が配布する該チラシの広告部分以外に設けたスペースに該チラシ配布主以外の広告依頼人が該チラシ配布主と共同して広告を行なう場合の共同チラシの作成システムであって、
前記チラシを印刷する印刷会社が管理するサーバ装置１と、共同広告を依頼する広告依頼人側のクライアント端末３とがインターネット２にて接続されており、
前記サーバ装置１は、
複数のチラシ配布主と、これらの配布主による新聞の折り込みチラシとして既に配布が決定済みであって各チラシが配布される配布日と、該チラシが当該配布日に配布される地域の地図データであって各チラシに対応した配布地域の地図データと、前記各配布主の配布日に対応したチラシの配布枚数及び該配布枚数に応じた費用が記憶保存されるデータベース１６と、
前記データベース１６に前記チラシの配布主、配布日、地図データ、配布枚数及び費用を書き込む手段と、
前記クライアント端末３からサーバ装置１にアクセスされた時に、チラシの配布日の一覧表示と該チラシが配布される地域の地図を前記データベース１６から読み出して前記クライアント端末３の画面に表示させる第１の表示制御手段と、
前記第１の表示制御手段にて配布日が一覧表示されているチラシの配布日から選択された配布日と該チラシの配布地域の前記クライアント端末３からの検索要求により該配布日に該当する配布主を前記データベース１６を検索して抽出する検索手段と、
前記検索手段の結果による配布主のチラシの配布内容の前記クライアント端末３からの表示要求により、チラシの配布日、配布地域の地図、配布枚数及び費用を前記データベース１６から読み出すと共に、チラシの配布日、配布地域の地図、配布枚数及び費用を前記クライアント端末３の画面に表示させる第２の表示制御手段と、
前記チラシの配布日の前であって予め設定している申込期日を管理し、予め設定している申込件数に達するまでであって、前記申込期日までは前記クライアント端末３からの広告依頼要求の受け付けを行なう期日制御手段２４と、
前記第２の表示制御手段による検索表示結果により、前記期日制御手段２４にて管理している申込期日前の前記クライアント端末３からの広告依頼要求を受けて該クライアント端末３の広告申込確定を前記データベース１６に保存する広告申込確認制御手段３４と、
前記期日制御手段２４による申込期日経過後であって前記広告申込確認制御手段３４により広告申込確定後、チラシの共同広告用のスペースに予め割り当てられた広告申込件数に達している場合には予め定められている広告枠５３の大きさを決定し、予め割り当てられている申込件数に達しない場合には共同広告用のスペースと申込件数から１件当たりの広告枠５３を大きくして決定する広告枠大きさ決定手段と、
前記広告枠大きさ決定手段により決定された広告枠５３の大きさを共同広告を申し込んだクライアント端末３へ送信する広告枠送信手段と、
予め定められている共同広告用のスペース以外の箇所に前記配布主の広告用のチラシの版下データを作成するチラシ版下作成手段２１と、
前記広告枠送信手段により知らされた広告枠５３の大きさに応じて前記クライアント端末３の広告依頼人が掲載する共同広告用の版下データと前記チラシ版下作成手段２１により作成された版下データとを前記データベース１６に保存するチラシデータ保存制御手段３７と、
前記データベース１６から共同広告用の版下データと当該チラシの配布主の広告用の版下データとを読み出して配布主の広告用の版下データの共同広告用のスペースに、共同広告用の版下データを割り当ててチラシ全体の版下データを作成する版下作成手段と
を備えていることを特徴としている。
【００２０】
請求項９に記載の共同チラシの作成システムでは、前記サーバ装置１のデータベース１６には、多数の前記チラシ配布主によるチラシの全配布地域の地図が予め格納されており、
前記サーバ装置１は、前記データベース１６から地図データを読み出して、チラシの全配布地域地図を前記クライアント端末３の画面に表示させる地図表示制御手段３０を備えていることを特徴としている。
【００２１】
【００２２】
請求項１０に記載の共同チラシの作成システムでは、前記サーバ装置１のデータベース１６には、前記配布主のチラシの版下データ５１が予め格納されており、
前記サーバ装置１には、前記データベース１６から前記版下データ５１を読み出して該版下データ５１を前記クライアント端末３の画面に表示させるチラシ版下表示制御手段３３を備えていることを特徴としている。
【００２３】
請求項１１に記載の共同チラシの作成システムでは、前記サーバ装置１には、前記クライアント端末３で作成された広告用版下データを前記データベース１６に保存するクライアントデータ保存制御手段２３を備えていることを特徴としている。
【００２４】
請求項１２に記載の共同チラシの作成システムでは、前記サーバ装置１には、前記チラシ全体の版下データを作成する際に、共同広告の申込順に所定の広告枠５３に広告依頼人の広告を順次割り当てる制御手段３７を備えていることを特徴としている。
【００２５】
請求項１３に記載の共同チラシ作成プログラムでは、チラシを印刷する印刷会社が管理するサーバ装置１と、共同広告を依頼する広告依頼人側のクライアント端末３とがインターネット２にて接続されており、
前記サーバ装置１のデータベース１６には、複数のチラシ配布主と、これらの配布主による新聞の折り込みチラシとして既に配布が決定済みであって各チラシが配布される配布日と、該チラシが当該配布日に配布される地域の地図データであって各チラシに対応した配布地域の地図データと、前記各配布主の配布日に対応したチラシの配布枚数及び該配布枚数に応じた費用がそれぞれ予め格納されていて、
前記チラシ配布主と広告依頼人との共同チラシを作成するためにコンピュータを、
前記サーバ装置１が、
前記クライアント端末３からサーバ装置１にアクセスされた時に、チラシの配布日の一覧表示と該チラシが配布される地域の地図を前記データベース１６から読み出して前記クライアント端末３の画面に表示させる第１の表示制御手段と、
前記第１の表示制御手段にて配布日が一覧表示されているチラシの配布日から選択された配布日と該チラシの配布地域の前記クライアント端末３からの検索要求により該配布日に該当する配布主を前記データベース１６を検索して抽出する検索手段と、
前記検索手段の結果による配布主のチラシの配布内容の前記クライアント端末３からの表示要求により、チラシの配布日、配布地域の地図、配布枚数及び費用を前記データベース１６から読み出すと共に、チラシの配布日、配布地域の地図、配布枚数及び費用を前記クライアント端末３の画面に表示させる第２の表示制御手段と、
前記チラシの配布日の前であって予め設定している申込期日を管理し、予め設定している申込件数に達するまでであって、前記申込期日までは前記クライアント端末３からの広告依頼要求の受け付けを行なう期日制御手段２４と、
前記第２の表示制御手段による検索表示結果により、前記期日制御手段２４にて管理している申込期日前の前記クライアント端末３からの広告依頼要求を受けて該クライアント端末３の広告申込確定を前記データベース１６に保存する広告申込確認制御手段３４と、
予め定められている共同広告用のスペース以外の箇所に前記配布主の広告用のチラシの版下データを作成するチラシ版下作成手段２１と、
前記広告申込確認制御手段３４によりデータベース１６に保存している前記クライアント端末３の広告依頼人が掲載する共同広告用の版下データと前記チラシ版下作成手段２１により作成された版下データとを前記データベース１６に保存するチラシデータ保存制御手段３７と、
前記データベース１６から共同広告用の版下データと当該チラシの配布主の広告用の版下データとを読み出して配布主の広告用の版下データの共同広告用のスペースに、共同広告用の版下データを割り当ててチラシ全体の版下データを作成する版下作成手段と
して機能させることを特徴としている。
【００２６】
請求項１４に記載の共同チラシ作成プログラムでは、チラシを印刷する印刷会社が管理するサーバ装置１と、共同広告を依頼する広告依頼人側のクライアント端末３とがインターネット２にて接続されており、
前記サーバ装置１のデータベース１６には、複数のチラシ配布主と、これらの配布主による新聞の折り込みチラシとして既に配布が決定済みであって各チラシが配布される配布日と、該チラシが当該配布日に配布される地域の地図データであって各チラシに対応した配布地域の地図データと、前記各配布主の配布日に対応したチラシの配布枚数及び該配布枚数に応じた費用がそれぞれ予め格納されていて、
前記チラシ配布主と広告依頼人との共同チラシを作成するためにコンピュータを、
前記サーバ装置１が、
前記クライアント端末３からサーバ装置１にアクセスされた時に、チラシの配布日の一覧表示と該チラシが配布される地域の地図を前記データベース１６から読み出して前記クライアント端末３の画面に表示させる第１の表示制御手段と、
前記第１の表示制御手段にて配布日が一覧表示されているチラシの配布日から選択された配布日と該チラシの配布地域の前記クライアント端末３からの検索要求により該配布日に該当する配布主を前記データベース１６を検索して抽出する検索手段と、
前記検索手段の結果による配布主のチラシの配布内容の前記クライアント端末３からの表示要求により、チラシの配布日、配布地域の地図、配布枚数及び費用を前記データベース１６から読み出すと共に、チラシの配布日、配布地域の地図、配布枚数及び費用を前記クライアント端末３の画面に表示させる第２の表示制御手段と、
前記チラシの配布日の前であって予め設定している申込期日を管理し、予め設定している申込件数に達するまでであって、前記申込期日までは前記クライアント端末３からの広告依頼要求の受け付けを行なう期日制御手段２４と、
前記第２の表示制御手段による検索表示結果により、前記期日制御手段２４にて管理している申込期日前の前記クライアント端末３からの広告依頼要求を受けて該クライアント端末３の広告申込確定を前記データベース１６に保存する広告申込確認制御手段３４と、
前記期日制御手段２４による申込期日経過後であって前記広告申込確認制御手段３４により広告申込確定後、チラシの共同広告用のスペースに予め割り当てられた広告申込件数に達している場合には予め定められている広告枠５３の大きさを決定し、予め割り当てられている申込件数に達しない場合には共同広告用のスペースと申込件数から１件当たりの広告枠５３を大きくして決定する広告枠大きさ決定手段と、
前記広告枠大きさ決定手段により決定された広告枠５３の大きさを共同広告を申し込んだクライアント端末３へ送信する広告枠送信手段と、
予め定められている共同広告用のスペース以外の箇所に前記配布主の広告用のチラシの版下データを作成するチラシ版下作成手段２１と、
前記広告枠送信手段により知らされた広告枠５３の大きさに応じて前記クライアント端末３の広告依頼人が掲載する共同広告用の版下データと前記チラシ版下作成手段２１により作成された版下データとを前記データベース１６に保存するチラシデータ保存制御手段３７と、
前記データベース１６から共同広告用の版下データと当該チラシの配布主の広告用の版下データとを読み出して配布主の広告用の版下データの共同広告用のスペースに、共同広告用の版下データを割り当ててチラシ全体の版下データを作成する版下作成手段と
して機能させることを特徴としている。
【００２７】
請求項１５に記載の共同チラシ作成プログラムを記録したコンピュータ読み取り可能な記録媒体では、チラシを印刷する印刷会社が管理するサーバ装置１と、共同広告を依頼する広告依頼人側のクライアント端末３とがインターネット２にて接続されており、
前記サーバ装置１のデータベース１６には、複数のチラシ配布主と、これらの配布主による新聞の折り込みチラシとして既に配布が決定済みであって各チラシが配布される配布日と、該チラシが当該配布日に配布される地域の地図データであって各チラシに対応した配布地域の地図データと、前記各配布主の配布日に対応したチラシの配布枚数及び該配布枚数に応じた費用がそれぞれ予め格納されていて、
前記チラシ配布主と広告依頼人との共同チラシを作成するためにコンピュータを、
前記サーバ装置１が、
前記クライアント端末３からサーバ装置１にアクセスされた時に、チラシの配布日の一覧表示と該チラシが配布される地域の地図を前記データベース１６から読み出して前記クライアント端末３の画面に表示させる第１の表示制御手段と、
前記第１の表示制御手段にて配布日が一覧表示されているチラシの配布日から選択された配布日と該チラシの配布地域の前記クライアント端末３からの検索要求により該配布日に該当する配布主を前記データベース１６を検索して抽出する検索手段と、
前記検索手段の結果による配布主のチラシの配布内容の前記クライアント端末３からの表示要求により、チラシの配布日、配布地域の地図、配布枚数及び費用を前記データベース１６から読み出すと共に、チラシの配布日、配布地域の地図、配布枚数及び費用を前記クライアント端末３の画面に表示させる第２の表示制御手段と、
前記チラシの配布日の前であって予め設定している申込期日を管理し、予め設定している申込件数に達するまでであって、前記申込期日までは前記クライアント端末３からの広告依頼要求の受け付けを行なう期日制御手段２４と、
前記第２の表示制御手段による検索表示結果により、前記期日制御手段２４にて管理している申込期日前の前記クライアント端末３からの広告依頼要求を受けて該クライアント端末３の広告申込確定を前記データベース１６に保存する広告申込確認制御手段３４と、
予め定められている共同広告用のスペース以外の箇所に前記配布主の広告用のチラシの版下データを作成するチラシ版下作成手段２１と、
前記広告申込確認制御手段３４によりデータベース１６に保存している前記クライアント端末３の広告依頼人が掲載する共同広告用の版下データと前記チラシ版下作成手段２１により作成された版下データとを前記データベース１６に保存するチラシデータ保存制御手段３７と、
前記データベース１６から共同広告用の版下データと当該チラシの配布主の広告用の版下データとを読み出して配布主の広告用の版下データの共同広告用のスペースに、共同広告用の版下データを割り当ててチラシ全体の版下データを作成する版下作成手段と
して機能させるプログラムを記録したコンピュータ読み取り可能な記録媒体であることを特徴としている。
【００２８】
請求項１６に記載の共同チラシ作成プログラムを記録したコンピュータ読み取り可能な記録媒体では、チラシを印刷する印刷会社が管理するサーバ装置１と、共同広告を依頼する広告依頼人側のクライアント端末３とがインターネット２にて接続されており、
前記サーバ装置１のデータベース１６には、複数のチラシ配布主と、これらの配布主による新聞の折り込みチラシとして既に配布が決定済みであって各チラシが配布される配布日と、該チラシが当該配布日に配布される地域の地図データであって各チラシに対応した配布地域の地図データと、前記各配布主の配布日に対応したチラシの配布枚数及び該配布枚数に応じた費用がそれぞれ予め格納されていて、
前記チラシ配布主と広告依頼人との共同チラシを作成するためにコンピュータを、
前記サーバ装置１が、
前記クライアント端末３からサーバ装置１にアクセスされた時に、チラシの配布日の一覧表示と該チラシが配布される地域の地図を前記データベース１６から読み出して前記クライアント端末３の画面に表示させる第１の表示制御手段と、
前記第１の表示制御手段にて配布日が一覧表示されているチラシの配布日から選択された配布日と該チラシの配布地域の前記クライアント端末３からの検索要求により該配布日に該当する配布主を前記データベース１６を検索して抽出する検索手段と、
前記検索手段の結果による配布主のチラシの配布内容の前記クライアント端末３からの表示要求により、チラシの配布日、配布地域の地図、配布枚数及び費用を前記データベース１６から読み出すと共に、チラシの配布日、配布地域の地図、配布枚数及び費用を前記クライアント端末３の画面に表示させる第２の表示制御手段と、
前記チラシの配布日の前であって予め設定している申込期日を管理し、予め設定している申込件数に達するまでであって、前記申込期日までは前記クライアント端末３からの広告依頼要求の受け付けを行なう期日制御手段２４と、
前記第２の表示制御手段による検索表示結果により、前記期日制御手段２４にて管理している申込期日前の前記クライアント端末３からの広告依頼要求を受けて該クライアント端末３の広告申込確定を前記データベース１６に保存する広告申込確認制御手段３４と、
前記期日制御手段２４による申込期日経過後であって前記広告申込確認制御手段３４により広告申込確定後、チラシの共同広告用のスペースに予め割り当てられた広告申込件数に達している場合には予め定められている広告枠５３の大きさを決定し、予め割り当てられている申込件数に達しない場合には共同広告用のスペースと申込件数から１件当たりの広告枠５３を大きくして決定する広告枠大きさ決定手段と、
前記広告枠大きさ決定手段により決定された広告枠５３の大きさを共同広告を申し込んだクライアント端末３へ送信する広告枠送信手段と、
予め定められている共同広告用のスペース以外の箇所に前記配布主の広告用のチラシの版下データを作成するチラシ版下作成手段２１と、
前記広告枠送信手段により知らされた広告枠５３の大きさに応じて前記クライアント端末３の広告依頼人が掲載する共同広告用の版下データと前記チラシ版下作成手段２１により作成された版下データとを前記データベース１６に保存するチラシデータ保存制御手段３７と、
前記データベース１６から共同広告用の版下データと当該チラシの配布主の広告用の版下データとを読み出して配布主の広告用の版下データの共同広告用のスペースに、共同広告用の版下データを割り当ててチラシ全体の版下データを作成する版下作成手段と
して機能させるプログラムを記録したコンピュータ読み取り可能な記録媒体であることを特徴としている。
【発明の効果】
【００２９】
本発明の請求項１記載の共同チラシの作成方法によれば、広告依頼人がチラシへの共同広告を申し込んだ場合には、既に配布が決定されているチラシに広告を申し込むので、必ず共同チラシとして配布されるものであり、広告依頼人の期待に沿うことができる。また、チラシ配布主と広告依頼人との共同チラシのため、双方の共同チラシの製作費用の軽減化を図ることができる。
また、チラシ１枚当たりの費用と、配布枚数からの総額とを、前記第２の表示制御ステップによりクライアント端末３の画面に表示させるようにしているので、広告依頼人にとってはチラシの配布枚数や共同チラシの費用が分かり、非常に透明性を高めることができる。
【００３０】
請求項２に記載の共同チラシの作成方法によれば、広告依頼人がチラシへの共同広告を申し込んだ場合には、既に配布が決定されているチラシに広告を申し込むので、必ず共同チラシとして配布されるものであり、広告依頼人の期待に沿うことができる。また、予め定られている共同広告用のスペースから広告申込件に応じて１件当たりの広告枠５３の大きさが決定されるので、予め定られている広告申込件数に満たない場合には、例えば同一の広告費用で大きな枠の広告枠５３を使用することができ、広告依頼人にとっては多くの広告文等を使用することができる。これにより、広告効果を一層高めることができる。
また、チラシ配布主と広告依頼人との共同チラシのため、双方の共同チラシの製作費用の軽減化を図ることができる。
また、チラシ１枚当たりの費用と、配布枚数からの総額とを、前記第２の表示制御ステップによりクライアント端末３の画面に表示させるようにしているので、広告依頼人にとってはチラシの配布枚数や共同チラシの費用が分かり、非常に透明性を高めることができる。
【００３１】
請求項３に記載の共同チラシの作成方法によれば、前記サーバ装置１のデータベース１６には、多数の前記チラシ配布主によるチラシの全配布地域の地図が予め格納されており、前記サーバ装置１は、前記データベース１６から地図データを読み出して、チラシの全配布地域地図を前記クライアント端末３の画面に表示させる地図表示制御手段３０を備えており、前記クライアント端末３が前記サーバ装置１にアクセスした際に、前記地図表示制御手段３０により、チラシの全配布地域地図をサーバ装置１が該クライアント端末３の画面に表示させる全配布地域地図表示ステップを備えていることで、広告依頼人にとって、チラシの全配布地域が分かるので、チラシを配布したい地域を即座に決めることができる。
【００３２】
【００３３】
請求項４に記載の共同チラシの作成方法によれば、前記サーバ装置１のデータベース１６には、前記配布主のチラシの版下データ５１が予め格納されており、前記サーバ装置１には、前記データベース１６から前記版下データ５１を読み出して該版下データ５１を前記クライアント端末３の画面に表示させるチラシ版下表示制御手段３３を備えており、前記クライアント端末３からの前記配布主のチラシへの共同広告申込前に前記チラシ版下表示制御手段３３により、前記データベース１６から版下データ５１を読み出してクライアント端末３の画面に表示させる版下データ表示ステップを備えているので、広告依頼人が載せるチラシの広告内容が容易に確認でき、広告依頼人が安心して共同チラシに参加することができる。
【００３４】
請求項５に記載の共同チラシの作成方法によれば、前記サーバ装置１には、前記クライアント端末３で作成された広告用版下データを前記データベース１６に保存するクライアントデータ保存制御手段２３を備えており、前記クライアントデータ保存制御手段２３により、前記クライアント端末３で作成された広告用版下データを前記データベース１６に保存しておく保存ステップを備えているので、クライアント端末３から受信した広告用版下データでもってチラシ全体の版下データを容易に作成することができる。
【００３５】
請求項６に記載の共同チラシの作成方法によれば、前記サーバ装置１には、前記チラシ全体の版下データを作成する際に、共同広告の申込順に所定の広告枠５３に広告依頼人の広告を順次割り当てる制御手段３７を備えており、前記制御手段３７により、前記チラシ全体の版下データを作成する際に、共同広告の申込順に所定の広告枠５３に広告依頼人の広告を順次割り当てるステップを備えているので、チラシの広告枠５３の位置をめぐって協議をする必要もなく、スムーズにチラシ全体の版下データへの作成に取りかかることができる。
【００３６】
請求項７に記載の共同チラシの作成システムによれば、広告依頼人がチラシへの共同広告を申し込んだ場合には、既に配布が決定されているチラシに広告を申し込むので、必ず共同チラシとして配布されるものであり、広告依頼人の期待に沿うことができる。また、チラシ配布主と広告依頼人との共同チラシのため、双方の共同チラシの製作費用の軽減化を図ることができる。
また、チラシ１枚当たりの費用と、配布枚数からの総額とを、前記第２の表示制御手段によりクライアント端末３の画面に表示させるようにしているので、広告依頼人にとってはチラシの配布枚数や共同チラシの費用が分かり、非常に透明性を高めることができる。
【００３７】
請求項８に記載の共同チラシの作成システムによれば、広告依頼人がチラシへの共同広告を申し込んだ場合には、既に配布が決定されているチラシに広告を申し込むので、必ず共同チラシとして配布されるものであり、広告依頼人の期待に沿うことができる。また、予め定られている共同広告用のスペースから広告申込件に応じて１件当たりの広告枠５３の大きさが決定されるので、予め定られている広告申込件数に満たない場合には、例えば同一の広告費用で大きな枠の広告枠５３を使用することができ、広告依頼人にとっては多くの広告文等を使用することができる。これにより、広告効果を一層高めることができる。
また、チラシ配布主と広告依頼人との共同チラシのため、双方の共同チラシの製作費用の軽減化を図ることができる。
また、チラシ１枚当たりの費用と、配布枚数からの総額とを、前記第２の表示制御手段によりクライアント端末３の画面に表示させるようにしているので、広告依頼人にとってはチラシの配布枚数や共同チラシの費用が分かり、非常に透明性を高めることができる。
【００３８】
請求項９に記載の共同チラシの作成システムによれば、前記サーバ装置１のデータベース１６には、多数の前記チラシ配布主によるチラシの全配布地域の地図が予め格納されており、前記サーバ装置１は、前記データベース１６から地図データを読み出して、チラシの全配布地域地図を前記クライアント端末３の画面に表示させる地図表示制御手段３０を備えているので、広告依頼人にとって、チラシの全配布地域が分かるので、チラシを配布したい地域を即座に決めることができる。
【００３９】
【００４０】
請求項１０に記載の共同チラシの作成方法によれば、前記サーバ装置１のデータベース１６には、前記配布主のチラシの版下データ５１が予め格納されており、前記サーバ装置１には、前記データベース１６から前記版下データ５１を読み出して該版下データ５１を前記クライアント端末３の画面に表示させるチラシ版下表示制御手段３３を備えているので、広告依頼人が載せるチラシの広告内容が容易に確認でき、広告依頼人が安心して共同チラシに参加することができる。
【００４１】
請求項１１に記載の共同チラシの作成システムによれば、前記サーバ装置１には、前記クライアント端末３で作成された広告用版下データを前記データベース１６に保存するクライアントデータ保存制御手段２３を備えているので、クライアント端末３から受信した広告用版下データでもってチラシ全体の版下データを容易に作成することができる。
【００４２】
請求項１２に記載の共同チラシの作成システムによれば、前記サーバ装置１には、前記チラシ全体の版下データを作成する際に、共同広告の申込順に所定の広告枠５３に広告依頼人の広告を順次割り当てる制御手段３７を備えているので、チラシの広告枠５３の位置をめぐって協議をする必要もなく、スムーズにチラシ全体の版下データへの作成に取りかかることができる。
【００４３】
請求項１３に記載の共同チラシ作成プログラムによれば、本発明の方法の実施に好適例のプログラムを提供でき、上記と同様の作用効果を奏する。
【００４４】
請求項１４に記載の共同チラシ作成プログラムによれば、本発明の方法の実施に好適例のプログラムを提供でき、上記と同様の作用効果を奏する。
【００４５】
請求項１５に記載の共同チラシ作成プログラムを記録したコンピュータ読み取り可能な記録媒体によれば、本発明の方法の実施に適したプログラムを記録した記録媒体であり、上記と同様の作用効果を奏する。
【００４６】
請求項１６に記載の共同チラシ作成プログラムを記録したコンピュータ読み取り可能な記録媒体によれば、本発明の方法の実施に適したプログラムを記録した記録媒体であり、上記と同様の作用効果を奏する。
【発明を実施するための最良の形態】
【００４７】
以下、本発明の実施の形態を図面を参照して詳細に説明する。本発明の共同チラシの製作システムを企画、運営する印刷会社は、新聞の折り込みのチラシを印刷する会社であり、多数のチラシ配布主からの依頼により、コンピュータによりチラシの版下を作成し、この版下を元に印刷してチラシを作成している。そして、チラシを印刷した後は、チラシ配布主が配布を希望する各地域（地区）の新聞販売店まで配送する。
そして、チラシは新聞の折り込みチラシとして朝刊と共に各家庭に配布されることになる。
【００４８】
ここで、チラシ配布主は、食品スーパーや、食品、衣料、雑貨等の種々の商品の販売を行なっているスーパーマーケットや、所謂ディスカウントスーパー、小売り店等であり、チラシを配布する業者であれば、どのような配布主（広告主体）でも良い。
以下の説明では、チラシ配布主をスーパー（スーパーマーケット）を例として説明する。
【００４９】
印刷会社がチラシ作成の依頼を受けるスーパーは、例えば、京都府、大阪府、滋賀県等の比較的広い地域にわたり、スーパーの数もかなりの数に達している。もちろん全国的に展開している場合も含むものである。また、スーパーのチラシを折り込む新聞も、１社のみではなく、一般的には、Ａ新聞、Ｍ新聞、Ｙ新聞等の全国紙に折り込んでチラシを配布している。また、多くはないがＮ経済新聞にもチラシを折り込む場合もある。
スーパーはチラシを配布しようとする場合に、配布日はもちろん配布する地域を決め、その決めた地域にある各新聞の販売店に各販売店が配る新聞の部数に応じたチラシの枚数を印刷会社に依頼して、その枚数のチラシを印刷会社が各地域の新聞販売店に配送するようになっている。
【００５０】
図１は各スーパーがチラシを配布する場合の配布地域と配布枚数の一例を示しており、Ａスーパーでは、ａ地域で各新聞に折り込む合計の例えば１００００枚のチラシを配布するようにしている。また、各スーパーにおいて、定期的にチラシを配布する地域や枚数は通常は決まっており、自己の店を中心に何キロメートルの範囲で配布するようにしている。
また、ＡスーパーとＢスーパーとが近くにある場合もあり、図１ではＢスーパーが配布する地域をｂ地域としているが、両スーパーが隣接する場合には、Ｂスーパーの配布地域はＡスーパーと同様のａ地域となる。
【００５１】
印刷会社は、取り引きのある各スーパーの店名、配布日、配布地域及び配布枚数を契約により確定しており、これをデータベース化している。特に、電子地図データに取り引きのあるスーパーの位置、店名及び店舗写真を貼り付けて、全体の地図と、地域別の地図とをデータベース化している。
【００５２】
次に、本発明の共同チラシの製作システムについて説明する。図２は共同チラシの製作システムの概略を示すブロック図を示し、印刷会社が管理するサーバ装置１と、このサーバ装置１にインターネット２を介して接続される多数のクライアント端末３とから構成されている。クライアント端末３は、共同広告を印刷会社に依頼する広告依頼人側のコンピュータであり、電子メールやＷｅｂブラウザのソフトウエアがインストールされている一般のパソコンである。
【００５３】
図３は上記サーバ装置１のブロック図を示し、このサーバ装置１はコンピュータからなっている。このサーバ装置１は、入力装置１１、出力装置１２、表示装置１３、主制御装置１４、メモリ１５およびデータベース１６等で構成されている。
上記入力装置１１は、キーボード、マウス、フロッピー（登録商標）ディスクドライブ、スキャナー、ＣＤ−ＲＯＭやＤＶＤなどのドライブ装置等からなり、また、出力装置１２は、プリンター、フロッピー（登録商標）ディスクドライブ、ＣＤ−ＲＯＭやＤＶＤなどのドライブ装置等からなっている。表示装置１３は、液晶ディスプレイやＣＲＴディスプレイ等である。
【００５４】
ＣＰＵ等で構成される主制御装置１４は、サーバ装置１全体の制御を所定のプログラムの手順に沿って行なうものであり、また、メモリ１５は、上記制御用のプログラムを格納しているＲＯＭや、クライアント端末３からのデータを一時的に格納するＲＡＭ等で構成されている。
データベース１６は、スーパー別フォルダ１７と全地域地図データフォルダ１８等で構成されており、このデータベース１６には、各スーパーが配布日がすでに決定済みの所定の日に配布するチラシの版下データや配布地図のデータなど種々の各種のデータが格納される。
【００５５】
図４は上記主制御装置１４の機能ブロック図を示し、各部の詳細な機能は後述するが、チラシ版下作成部２１は、各スーパーが配布するためのチラシの版下を作成するものであり、カウンタ制御部２２は、クライアント端末３から入力される共同広告の申込件数をカウントする機能等を有している。クライアントデータ保存制御部２３は、各クライアント端末３からの各データの保存処理を行なう機能を有している。
期日制御部２４は、チラシの配布日より以前のクライアント端末３からの申込の締め切り期日を設定するものであり、サーバ装置１側で設定される。広告枠数制御部２５は、チラシの大きさにより広告枠の数が決められるようになっており、チラシの一部に設けている共同広告スペースから自動あるいは手動で決められる。この手動の場合には入力装置１１からオペレータが入力する。
【００５６】
広告枠演算・決定制御部２６は、上記広告枠数制御部２５にて設定されている広告枠数に申込件数が達しなかった場合に、広告スペースに合うように広告枠の面積を広げるべく広告枠の大きさを演算し、決定するものである。また、通知制御部２７は、決定された広告枠の大きさをクライアント端末３へインターネット２を介して電子メールにて通知する機能を有しているものである。
サーバ装置用表示制御部２８は、サーバ装置１側でチラシの版下やクライアント端末３からの広告の表示処理を行なう機能を有している。
【００５７】
電子メールサーバ部２９は、上記通知制御部２７により制御されてクライアント端末３に対して電子メールの送受信を行なう機能を有しており、地図表示制御部３０は、データベース１６から地図データを読み出して、印刷会社が取り扱っているチラシ配布の全地域や各スーパーごとのチラシ配布の地域の地図をサイト上（クライアント端末３の画面）に表示制御させる機能を有している。
店舗表示制御部３１は、上記地図表示制御部３０にてチラシ配布の地図を表示させた際にチラシを配布する新聞販売店の位置とその販売店名や、チラシの配布主であるスーパーの位置、店名、店舗写真などをデータベース１６から読み出して表示させるものである。
【００５８】
配布内容表示制御部３２は、クライアント端末３からアクセスがあった場合に、該当するスーパーがチラシを配布する配布日、配布枚数、チラシ１枚当たりの広告単価や総額の費用をデータベース１６から読み出して表示させるものである。チラシ版下表示制御部３３は、該当するスーパーのチラシ版下のデザインをクライアント端末３側に表示させたり、クライアント端末３からの広告依頼人が作成した後の商品の売価を伏せたチラシ全体の版下デザインなどをデータベース１６から読み出して表示させる機能を有している。
【００５９】
広告申込確認制御部３４は、クライアント端末３から共同広告の申し込みの確認（登録）があった場合に、当該クライアント端末３からの申込確定をデータベース１６に格納させる機能を有している。また、検索制御部３５は、クライアント端末３からサーバ装置１にアクセスして、希望するチラシの配布日や配布地域を検索する機能を有している。
また、広告データ制御部３６は、データベース１６の広告枠データファイル４１（図６参照）から共同広告の申込件数に応じて決定されて格納されている広告枠を読み出して表示させるものである。チラシデータ保存制御部３７は、クライアント端末３から広告枠に広告文等を入力して、広告内容がＯＫの場合に、該広告の保存や、サーバ装置１側で作成した広告文や、広告依頼人が直接持ち込んだり、郵送した広告文のデータ等の保存や、各スーパーのチラシのデータを保存処理を行なう機能を有している。
【００６０】
また、広告日表示制御部３８は、クライアント端末３からサーバ装置１にアクセスがあった場合に、既にチラシの配布日（広告日）が決定しているのを表示させるものであり、例えば、クライアント端末３の画面にカレンダー形式にて広告日の一覧を表示させるようにしている。
【００６１】
図５は上記データベース１６の構造を示しており、各スーパーのデータを格納するスーパー別フォルダ１７は、各スーパーごとに対応したフォルダからなっている。ここでは、Ａスーパーに対応したフォルダを１７ａとし、Ｂスーパーに対応したフォルダを１７ｂとし、以下、Ｎスーパーに対応したフォルダ１７ｎを備えている。
データベース１６の全地域地図データフォルダ１８は、印刷会社と契約している各スーパーがチラシを配布している全地域にわたる地図のデータが格納されており、例えば、京都府、大阪府、滋賀県等において実際に配布されている地域に着色した地図データとして格納されている。
【００６２】
図６はデータベース１６のスーパー別フォルダ１７内のＡスーパーのファイル構成図を示している。他のＢスーパー以降も同じ構成なので、Ａスーパーの場合について説明する。Ａスーパーフォルダ１７ａの下層には複数の配布日データフォルダ３９（３９ａ、３９ｂ・・・）が設けてあり、例えば、１週間後のチラシの配布日に対応した配布日データは、配布日データフォルダ３９ａに格納され、２週間後のチラシの配布日に対応した配布日データは、別の配布日データフォルダ３９ｂに格納されるようになっている。つまり、同一のスーパーが配布する日が複数ある（配布日が異なる）場合に対応して複数の配布日データフォルダ３９を持たせている。
【００６３】
図６に示すように、配布日データフォルダ３９（３９ａ）の下層には、申込期日データファイル４０、広告枠データファイル４１、申込件数データファイル４２、クライアントデータファイル４３、版下データファイル４４、配布地域地図データファイル４５、チラシデータファイル４６及び完成版下データファイル４７が設けられている。
【００６４】
申込期日データファイル４０は、当該共同広告の締め切り期日データが格納されるものであり、サーバ装置１の入力装置１１からオペレータにて入力される。広告枠データファイル４１は、広告枠数制御部２５や広告枠演算・決定制御部２６により決定された広告枠の大きさのデータを格納しておくものである。
申込件数データファイル４２は、予め定めた申込件数や、カウンタ制御部２２からの共同広告の申込件数を格納しておくものである。
【００６５】
クライアントデータファイル４３は、Ａスーパーに共同チラシの広告を申し込んだ依頼人のクライアント端末３から送信された広告内容等の広告用版下データ、メールアドレス、パスワードなどの広告依頼人に関するデータが保存されるものであり、複数の広告依頼人に対応した記憶領域が設けられている。
版下データファイル４４は、Ａスーパーがその配布日に配布するチラシの版下データが保存されるようになっており、共同広告のスペースの部分を除いたデザインの版下データである。また、チラシ配布前に公開することから、チラシ掲載の商品の値段を付した版下データと、値段を削除した版下データとの両方の版下データを記憶させる領域が設けられている。
【００６６】
配布地域地図データファイル４５は、Ａスーパーがチラシの配布日に配布する地図データが格納されており、また、チラシデータファイル４６には、当該スーパーの位置、店舗名、店舗写真、チラシの配布日、配布枚数、チラシの大きさによるチラシ１枚当たりの広告依頼人が支払う単価と、その単価に配布枚数を掛けた総額の費用等の各データが格納されている。
完成版下データファイル４７は、チラシ版下作成部２１により、クライアントデータファイル４３に格納されている広告依頼人の広告文等の広告用版下データと、版下データファイル４４の版下データとを組み合わせて完成させた（作成された）印刷用のチラシの版下データが保存される。
【００６７】
次に、本発明の共同チラシの製作システムの作用について説明する。先ず、チラシを配布しようとするスーパーはそれぞれチラシの版下を作成する。現在チラシの版下作成は、コンピュータで行なわれており、図４に示すチラシ版下作成部２１にて本サーバ装置１でチラシの版下を作成するようにしても良い。なお、このチラシ版下作成部２１に本発明者が発明した特許第３３０８２６１号にかかる機能を持たせてチラシの版下を作成するようにしても良い。
コンピュータによるチラシの版下自体の作成は、既に周知であり、また、本発明の要旨ではないので、説明は省略する。
【００６８】
図７は、上記チラシ版下作成部２１にて作成された、あるスーパーのチラシの版下データ５１の一例を示しており、データベース１６の版下データファイル４４に格納されている。この版下データ５１には、スーパー側と印刷会社側との打ち合わせにて共同広告のスペースを決めた共同広告部５２以外の箇所に商品とその価格がレイアウトされる。チラシの大きさは任意の大きさで良く、また、共同広告部５２のスペースも任意に設定できる。
図７に示す例では、共同広告部５２に掲載する広告枠５３の数を５つの場合としており、また、広告枠５３の配置はこの例では上下方向としているが、どのような配置構成でも良い。なお、共同広告部５２では、「コラボコーナー」とした名称を用いている。
【００６９】
なお、チラシのどこに共同広告部５２を配置するかはチラシの配布主が任意に設定でき、チラシの大きさに応じて表の半分を自己の商品の広告とし、残りの半分を共同広告部５２としても良い。また、チラシの表の全面に自己の商品の広告とし、裏面の全体を共同広告用の共同広告部５２としてのスペースを取るようにしても良い。
【００７０】
ここで、図７に示す版下データ５１では、商品の値段を掲載しているが、この版下データ５１は広告依頼人がクライアント端末３から申し込む際に公開される（クライアント端末３の画面に表示される）ので、この公開される版下データ５１は値段を伏せるようにしている。
そこで、作成された版下データ５１を図６に示す版下データファイル４４に保存する場合に、図４に示すチラシ版下作成部２１により図８に示すように、値段を伏せた版下データ５１を作成し、図７及び図８に示す両版下データ５１をチラシデータ保存制御部３７によりデータベース１６の版下データファイル４４にそれぞれ格納しておく。
【００７１】
また、チラシの版下データ５１を作成する場合には、該チラシの配布日、配布地域、配布枚数、チラシの単価及び総額が決められるので、チラシの配布日データを配布日データフォルダ３９を介してチラシデータファイル４６に店舗名などと共に格納する。また、上記版下データ５１は版下データファイル４４に格納される。
さらに、チラシデータ保存制御部３７によりデータベース１６の全地域地図データフォルダ１８からチラシを配布する地域の該当する地図データを読み出して配布地域地図データファイル４５に格納される。
【００７２】
また、チラシの印刷から配布までの費用として、チラシ１枚が例えば、１０円とした場合、ここでは図７に示すように５つの広告枠５３を設けていて、１つの広告枠５３の費用として、例えば、１円あるいは５０銭とし、その単価及び総額（単価×配布枚数）のデータをチラシデータファイル４６に格納する。例えば、５つの広告枠５３に５人が共同広告を申し込んだ場合、１つの広告枠５３がチラシ１枚当たりの費用が１円とすると、５人の広告依頼人が合計５円を負担し、残りの５円をスーパーが負担するようにしている。これにより、スーパー側での広告の費用の負担を軽減化することができる。
なお、チラシに関する各種のデータをデータベース１６に保存する場合には、図４に示す主制御装置１４のチラシデータ保存制御部３７により保存制御される。
【００７３】
このようにして、各スーパーあるいは印刷会社は、所定の期日までに、配布日を基準として版下データを作成し、サーバ装置１側では、版下データを元にチラシに関する各種のデータを各スーパーごとのスーパー別フォルダ１７にそれぞれ格納しておく。
なお、チラシのデータの格納は、サーバ装置１側のオペレータが入力操作により格納するようにしても良く、また、前記特許第３３０８２６１号による場合では、各種のデータを受け取る際にチラシデータ保存制御部３７が自動で順次格納するようにしても良い。
【００７４】
次に、広告依頼人がクライアント端末３からインターネット２を介してサーバ装置１にアクセスして、共同チラシの広告を申し込む場合の動作について説明する。先ず、図９のステップＳ１に示すように、広告依頼人のクライアント端末３から印刷会社が管理しているサーバ装置１のサイトへインターネット２を介してアクセスすると、自己のクライアント端末３の液晶ディスプレイの表示部６０には、図１２に示すような画面が表示される。
この図１２に示されている画面の次ボタン６１をマウスポインタでクリックすると、クライアント端末３の表示部６０には図１３に示すような画面が表示される。
【００７５】
図１３に示す画面が表示されると、図９のステップＳ２に示すように、印刷会社と契約している全スーパーがそれぞれチラシを配布している新聞折込地図の広域地図がクライアント端末３の表示部６０の地図表示部６２に表示される。なお、図１３では広域地図の所定のポイントをクリックして一地域を拡大して表示させている例である。
これは、次ボタン６１がクリックされることで、主制御装置１４の地図表示制御部３０がデータベース１６の全地域地図データフォルダ１８から地図データを取り込んでクライアント端末３の画面に電子地図として表示させる。
ここで、チラシを配布している地域、例えば、京都府、大阪府、滋賀県の地図が表示され、実際に配布している地域に着色が施されていて、配布地域が容易に認識できるようになっている。
【００７６】
また、地図表示部６２における広域地図の表示と共に、広告日一覧表示部６８にはカレンダー形式としてチラシの広告日（配布日）が表示されるようになっている。例えば、広告日はその日は赤色としたり、配布のない日とは異なる色で着色するようにする。
また、広告日一覧表示部６８の画面上のボタン６９ａをクリックすると翌月のカレンダーが表示され、先月に戻る場合には、下側のボタン６９ｂをクリックすることで戻ることができる。
【００７７】
図１３及び図９のステップＳ３に示すように、広告日一覧表示部６８におけるカレンダーの日にちの数字（例えば、２月１０日）をクリックすると、その日に配布される地域が着色された地図が地図表示部６２に表示されるようになっている（ステップＳ４参照）。これにより、チラシを配布する当該日にはどの地域でチラシが配布されるか一目で認識できる。
また、地図表示部６２にて表示される地図画面を拡大していくと、配布主のスーパーの店舗位置も表示される（ステップＳ４参照）。
【００７８】
ここで、サーバ装置１の主制御装置１４の広告日表示制御部３８により、データベース１６のスーパー別フォルダ１７の各チラシデータファイル４６より配布日である広告日を読み出して広告日一覧表示部６８に表示させている。また、広告日一覧表示部６８のカレンダーの数字がクリックされた場合には、主制御装置１４の地図表示制御部３０により該当する配布日に対応した配布地域地図データファイル４５から地図データを読み出してクライアント端末３の地図表示部６２に表示させると共に、その部分を着色して表示させる。
【００７９】
また、主制御装置１４の店舗表示制御部３１により店舗の位置データを読み出してクライアント端末３の地図表示制御部３０に表示させる。なお、この場合、地図表示制御部３０における地図表示が所定の大きさに拡大された場合に表示させるようにしている。これは、広域地図表示の場合では、多数のスーパーが表示されて、視認性を悪くするからである。
【００８０】
なお、クライアント端末３の画面上に表示されている、例えば京都市の地図の上をクリックすると、地区別の印刷会社に共同チラシとして加盟しているスーパーの一覧を表示させるようにしても良い。さらに、京都市の地図を拡大操作して、例えば、右京区の部分をクリックした場合には、右京区内に存続しているスーパーの一覧を表示させるようにしても良い。
【００８１】
次に、図９に示すステップＳ５に移行して、地図表示部６２にチラシを配布したい地域が無ければ、図１３に示す戻りボタン６３をクリックするが、配布したい地域があれば、表示部６０の画面に表示されている地域名入力欄６４に地域名を、広告日入力欄６５に広告日（チラシの配布日）をそれぞれ自己のクライアント端末３のキーボードなどで入力する。
地域名と配布日を入力し、画面の検索ボタン６６をクリックすると（図９のステップＳ６参照）、該当するスーパー名が１店あるいは複数店の名前が画面上の店名表示部６７に表示されるようになっている。
【００８２】
ここで、検索ボタン６６がクリックされると、図４に示すサーバ装置１の主制御装置１４の検索制御部３５が、入力された地域と配布日に該当するスーパーをデータベース１６のスーパー別フォルダ１７から検索する。
【００８３】
図１０においてステップＳ７の検索結果から該当するスーパーが無いか、あるいは所定の申込件数に達している（図７の例では５件）場合には、図１４に示す地図表示部６２に「現在すでに申込件数がいっぱいです。終了するか内容を変更して下さい。」の文字が表示される。そこで、ステップＳ８に示すように、申込を終了するか配布日、配布地域のいずれか、あるいは両方を変更する。
終了する場合には、ステップＳ８からステップＳ９に移行して画面上の終了ボタン７０をクリックして申込を終了する。また、配布日、配布地域を変更する場合には、変更ボタン７１をクリックしてステップＳ８から図９のステップＳ５に戻る。
【００８４】
ステップＳ７に示す検索結果において、該当するスーパーがあれば、図１５に示すように、クライアント端末３の画面の店名表示部６７には該当する１店または複数店のスーパー名が表示される（ステップＳ１０参照）。そして、店名表示部６７にて表示されているスーパー名の箇所をクリックすると、図１６に示すように、画面の地図表示部６２には当該スーパーのチラシの配布地図が表示されると共に、該スーパーの店舗名、及び店舗の位置が電子地図上に表示される。
また、同時に店舗写真表示部７７には当該スーパーの店舗の写真が表示される。さらに、同時に画面の配布内容表示部７２には、当該チラシの配布日、配布枚数、１枚当たりの単価、及び総額の金額が表示される（ステップＳ１１参照）。
【００８５】
なお、スーパーの店舗写真をクライアント端末３の画面上に表示させることで、広告効果を上げることができ、広告依頼人に共同広告の参加をしたいという気持ちを高めることができる。
また、スーパー名や店舗写真からどのような商品を販売しているか（扱っているか）を共同チラシの参加者にとって認識することができる。すなわち、共同チラシの参加者が販売しようとしている商品とスーパーが販売している商品と同じである場合には、事前に共同チラシへの参加を取り止めることができ、逆に異なる商品である場合には、共同チラシへの参加の意欲を高めることができる。
【００８６】
ここで、店名表示部６７に表示されているスーパー名がクライアント端末３の画面上でクリックされると、その信号を受けたサーバ装置１の主制御装置１４の地図表示制御部３０がデータベース１６の配布地域地図データファイル４５から地図データを読み出してサイト上で表示させるようにしている。
また、主制御装置１４の店舗表示制御部３１がデータベース１６のチラシデータファイル４６から当該スーパーの店舗名データ及び位置データを読み出して画面上に店舗名と位置を表示させるようにしている。さらに、主制御装置１４の配布内容表示制御部３２が、データベース１６のチラシデータファイル４６からそれぞれ配布日データ、配布枚数データ、単価データ及び総額データを読み出してサイト（クライアント端末３の画面）上に表示させるようにしている。
【００８７】
また、図１１のステップＳ１２において、図１６に示すデザインボタン７３をクリックすると、選択している当該スーパーのチラシの版下データが表示される。これは、サーバ装置１の主制御装置１４のチラシ版下表示制御部３３によりデータベース１６のスーパー別フォルダ１７の版下データファイル４４から選択されているスーパーの版下データが図１７に示すように、クライアント端末３の地図表示部６２に表示されるものである。これにより、広告依頼人が自己のクライアント端末３にてどのようなチラシのデザインかを確認することができる。
【００８８】
なお、チラシの版下データを表示させるのに、ここではデザインボタン７３をクリックした場合に表示させるようにしているが、図１０に示すステップＳ１１において、クライアント端末３の画面に別枠を設けて、そこで版下データを表示させるようにしても良い。
【００８９】
ここで、図１７に示すように、クライアント端末３の画面に表示される版下データ５１において、商品の値段は伏せてある。これは、版下データ５１が一般に公開されるからであり、チラシの配布前には商品売価に関して守秘義務があるからである。
【００９０】
そして、所望のスーパーを決定する場合、つまり共同広告を申し込むスーパーを決定する場合には、図１６に示す画面上の決定ボタン７４をクリックすると（ステップＳ１３参照）、図１８に示す画面が表示される。
図１１のステップＳ１４において、共同広告を申し込まない場合には図１８に示す終了ボタン７５をクリックして終了するが、共同広告を申し込む場合は共同広告申込ボタン７６をクリックする。この共同広告申込ボタン７６をクリックすると、クライアント端末３の画面は図１９に示す画面となる。
【００９１】
そして、図１１のステップＳ１５に示すように、メールアドレス入力欄８０には広告依頼人のクライアント端末３のメールアドレスを入力し、また、パスワード入力欄８１には任意のパスワードを入力する。なお、このステップＳ１５ではパスワードを入力するようにしているが、パスワードの入力を省略するようにしても良い。
次に、次ボタン８２をクリックすると、ステップＳ１６及び図２０に示すように、クライアント端末３の画面の店名表示部６７には選択したスーパー名が表示され、地図表示部６２には当該スーパーのチラシが配布される地域の新聞折込地図（電子地図）が表示され、さらに、配布内容表示部７２にはチラシの配布日、配布枚数、広告費用の総額が表示される。
【００９２】
広告依頼人が自己のクライアント端末３の画面を見て、内容に間違いが無ければ、画面上の確認ボタン８３をクリックすると（図１１のステップＳ１７参照）、図２１に示す画面が表示される。この画面には、「共同広告の申し込みを受け付けました。後ほど広告枠の大きさをＥメールにて通知します。」の文字が表示される。
【００９３】
また、確認ボタン８３がクリックされると、図４に示すサーバ装置１の主制御装置１４のクライアントデータ保存制御部２３は、入力されたメールアドレス、パスワードを図６に示すデータベース１６のクライアントデータファイル４３に格納する。
上記のクライアント端末３からサーバ装置１へのアクセスや、サーバ装置１でのクライアント端末３からのデータの受信、保存処理等が各配布日、配布地域に応じたチラシの共同広告の申込件数が所定の広告枠数に達するまで、あるいは所定の期日になるまで行なわれる。
【００９４】
次に、図２２〜図２５によりサーバ装置１側の制御動作について説明する。先ず、図２２のステップＳ３１において、クライアント端末３からサーバ装置１にアクセスがあり、図１２に示す次ボタン６１がクリックされた場合にはステップＳ３２に移行する。サーバ装置１側ではクライアント端末３からの信号により主制御装置１４の地図表示制御部３０によりチラシが配布されている全地域の地図データをクライアント端末３側に送ると共に、広告日表示制御部３８により広告日（配布日）が既に決定している日データをクライアント端末３に送って、クライアント端末３の画面にチラシの全配布地域地図と広告日の一覧を表示させる。
【００９５】
次に、ステップＳ３３に進んで、クライアント端末３から広告日一覧表示部６８にて表示されているカレンダーの日にちの数字がクリックされた場合にはステップＳ３４に移行する。ステップＳ３４においては、サーバ装置１の主制御装置１４の地図表示制御部３０によりクリックされた日にちに該当する１店舗または複数店舗のスーパーのチラシの配布地域の地図データをクライアント端末３に送信し、該当日のチラシの配布地図をクライアント端末３の画面に表示させる。
【００９６】
次に、図２３のステップＳ３５において、クライアント端末３からサーバ装置１側に配布日データ（広告日入力欄６５からの入力）と、配布地域データ（地域名入力欄６４からの入力）の入力があった場合には、ステップＳ３６に示すように、主制御装置１４の検索制御部３５によりデータベース１６内での検索処理が行なわれる。
そして、ステップＳ３７に示すように、検索制御部３５にて、配布日データと配布地域データが共に条件が合致するスーパーがあったかを判断し、該当しない場合にはステップＳ３８に移行して該当しない旨をクライアント端末３の地図表示部６２に表示させる。なお、図１４では申込件数がいっぱいの場合の表示がなされているが、この場合では、「該当無し」の文字が表示される。
【００９７】
ステップＳ３７で、条件が合致するスーパーがあった場合には、ステップＳ３９に移行し、広告申込確認制御部３４にてデータベース１６の申込件数データファイル４２のデータにより所定の申込件数に達しているかが判断される。所定の申込件数に達している場合には、ステップＳ４０に移行してその旨が表示される（図１４参照）。
ステップＳ３９において、申込件数が未だ所定の件数に達していない場合には、ステップＳ４１に移行して店舗表示制御部３１によりデータベース１６から読み出して該当するスーパーの店名を表示させる。
【００９８】
次に、図２４のステップＳ４２に進んで、クライアント端末３側で表示されているスーパー名がクリックされると、クリックされた（選択された）スーパーのチラシの配布の内容のデータをデータベース１６から抽出し、その内容をクライアント端末３側に表示させる。
すなわち、図４に示す地図表示制御部３０によりデータベース１６の該当する配布日の配布日データフォルダ３９より下層の配布地域地図データファイル４５から該当する地図データを読み出してクライアント端末３側に表示させ、また、配布内容表示制御部３２によりデータベース１６のチラシデータファイル４６から該当する配布日、配布枚数、広告費用であるチラシ１枚当たりの単価及び総額を読み出してクライアント端末３側に表示させる。また、同時に店舗表示制御部３１によりデータベース１６のチラシデータファイル４６から店舗写真データを読み出してクライアント端末３に表示させる。
【００９９】
また、ステップＳ４２からステップＳ４３に進んで、クライアント端末３から選択されているスーパーのデザインボタン７３がクリックされた場合には、サーバ装置１の主制御装置１４のチラシ版下表示制御部３３によりデータベース１６の版下データファイル４４から図８に示す版下データ５１を読み出して、該版下データ５１をクライアント端末３の画面上に表示させる。
次に、ステップＳ４４に進んで、広告依頼人により共同広告を申し込むスーパーが決定され、クライアント端末３側で共同広告申込ボタン７６がクリックされて共同広告の申し込みがなされた場合にはステップＳ４５に移行する。
【０１００】
ステップＳ４５では、クライアント端末３からメールアドレスとパスワードが送られてくるので、主制御装置１４側ではクライアントデータ保存制御部２３によりデータベース１６のクライアントデータファイル４３にクライアント端末３別にメールアドレスやパスワードを格納していく。
また、ステップＳ４６に移行して、主制御装置１４の地図表示制御部３０により当該スーパーがチラシを配布する地域の地図データをデータベース１６の配布地域地図データファイル４５から、店舗表示制御部３１により当該スーパーの店舗名データ、店舗の位置データ、店舗写真などをチラシデータファイル４６から、配布内容表示制御部３２によりチラシデータファイル４６から、地図データ、スーパー名データ、配布日データ、配布枚数データ、広告費用の総額データ等をそれぞれ読み出してクライアント端末３の画面上にそれぞれ表示させる。
【０１０１】
次に、図２５に示すステップＳ４７に示すように、クライアント端末３から確認ボタン８３がクリックされた場合には、サーバ装置１の主制御装置１４の広告申込確認制御部３４により該クライアント端末３の共同広告の申し込みをデータベース１６のクライアントデータファイル４３に保存処理を行なう。
また、ステップＳ４８に示すように、主制御装置１４のカウンタ制御部２２により申込件数をカウントアップして該申込件数データをデータベース１６の申込件数データファイル４２に保存処理を行なう。
【０１０２】
さらに、ステップＳ４９において、申込期日データファイル４０から予め設定している申込期日データ（締め切り期日データ）をタイマー機能を有する期日制御部２４が読み出して現在日時と比較し、申込期日（締め切り期日）になっている場合にはステップＳ５０に移行する。ステップＳ５０では、広告枠数制御部２５により申込件数データファイル４２から共同広告の申込件数データを読み出して申込件数を確認する。
ステップＳ５０において、チラシに予め割り当てられた申込件数に達している場合にはステップＳ５２に移行し、広告枠数制御部２５により予め定められている広告枠の横何ｃｍ×縦何ｃｍのスペース（大きさ）を決定し、データベース１６の広告枠データファイル４１に格納する。
【０１０３】
ステップＳ５０において、予め割り当てられている申込件数に達しない場合にはステップＳ５１に移行し、広告枠演算・決定制御部２６により、全体の広告スペースと申込件数から１件当たりの広告枠のスペースを演算をして決定を行ない、その広告枠の横何ｃｍ×縦何ｃｍのスペースを上記広告枠データファイル４１に上書き等の保存処理を行なう。
【０１０４】
次に、ステップＳ５３に示すように、決定された広告枠のスペース（大きさ）を主制御装置１４の通知制御部２７により広告枠データファイル４１から読み出すと共に、電子メールサーバ部２９を駆動制御して電子メールにより広告依頼人の各クライアント端末３へ送信する。
【０１０５】
ここで、図１７に示すように、この例ではチラシの共同広告の枠数（申込件数）を５つとしており、５件の申込があった場合には、図１７に示す予め定められているスペース（大きさ）が広告枠５３となる。しかし、上記図２５のステップＳ５１において、申込件数が２件の場合は、本実施形態では図１７に示す予め定めた大きさのスペースの広告枠５３ではなく、図２６に示すように、共同広告部５２の面積の略１／２の大きさのスペースを広告枠５３としている。
また、申込件数が１件の場合は、図２７に示すように、共同広告部５２のほぼ全体のスペースの大きさとした広告枠５３となる。この広告枠５３の大きさの演算処理は図４に示す主制御装置１４の広告枠演算・決定制御部２６にて行なわれる。
【０１０６】
なお、共同広告の申込数に関係なく１件当たりの費用は固定されており、申込数が１件でも５件の場合でも費用は同じである。そのため、申込件数が１件の場合では同じ費用で５倍の大きさの広告枠５３を使用することができる。
また、共同広告の申込がゼロの場合は、この共同広告部５２の部分に共同広告が行なえる旨の広告を行なったり、あるいはスーパーの商品広告を行なうようにしても良い。この場合、チラシの印刷、配布を依頼しているスーパー側がチラシの費用を全面的に負うことになる。
【０１０７】
次に、クライアント端末３側から共同広告の広告の作成について説明する。図２８のステップＳ６１に示すように、サーバ装置１からクライアント端末３に広告枠の大きさの旨の通知があった場合にはステップＳ６２に移行し、当該広告依頼人のクライアント端末３よりサーバ装置１のサイトにアクセスする。
ステップＳ６３に示すように、サイトにアクセスした後に広告依頼人のパスワードを入力すると、図３０に示すような画面が表示され、その画面上の広告作成ボタン８５をクリックすると（ステップＳ６４参照）、図３１に示すような画面が表示される。
【０１０８】
図３１に示すように、画面上に表示されている店名入力欄８６に共同広告を申し込むスーパーの店名を入力し（ステップＳ６５参照）、次ボタン８７をクリックすると、図３２に示すような画面が表示されて、当該スーパーの版下データが表示される（ステップＳ６６参照）。図３２で画面の次ボタン８８をクリックすると図３３に示すような画面が表示される。
【０１０９】
図３３に表示される広告入力欄９０は、前記申込件数によって決定された大きさに対応した広告入力欄９０であり、この広告入力欄９０内にステップＳ６７に示すように、広告主、広告文、住所・電話番号・メールアドレス等の連絡先等を入力する。そして、図２９のステップＳ６８に示すように、入力作成した広告の内容について間違いが無くＯＫであれば、図３３に示す保存ボタン９１をクリックすることで、広告依頼人の広告用版下がサーバ装置１側に保存されることになる（ステップＳ６９参照）。
【０１１０】
次に、広告依頼人のクライアント端末３からの広告作成、保存等におけるサーバ装置１側の制御動作について説明する。図３４に示すステップＳ８１において、広告依頼人のクライアント端末３からサーバ装置１側にアクセスがあった場合にはステップＳ８２に移行する。
ステップＳ８２では、サーバ装置１の図４に示す主制御装置１４のチラシ版下表示制御部３３が図６に示すＡスーパーフォルダ１７ａ内の版下データファイル４４から版下データを読み出してクライアント端末３の画面上に表示させる。
【０１１１】
次に、ステップＳ８３に進んで、申込件数によって決定された広告枠のスペースを主制御装置１４の広告データ制御部３６がデータベース１６の広告枠データファイル４１から読み出してクライアント端末３の画面上に表示する（図３３参照）。この場合、画面の広告枠５３の大きさも横何ｃｍ×縦何ｃｍと表示され、広告依頼人にとっては、広告枠５３の大きさが分かることで、文字数や文字の大きさを任意に設定して、広告枠５３の大きさに応じて任意の版下を作成することができる。
【０１１２】
そして、ステップＳ８４に示すように、クライアント端末３から保存ボタン９１がクリックされたことで、この信号を受信してクライアントデータ保存制御部２３により該広告用版下データをデータベース１６のクライアントデータファイル４３に保存する（ステップＳ８５参照）。
【０１１３】
なお、広告用版下データをサーバ装置１側におけるオペレータが作成して、データベース１６のクライアントデータファイル４３に保存するようにしても良い。また、広告用版下データを広告依頼人がクライアント端末３からインターネット２を介さずに郵送したり、あるいは直接にサーバ装置１を管理している印刷会社に持ち込んだ場合には、これらの広告用版下データをオペレータの操作によりデータベース１６のクライアントデータファイル４３に保存するようになっている。
【０１１４】
次に、図３５のステップＳ８６に進み、割り当てられた広告枠数のすべてに対して各クライアント端末３により広告用版下が作成・保存された場合には、これをサーバ装置１の主制御装置１４のチラシデータ保存制御部３７が集計保存しており、このチラシデータ保存制御部３７によりステップＳ８７に示すように、チラシ版下の広告枠５３に、申込順に例えば共同広告部５２のスペースの上から順に割り当てていき、完成したチラシ版下のデータとして該チラシ版下をデータベース１６の完成版下データファイル４７に保存する。
【０１１５】
これにより、チラシ全体の版下（版下データ）が完成する（ステップＳ８８参照）。この完成した版下を図３６に示す。また、サーバ装置１の主制御装置１４のサーバ装置用表示制御部２８により図３６に示すようにチラシの版下データを表示装置１３に表示させて、サーバ装置１が確認することができる。
そして、このように版下が完成すると、完成版下データファイル４７から完成した版下データを読み出して、図外のプレートセッターに出力し、チラシの印刷に取りかかる。印刷後は新聞の販売店に配送するようになっている。
【０１１６】
図３６に示すように、共同広告の広告枠５３ａでは産地直売品の広告であり、例えば、日本海でとれた新鮮な魚を京都市内で販売する場合には好適例となる。また、日本海側で京都市内や大阪市内等で直接チラシを配布する場合には、遠く離れた場所でのチラシの印刷、配布方法などは見つけにくいが、本実施形態では、単に印刷会社のサイトにアクセスするだけで、遠く離れた地域にでも、簡単、且つ安価にチラシを配布することが可能となる。
【０１１７】
また、図３６において、広告枠５３ｂでは、イベント案内の広告であり、広告枠５３ｃではお店の開店案内の広告であり、広告枠５３ｄでは求人案内の広告であり、広告枠５３ｅでは、パン屋の広告の例である。
この図３６に示す例では、早く申し込んだ順に上から広告枠５３ａ〜５３ｅの順番に割り当てられていく。
【０１１８】
なお、先の実施形態では、広告依頼人の業種については特に言及はしていないが、クライアント端末３から広告を申し込む際に申込可能な業種の一覧を表示させて、その中から選択できるようにしておいても良い。
すなわち、スーパー側や共同広告の依頼人側の双方にとってイメージ的に悪い影響を与えるような業種、例えばパチンコ店、消費者金融関係、風俗店などの共同広告で一緒に載せたくないような業種は申し込めないようにし、これら以外の業種の中からのみ選択可能とするようにしても良い。
【０１１９】
また、図３６に示すような完成した版下データをスーパー側に確認をとってからチラシの印刷、配布をするようにしても良い。つまり、共同広告依頼人（共同広告の参加者）の広告内容がスーパー側等のチラシ配布主の許可条件に合致しているかの確認を取るようにしても良い。
さらには、共同チラシの参加者の代金の支払いの完了は、チラシの印刷前に行なうようにしても良い。
【０１２０】
このように本実施形態では、広告依頼人がチラシへの共同広告を申し込んだ場合には、既に配布が決定されているチラシに広告を申し込むので、必ず共同チラシとして配布されるものであり、広告依頼人の期待に沿うことができる。また、予め定られている共同広告用のスペースから広告申込件に応じて１件当たりの広告枠５３の大きさが決定されるので、予め定られている広告申込件数に満たない場合には、例えば同一の広告費用で大きな枠の広告枠５３を使用することができ、広告依頼人にとっては多くの広告文等を使用することができる。これにより、広告効果を一層高めることができる。
また、チラシ配布主と広告依頼人との共同チラシのため、双方の共同チラシの製作費用の軽減化を図ることができる。
【０１２１】
また、クライアント端末３が前記サーバ装置１にアクセスした際に、チラシの全配布地域地図をサーバ装置１が該クライアント端末３へ送信するようにしているので、広告依頼人にとって、チラシの全配布地域が分かるので、チラシを配布したい地域を即座に決めることができる。
また、チラシ１枚当たりの費用と、配布枚数からの総額とを、クライアント端末３への送信するようにしているので、広告依頼人にとってはチラシの配布枚数や共同チラシの費用が分かり、非常に透明性を高めることができる。
【０１２２】
さらに、クライアント端末３からの共同広告申込前に前記サーバ装置１がデータベース１６から版下データ５１を読み出してクライアント端末３へ送信するようにしているので、広告依頼人が載せるチラシの広告内容が容易に確認でき、広告依頼人が安心して共同チラシに参加することができる。
また、クライアント端末３で作成された広告用版下データを受信すると共に、該広告用版下データを前記データベース１６に格納しているので、クライアント端末３から受信した広告用版下データでもってチラシ全体の版下データを容易に作成することができる。
【０１２３】
さらに、チラシ全体の版下データを作成する際に、共同広告の申込順に所定の広告枠５３に割り当てるようにしているので、チラシの広告枠５３の位置をめぐって協議をする必要もなく、スムーズにチラシ全体の版下データへの作成に取りかかることができる。
【０１２４】
上述した実施形態に示した処理を行なうプログラムをコンピュータにインストールすることにより、本発明のサーバ装置を構成することが可能となる。そのプログラムは、コンピュータにプレインストールされていても良く、また、フロッピー（登録商標）ディスク、ＣＤ−ＲＯＭ、ＤＶＤ−ＲＯＭ、ハードディスク等のコンピュータ読み取り可能な記録媒体にプログラムの形態で記録させておき、その記録媒体からコンピュータにプログラムをインストールするようにしても良い。
【図面の簡単な説明】
【０１２５】
【図１】本発明の実施の形態における各スーパーがチラシを配布する場合の配布地域と配布枚数の一例を示す図である。
【図２】本発明の実施の形態における共同チラシの製作システムの概略ブロック図である。
【図３】本発明の実施の形態におけるサーバ装置のブロック図である。
【図４】本発明の実施の形態における主制御部の機能ブロック図である。
【図５】本発明の実施の形態におけるデータベースの構成図である。
【図６】本発明の実施の形態におけるデータベースのスーパー別フォルダの構成図である。
【図７】本発明の実施の形態における版下データを示す図である。
【図８】本発明の実施の形態における商品の値段を伏せた版下データを示す図である。
【図９】本発明の実施の形態におけるクライアント端末からサーバ装置へアクセスしてチラシの共同広告を申し込む場合の制御動作を示すフローチャートである。
【図１０】本発明の実施の形態におけるクライアント端末からサーバ装置へアクセスしてチラシの共同広告を申し込む場合の制御動作を示すフローチャートである。
【図１１】本発明の実施の形態におけるクライアント端末からサーバ装置へアクセスしてチラシの共同広告を申し込む場合の制御動作を示すフローチャートである。
【図１２】本発明の実施の形態におけるサーバ装置のサイトの画面を示す図である。
【図１３】本発明の実施の形態におけるクライアント端末から共同広告を申し込む場合の説明図である。
【図１４】本発明の実施の形態におけるクライアント端末から共同広告を申し込む場合の説明図である。
【図１５】本発明の実施の形態におけるクライアント端末から共同広告を申し込む場合の説明図である。
【図１６】本発明の実施の形態におけるクライアント端末から共同広告を申し込む場合の説明図である。
【図１７】本発明の実施の形態におけるクライアント端末から共同広告を申し込む場合の説明図である。
【図１８】本発明の実施の形態におけるクライアント端末から共同広告を申し込む場合の説明図である。
【図１９】本発明の実施の形態におけるクライアント端末から共同広告を申し込む場合の説明図である。
【図２０】本発明の実施の形態におけるクライアント端末から共同広告を申し込む場合の説明図である。
【図２１】本発明の実施の形態におけるクライアント端末から共同広告を申し込む場合の説明図である。
【図２２】本発明の実施の形態におけるサーバ装置側での制御動作を示すフローチャートである。
【図２３】本発明の実施の形態におけるサーバ装置側での制御動作を示すフローチャートである。
【図２４】本発明の実施の形態におけるサーバ装置側での制御動作を示すフローチャートである。
【図２５】本発明の実施の形態におけるサーバ装置側での制御動作を示すフローチャートである。
【図２６】本発明の実施の形態における広告の申込件数に応じて広告枠の大きさを自動的に変える場合の説明図である。
【図２７】本発明の実施の形態における広告の申込件数に応じて広告枠の大きさを自動的に変える場合の説明図である。
【図２８】本発明の実施の形態におけるクライアント端末側での広告の版下を作成する場合の制御動作を示すフローチャートである。
【図２９】本発明の実施の形態におけるクライアント端末側での広告の版下を作成する場合の制御動作を示すフローチャートである。
【図３０】本発明の実施の形態におけるクライアント端末側ので広告の版下を作成する場合の説明図である。
【図３１】本発明の実施の形態におけるクライアント端末側ので広告の版下を作成する場合の説明図である。
【図３２】本発明の実施の形態におけるクライアント端末側ので広告の版下を作成する場合の説明図である。
【図３３】本発明の実施の形態におけるクライアント端末側ので広告の版下を作成する場合の説明図である。
【図３４】本発明の実施の形態におけるサーバ装置側でのチラシの版下を作成する場合の制御動作を示すフローチャートである。
【図３５】本発明の実施の形態におけるサーバ装置側でのチラシの版下を作成する場合の制御動作を示すフローチャートである。
【図３６】本発明の実施の形態における完成した版下を示す説明図である。
【符号の説明】
【０１２６】
１  サーバ装置
２  インターネット
３  クライアント端末
１４  主制御装置
１６  データベース
２１  チラシ版下作成部
２３  クライアントデータ保存制御部
２５  広告枠数制御部
２６  広告枠演算・決定制御部
３０  地図表示制御部
３２  配布内容表示制御部
３３  チラシ版下表示制御部
３５  検索制御部
５１  版下データ
【手続補正３】
【補正対象書類名】図面
【補正対象項目名】図４
【補正方法】変更
【補正の内容】
【図４】
2008204046.tif 000039